(57)【特許請求の範囲】
【請求項１】
無線端末装置がハンドオーバ動作を行なうことにより複数の無線基地局装置と通信可能な通信システムにおいて、無線端末装置との間で無線信号を送受信するための無線基地局装置であって、
自己の無線基地局装置から他の無線基地局装置への無線端末装置のハンドオーバ動作を行なう要求を前記他の無線基地局装置に対して行なうためのハンドオーバ要求部と、
前記要求に対する前記他の無線基地局装置からの応答を受けて、前記無線端末装置に対して自己の無線基地局装置から前記他の無線基地局装置へのハンドオーバ動作を行なう指示を与えるためのハンドオーバ指示部とを備え、
前記ハンドオーバ指示部は、前記応答を受けて、自己の無線基地局装置および前記無線端末装置間の通信品質に関する所定の実行条件が満たされていない場合には、前記無線端末装置に対する前記指示の付与を中止するかまたは保留する、無線基地局装置。
【請求項２】
前記ハンドオーバ指示部は、前記応答を受けて、前記実行条件が満たされていない場合には、前記無線端末装置に対して前記指示を与えず、前記ハンドオーバ動作を中止する旨を前記他の無線基地局装置に通知する、請求項１に記載の無線基地局装置。
【請求項３】
前記ハンドオーバ指示部は、前記応答を受けて、前記実行条件が満たされていない場合には、前記実行条件が満たされるまで待機し、前記実行条件が満たされると前記無線端末装置に対して前記指示を与える、請求項１に記載の無線基地局装置。
【請求項４】
前記ハンドオーバ指示部は、前記実行条件が満たされる前に所定の中止条件が満たされた場合には、前記無線端末装置に対して前記指示を与えず、前記ハンドオーバ動作を中止する旨を前記他の無線基地局装置に通知する、請求項３に記載の無線基地局装置。
【請求項５】
前記ハンドオーバ要求部は、自己の無線基地局装置および前記無線端末装置間の通信品質に関する所定の準備条件が満たされる場合に、前記要求を前記他の無線基地局装置に対して行ない、
前記準備条件の示す通信品質は、前記実行条件の示す通信品質と比べて良い品質である、請求項１から請求項４のいずれか１項に記載の無線基地局装置。
【請求項６】
前記ハンドオーバ要求部は、自己の無線基地局装置および前記無線端末装置間の通信品質に関する所定の準備条件が満たされる場合に、前記要求を前記他の無線基地局装置に対して行ない、
前記準備条件の示す通信品質は、前記実行条件の示す通信品質と同等である、請求項１から請求項４のいずれか１項に記載の無線基地局装置。
【請求項７】
前記ハンドオーバ要求部は、自己の無線基地局装置および前記無線端末装置間の通信品質に関する所定の準備条件が満たされる場合に、前記要求を前記他の無線基地局装置に対して行ない、
前記中止条件は、自己の無線基地局装置および前記無線端末装置間の通信品質に関する条件であり、
前記準備条件の示す通信品質は、前記実行条件の示す通信品質と比べて同等であるかまたは良い品質であり、前記中止条件の示す通信品質は、前記準備条件の示す通信品質と比べて良い品質である、請求項４に記載の無線基地局装置。
【請求項８】
前記ハンドオーバ指示部は、前記ハンドオーバ動作の中止を前記他の無線基地局装置に通知する際、自己の無線基地局装置および前記無線端末装置間の通信品質が条件を満たしていない旨を前記他の無線基地局装置に通知する、請求項２、請求項４または請求項７に記載の無線基地局装置。
【請求項９】
前記無線基地局装置は、さらに、
前記実行条件の示す通信品質および前記準備条件の示す通信品質の差を調整するためのハンドオーバ条件調整部を備える、請求項５に記載の無線基地局装置。
【請求項１０】
前記ハンドオーバ要求部は、自己の無線基地局装置および前記無線端末装置間の通信品質に関する所定の準備条件が満たされる場合に、前記要求を前記他の無線基地局装置に対して行ない、
前記無線基地局装置は、さらに、
前記実行条件の示す通信品質および前記準備条件の示す通信品質の差を調整し、前記ハンドオーバ指示部によって前記ハンドオーバ動作の中止が他の無線基地局装置に通知された回数に基づいて前記差を調整するためのハンドオーバ条件調整部を備える、請求項２、請求項４または請求項７に記載の無線基地局装置。
【請求項１１】
前記無線基地局装置は、さらに、
無線端末装置による自己の無線基地局装置から他の無線基地局装置へのハンドオーバ動作が不適切であった回数を取得するためのハンドオーバ情報取得部を備え、
前記ハンドオーバ条件調整部は、前記ハンドオーバ情報取得部によって取得された前記回数に基づいて前記差を調整する、請求項９または請求項１０に記載の無線基地局装置。
【請求項１２】
無線端末装置がハンドオーバ動作を行なうことにより複数の無線基地局装置と通信可能な通信システムにおいて、無線端末装置との間で無線信号を送受信するための無線基地局装置における通信制御方法であって、
自己から他の無線基地局装置への無線端末装置のハンドオーバ動作を行なう要求を前記他の無線基地局装置に対して行なうステップと、
前記要求に対する前記他の無線基地局装置からの応答を受けて、前記無線端末装置に対して自己から前記他の無線基地局装置へのハンドオーバ動作を行なう指示を与えるか否かを判断するステップとを含み、
前記指示を与えるか否かを判断するステップにおいては、自己の無線基地局装置および前記無線端末装置間の通信品質に関する所定の実行条件が満たされていない場合には、前記無線端末装置に対する前記指示の付与を中止するかまたは保留する、通信制御方法。
【請求項１３】
無線端末装置がハンドオーバ動作を行なうことにより複数の無線基地局装置と通信可能な通信システムにおいて、無線端末装置との間で無線信号を送受信するための無線基地局装置において用いられる通信制御プログラムであって、コンピュータに、
自己から他の無線基地局装置への無線端末装置のハンドオーバ動作を行なう要求を前記他の無線基地局装置に対して行なうステップと、
前記要求に対する前記他の無線基地局装置からの応答を受けて、前記無線端末装置に対して自己から前記他の無線基地局装置へのハンドオーバ動作を行なう指示を与えるか否かを判断するステップとを実行させるためのプログラムであり、
前記指示を与えるか否かを判断するステップにおいては、自己の無線基地局装置および前記無線端末装置間の通信品質に関する所定の実行条件が満たされていない場合には、前記無線端末装置に対する前記指示の付与を中止するかまたは保留する、通信制御プログラム。
【請求項１４】
前記ハンドオーバ要求部は、前記要求を複数の前記他の無線基地局装置に対して行う、請求項１に記載の無線基地局装置。
【請求項１５】
前記ハンドオーバ指示部は、前記応答を受信して、前記応答に対応する前記他の無線基地局装置の中からハンドオーバ先の無線基地局装置を選択し、前記無線端末装置に対して前記ハンドオーバ先の無線基地局装置への前記ハンドオーバ動作を行う指示を与える、請求項１４に記載の無線基地局装置。
【請求項１６】
前記ハンドオーバ指示部は、前記応答を受信した後、前記応答に対応する前記他の無線基地局装置から送信される無線信号の前記無線端末装置における受信電力の測定結果を取得して、前記測定結果に基づいて前記ハンドオーバ先の無線基地局装置を選択する、請求項１５に記載の無線基地局装置。
【請求項１７】
前記ハンドオーバ指示部は、前記応答を受信した後、所定期間取得できない前記測定結果に対応する前記他の無線基地局装置を前記ハンドオーバ先の候補から外す、請求項１６に記載の無線基地局装置。
【請求項１８】
前記ハンドオーバ指示部は、前記応答を受信して、前記応答に対応する前記他の無線基地局装置をハンドオーバ先の候補として示す情報を前記無線端末装置へ送信する、請求項１４に記載の無線基地局装置。
【請求項１９】
前記ハンドオーバ指示部は、前記無線端末装置によって選択された前記ハンドオーバ先の無線基地局装置を示す情報を受信して、受信した前記情報の示す前記ハンドオーバ先の無線基地局装置へ所定の情報を送信する、請求項１８に記載の無線基地局装置。
【請求項２０】
前記ハンドオーバ指示部は、前記ハンドオーバ動作が完了した後、前記応答に対応する前記他の無線基地局装置のうちハンドオーバ先の無線基地局装置以外の前記他の無線基地局装置へ前記ハンドオーバ動作の中止要求を送信する、請求項１４から請求項１９のいずれか１項に記載の無線基地局装置。
【請求項２１】
無線端末装置との間で無線信号を送受信するための複数の無線基地局装置と、
１または複数の前記無線基地局装置を管理するための複数の通信制御装置とを備える通信システムであって、
前記無線基地局装置は、自己から他の無線基地局装置への前記無線端末装置のハンドオーバ動作を行うハンドオーバ要求を対応の通信制御装置へ送信し、
前記対応の通信制御装置は、前記ハンドオーバ要求の示すハンドオーバ先の前記他の無線基地局装置が自己の管理対象でない場合には、前記他の無線基地局装置を管理する他の通信制御装置へ前記ハンドオーバ要求を送信し、
前記他の通信制御装置は、受信した前記ハンドオーバ要求を前記他の無線基地局装置へ送信し、前記他の無線基地局装置から前記ハンドオーバ要求に対する応答を受信すると前記対応の通信制御装置へ前記応答を送信し、
前記対応の通信制御装置は、前記他の通信制御装置から前記応答を受信して、前記ハンドオーバ要求の送信元の前記無線基地局装置へハンドオーバ指示を送信し、
前記無線基地局装置は、前記ハンドオーバ指示を受信して、前記無線端末装置との間の通信品質に関する所定の実行条件が満たされているか否かを判断し、前記実行条件が満たされていない場合には、前記無線端末装置に対するハンドオーバ動作を行うための指示の付与を中止するかまたは保留する、通信システム。
【請求項２２】
前記無線基地局装置は、前記無線端末装置との間の通信品質に関する所定の準備条件が満たされる場合に、前記ハンドオーバ要求を前記対応の通信制御装置へ送信し、
前記準備条件の示す通信品質は、前記実行条件の示す通信品質と比べて良い品質である、請求項２１に記載の通信システム。
【請求項２３】
前記対応の通信制御装置は、前記無線基地局装置からハンドオーバ先として複数の前記他の無線基地局装置を示す前記ハンドオーバ要求を受信し、前記ハンドオーバ要求の示す前記他の無線基地局装置ごとに自己の管理対象であるか否かを判断し、自己の管理対象でない場合には、前記他の無線基地局装置を管理する他の通信制御装置へ前記ハンドオーバ要求を送信する、請求項２１または請求項２２に記載の通信システム。
【請求項２４】
無線端末装置との間で無線信号を送受信するための複数の無線基地局装置と、
１または複数の前記無線基地局装置を管理するための通信制御装置と、
１または複数の前記無線基地局装置と上位ネットワークとの間に接続され、前記無線基地局装置経由で前記無線端末装置から受信した通信データを前記上位ネットワークへ送信するとともに、前記上位ネットワークから受信した通信データを前記無線基地局装置経由で前記無線端末装置へ送信するための複数のゲートウェイ装置とを備える通信システムであって、
前記無線基地局装置は、自己から他の無線基地局装置への前記無線端末装置のハンドオーバ動作を行うハンドオーバ要求を前記通信制御装置へ送信し、
前記通信制御装置は、前記無線基地局装置と前記上位ネットワークとの間に接続されているゲートウェイ装置と、前記ハンドオーバ要求の示すハンドオーバ先の前記他の無線基地局装置と前記上位ネットワークとの間に接続されているゲートウェイ装置とが異なる場合には、通信経路作成要求を前記他の無線基地局装置と前記上位ネットワークとの間に接続されている前記ゲートウェイ装置へ送信し、
前記ゲートウェイ装置は、前記通信経路作成要求を受信すると、前記上位ネットワークから送信される前記無線端末装置宛の通信データおよび前記無線端末装置から送信される前記上位ネットワークへの通信データを中継可能とする通信経路を作成し、前記通信経路作成要求に対する通信経路作成応答を前記通信制御装置へ送信し、
前記通信制御装置は、前記通信経路作成応答を受信すると、前記他の無線基地局装置へ前記ハンドオーバ要求を送信し、前記他の無線基地局装置から前記ハンドオーバ要求に対する応答を受信すると、前記ハンドオーバ要求の送信元の前記無線基地局装置へハンドオーバ指示を送信し、
前記無線基地局装置は、前記ハンドオーバ指示を受信して、前記無線端末装置との間の通信品質に関する所定の実行条件が満たされているか否かを判断し、前記実行条件が満たされていない場合には、前記無線端末装置に対するハンドオーバ動作を行うための指示の付与を中止するかまたは保留する、通信システム。
【請求項２５】
前記無線基地局装置は、前記無線端末装置との間の通信品質に関する所定の準備条件が満たされる場合に、前記ハンドオーバ要求を前記通信制御装置へ送信し、
前記準備条件の示す通信品質は、前記実行条件の示す通信品質と比べて良い品質である、請求項２４に記載の通信システム。
【請求項２６】
前記通信制御装置は、前記無線基地局装置からハンドオーバ先として複数の他の前記無線基地局装置を示す前記ハンドオーバ要求を受信し、前記ハンドオーバ要求の示す前記他の無線基地局装置ごとに、前記無線基地局装置と前記上位ネットワークとの間に接続されているゲートウェイ装置と、前記他の無線基地局装置と前記上位ネットワークとの間に接続されているゲートウェイ装置とが異なるか否かを判断し、異なると判断した前記ゲートウェイ装置へ前記通信経路作成要求を送信する、請求項２４または請求項２５に記載の通信システム。
【請求項２７】
無線端末装置との間で無線信号を送受信するための複数の無線基地局装置と、
１または複数の前記無線基地局装置を管理するための複数の通信制御装置とを備える通信システムにおける通信制御方法であって、
前記無線基地局装置が、自己から他の無線基地局装置への前記無線端末装置のハンドオーバ動作を行うハンドオーバ要求を対応の前記通信制御装置へ送信するステップと、
前記対応の通信制御装置が、前記ハンドオーバ要求の示すハンドオーバ先の前記他の無線基地局装置が自己の管理対象でない場合には、前記他の無線基地局装置を管理する他の通信制御装置へ前記ハンドオーバ要求を送信するステップと、
前記他の通信制御装置が、受信した前記ハンドオーバ要求を前記他の無線基地局装置へ送信し、前記他の無線基地局装置から前記ハンドオーバ要求に対する応答を受信すると前記対応の通信制御装置へ前記応答を送信するステップと、
前記対応の通信制御装置が、前記他の通信制御装置から前記応答を受信して、前記ハンドオーバ要求の送信元の前記無線基地局装置へハンドオーバ指示を送信するステップと、
前記無線基地局装置が、前記ハンドオーバ指示を受信して、前記無線端末装置との間の通信品質に関する所定の実行条件が満たされているか否かを判断し、前記実行条件が満たされていない場合には、前記無線端末装置に対するハンドオーバ動作を行うための指示の付与を中止するかまたは保留するステップとを含む、通信制御方法。
【請求項２８】
無線端末装置との間で無線信号を送受信するための複数の無線基地局装置と、
１または複数の前記無線基地局装置を管理するための通信制御装置と、
１または複数の前記無線基地局装置と上位ネットワークとの間に接続され、前記無線基地局装置経由で前記無線端末装置から受信した通信データを前記上位ネットワークへ送信するとともに、前記上位ネットワークから受信した通信データを前記無線基地局装置経由で前記無線端末装置へ送信するための複数のゲートウェイ装置とを備える通信システムにおける通信制御方法であって、
前記無線基地局装置が、自己から他の無線基地局装置への前記無線端末装置のハンドオーバ動作を行うハンドオーバ要求を前記通信制御装置へ送信するステップと、
前記通信制御装置が、前記無線基地局装置と前記上位ネットワークとの間に接続されているゲートウェイ装置と、前記ハンドオーバ要求の示すハンドオーバ先の前記他の無線基地局装置と前記上位ネットワークとの間に接続されているゲートウェイ装置とが異なる場合には、通信経路作成要求を前記他の無線基地局装置と前記上位ネットワークとの間に接続されている前記ゲートウェイ装置へ送信するステップと、
前記ゲートウェイ装置が、前記通信経路作成要求を受信すると、前記上位ネットワークから送信される前記無線端末装置宛の通信データおよび前記無線端末装置から送信される前記上位ネットワークへの通信データを中継可能とする通信経路を作成し、前記通信経路作成要求に対する通信経路作成応答を前記通信制御装置へ送信するステップと、
前記通信制御装置が、前記通信経路作成応答を受信すると、前記他の無線基地局装置へ前記ハンドオーバ要求を送信し、前記他の無線基地局装置から前記ハンドオーバ要求に対する応答を受信すると、前記ハンドオーバ要求の送信元の前記無線基地局装置へハンドオーバ指示を送信するステップと、
前記無線基地局装置が、前記ハンドオーバ指示を受信して、前記無線端末装置との間の通信品質に関する所定の実行条件が満たされているか否かを判断し、前記実行条件が満たされていない場合には、前記無線端末装置に対するハンドオーバ動作を行うための指示の付与を中止するかまたは保留するステップとを含む、通信制御方法。
【発明の詳細な説明】
【技術分野】
【０００１】
本発明は、無線基地局装置、無線端末装置、通信システム、通信制御方法および通信制御プログラムに関し、特に、無線端末装置がハンドオーバ動作を行なうことにより複数の無線基地局装置と通信可能な通信システムにおける無線基地局装置、無線端末装置、通信システム、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、フェムト基地局に加えて、マクロ基地局をベースに、たとえば半径１００メートルから２００メートルのピコセルを形成するピコ基地局も開発されている。
【０００８】
このようなフェムト基地局、ピコ基地局およびマクロ基地局が混在する通信システムであるヘテロジーニアスネットワークでは、たとえばマクロセル内に複数のフェムトセルまたはピコセルが形成される。このため、無線端末装置のハンドオーバが起こりやすくなり、また、ハンドオーバを行なう状況も複雑になることから、ハンドオーバのタイミングが早すぎたり、あるいは遅すぎたりするなど、不適切なハンドオーバ動作が行なわれる場合がある（たとえば、3GPP TR 36.902 V9.3.1 2011.3（非特許文献１）参照）。
【先行技術文献】
【非特許文献】
【０００９】
【非特許文献１】3GPP TR 36.902 V9.3.1 2011.3
【発明の概要】
【発明が解決しようとする課題】
【００１０】
非特許文献１に記載されるような不適切なハンドオーバ動作が行なわれると、通信システムにおいて、通信断および通信トラフィックの増大等、種々の問題が生じる。このような不適切なハンドオーバ動作を抑制し、良好な通信システムを構築する技術が望まれる。
【００１１】
この発明は、上述の課題を解決するためになされたもので、その目的は、無線端末装置のハンドオーバ動作を適切に制御することにより、通信の安定化を図ることが可能な無線基地局装置、無線端末装置、通信システム、通信制御方法および通信制御プログラムを提供することである。
【課題を解決するための手段】
【００１２】
（１）上記課題を解決するために、この発明のある局面に係わる無線基地局装置は、無線端末装置がハンドオーバ動作を行なうことにより複数の無線基地局装置と通信可能な通信システムにおいて、無線端末装置との間で無線信号を送受信するための無線基地局装置であって、自己の無線基地局装置から他の無線基地局装置への無線端末装置のハンドオーバ動作を行なう要求を上記他の無線基地局装置に対して行なうためのハンドオーバ要求部と、上記要求に対する上記他の無線基地局装置からの応答を受けて、上記無線端末装置に対して自己の無線基地局装置から上記他の無線基地局装置へのハンドオーバ動作を行なう指示を与えるためのハンドオーバ指示部とを備え、上記ハンドオーバ指示部は、上記応答を受けて、自己の無線基地局装置および上記無線端末装置間の通信品質に関する所定の実行条件が満たされていない場合には、上記無線端末装置に対する上記指示の付与を中止するかまたは保留する。
【００１３】
このような構成により、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００１４】
（２）好ましくは、上記ハンドオーバ指示部は、上記応答を受けて、上記実行条件が満たされていない場合には、上記無線端末装置に対して上記指示を与えず、上記ハンドオーバ動作を中止する旨を上記他の無線基地局装置に通知する。
【００１５】
このような構成により、ハンドオーバ動作の中止に伴い、たとえば他の無線基地局装置においてハンドオーバ動作のために確保した各種リソースの解放を適切に行なうことができる。
【００１６】
（３）好ましくは、上記ハンドオーバ指示部は、上記応答を受けて、上記実行条件が満たされていない場合には、上記実行条件が満たされるまで待機し、上記実行条件が満たされると上記無線端末装置に対して上記指示を与える。
【００１７】
このような構成により、ハンドオーバ動作の準備処理が完了した後、無線基地局装置および無線端末装置間の通信品質が実行条件を満たした時点で、無線端末装置に対してハンドオーバ動作の指示を与えることができるため、最適なタイミングでハンドオーバ動作を実行することができる。
【００１８】
（４）より好ましくは、上記ハンドオーバ指示部は、上記実行条件が満たされる前に所定の中止条件が満たされた場合には、上記無線端末装置に対して上記指示を与えず、上記ハンドオーバ動作を中止する旨を上記他の無線基地局装置に通知する。
【００１９】
このような構成により、タイマの満了等の適切なタイミング、または電波環境に応じた適切な条件でハンドオーバ動作を中止し、ハンドオーバ動作の待機時間の増大を防ぐことができる。また、ハンドオーバ動作の中止に伴い、たとえば他の無線基地局装置においてハンドオーバ動作のために確保した各種リソースの解放を適切に行なうことができる。
【００２０】
（５）好ましくは、上記ハンドオーバ要求部は、自己の無線基地局装置および上記無線端末装置間の通信品質に関する所定の準備条件が満たされる場合に、上記要求を上記他の無線基地局装置に対して行ない、上記準備条件の示す通信品質は、上記実行条件の示す通信品質と比べて良い品質である。
【００２１】
このような構成により、ハンドオーバ動作の実行判断の基準となる通信品質よりも緩やかな条件で前もってハンドオーバ動作の準備処理を行なうことができる。
【００２２】
（６）好ましくは、上記ハンドオーバ要求部は、自己の無線基地局装置および上記無線端末装置間の通信品質に関する所定の準備条件が満たされる場合に、上記要求を上記他の無線基地局装置に対して行ない、上記準備条件の示す通信品質は、上記実行条件の示す通信品質と同等である。
【００２３】
このような構成により、ハンドオーバ動作の準備期間において無線端末装置の電波環境が好転し、実行する必要のなくなったハンドオーバ動作を適切に中止することができるため、不要となったハンドオーバ動作の実行を抑制することができる。
【００２４】
（７）より好ましくは、上記ハンドオーバ要求部は、自己の無線基地局装置および上記無線端末装置間の通信品質に関する所定の準備条件が満たされる場合に、上記要求を上記他の無線基地局装置に対して行ない、上記中止条件は、自己の無線基地局装置および上記無線端末装置間の通信品質に関する条件であり、上記準備条件の示す通信品質は、上記実行条件の示す通信品質と比べて同等であるかまたは良い品質であり、上記中止条件の示す通信品質は、上記準備条件の示す通信品質と比べて良い品質である。
【００２５】
このような構成により、ハンドオーバ動作の準備期間において無線端末装置の電波環境が好転し、実行する必要のなくなったハンドオーバ動作を適切に中止することができるため、不要となったハンドオーバ動作の実行を抑制することができる。
【００２６】
（８）より好ましくは、上記ハンドオーバ指示部は、上記ハンドオーバ動作の中止を上記他の無線基地局装置に通知する際、自己の無線基地局装置および上記無線端末装置間の通信品質が条件を満たしていない旨を上記他の無線基地局装置に通知する。
【００２７】
これにより、他の無線基地局装置は、たとえばハンドオーバ動作に関するパラメータ設定の誤り等によってハンドオーバ動作が中止された事象との区別をつけることができる。このため、他の無線基地局装置における新たなパラメータ設定処理等の余計な処理の発生を防ぎ、かつハンドオーバ動作のために確保した各種リソースの解放を適切に行なうことができる。
【００２８】
（９）より好ましくは、上記無線基地局装置は、さらに、上記実行条件の示す通信品質および上記準備条件の示す通信品質の差を調整するためのハンドオーバ条件調整部を備える。
【００２９】
このような構成により、”Ｔｏｏ  Ｌａｔｅ  ＨＯ”等の不適切なハンドオーバ動作の発生頻度、およびハンドオーバ動作の中止頻度の調整が可能となり、より適切なハンドオーバ動作を実現することができる。
【００３０】
（１０）より好ましくは、上記ハンドオーバ要求部は、自己の無線基地局装置および上記無線端末装置間の通信品質に関する所定の準備条件が満たされる場合に、上記要求を上記他の無線基地局装置に対して行ない、上記無線基地局装置は、さらに、上記実行条件の示す通信品質および前記準備条件の示す通信品質の差を調整し、上記ハンドオーバ指示部によって上記ハンドオーバ動作の中止が他の無線基地局装置に通知された回数に基づいて上記差を調整するためのハンドオーバ条件調整部を備える。
【００３１】
このような構成により、ハンドオーバ動作の中止頻度の観点から、”Ｔｏｏ  Ｌａｔｅ  ＨＯ”等の不適切なハンドオーバ動作の発生頻度、およびハンドオーバ動作の中止頻度を適切に調整することができる。
【００３２】
（１１）より好ましくは、上記無線基地局装置は、さらに、無線端末装置による自己の無線基地局装置から他の無線基地局装置へのハンドオーバ動作が不適切であった回数を取得するためのハンドオーバ情報取得部を備え、上記ハンドオーバ条件調整部は、上記ハンドオーバ情報取得部によって取得された上記回数に基づいて上記差を調整する。
【００３３】
このような構成により、”Ｔｏｏ  Ｌａｔｅ  ＨＯ”等の不適切なハンドオーバ動作の発生頻度の観点から、不適切なハンドオーバ動作の発生頻度およびハンドオーバ動作の中止頻度を適切に調整することができる。
【００３４】
（１２）上記課題を解決するために、この発明のある局面に係わる通信制御方法は、無線端末装置がハンドオーバ動作を行なうことにより複数の無線基地局装置と通信可能な通信システムにおいて、無線端末装置との間で無線信号を送受信するための無線基地局装置における通信制御方法であって、自己から他の無線基地局装置への無線端末装置のハンドオーバ動作を行なう要求を上記他の無線基地局装置に対して行なうステップと、上記要求に対する上記他の無線基地局装置からの応答を受けて、上記無線端末装置に対して自己から上記他の無線基地局装置へのハンドオーバ動作を行なう指示を与えるか否かを判断するステップとを含み、上記指示を与えるか否かを判断するステップにおいては、自己の無線基地局装置および上記無線端末装置間の通信品質に関する所定の実行条件が満たされていない場合には、上記無線端末装置に対して上記指示を与えず、上記ハンドオーバ動作を中止する旨を上記他の無線基地局装置に通知する。
【００３５】
このような構成により、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００３６】
（１３）上記課題を解決するために、この発明のある局面に係わる通信制御プログラムは、無線端末装置がハンドオーバ動作を行なうことにより複数の無線基地局装置と通信可能な通信システムにおいて、無線端末装置との間で無線信号を送受信するための無線基地局装置において用いられる通信制御プログラムであって、コンピュータに、自己から他の無線基地局装置への無線端末装置のハンドオーバ動作を行なう要求を上記他の無線基地局装置に対して行なうステップと、上記要求に対する上記他の無線基地局装置からの応答を受けて、上記無線端末装置に対して自己から上記他の無線基地局装置へのハンドオーバ動作を行なう指示を与えるか否かを判断するステップとを実行させるためのプログラムであり、上記指示を与えるか否かを判断するステップにおいては、自己の無線基地局装置および上記無線端末装置間の通信品質に関する所定の実行条件が満たされていない場合には、上記無線端末装置に対して上記指示を与えず、上記ハンドオーバ動作を中止する旨を上記他の無線基地局装置に通知する。
【００３７】
このような構成により、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００３８】
（１４）好ましくは、上記無線基地局装置は、上記ハンドオーバ要求部は、上記要求を複数の上記他の無線基地局装置に対して行う。
【００３９】
ある周辺基地局へのハンドオーバ動作の準備処理の完了後に無線端末装置が移動することで、当該周辺基地局に関する無線端末装置の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置と無線基地局装置との間の通信が途切れることを防ぐことができる。
【００４０】
また、上記のように、周辺基地局に関する無線端末装置の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、通信システムにおける負荷を軽減させることができる。
【００４１】
（１５）好ましくは、上記ハンドオーバ指示部は、上記応答を受信して、上記応答に対応する上記他の無線基地局装置の中からハンドオーバ先の無線基地局装置を選択し、上記無線端末装置に対して上記ハンドオーバ先の無線基地局装置への上記ハンドオーバ動作を行う指示を与える。
【００４２】
このように、ハンドオーバ先の無線基地局装置を選択したうえで無線端末装置に対してハンドオーバ動作の指示を与える構成により、当該指示内に複数の無線基地局装置を提示する場合と比べて情報量を少なくすることができ、当該指示内容を簡潔にすることができる。
【００４３】
（１６）好ましくは、上記ハンドオーバ指示部は、上記応答を受信した後、上記応答に対応する上記他の無線基地局装置から送信される無線信号の上記無線端末装置における受信電力の測定結果を取得して、上記測定結果に基づいて上記ハンドオーバ先の無線基地局装置を選択する。
【００４４】
このような構成により、ハンドオーバ動作の準備完了後の無線端末装置における電波環境に応じて、ハンドオーバ先として適切な無線基地局装置を選択することができる。
【００４５】
（１７）好ましくは、上記ハンドオーバ指示部は、上記応答を受信した後、所定期間取得できない上記測定結果に対応する上記他の無線基地局装置を上記ハンドオーバ先の候補から外す。
【００４６】
このような構成により、たとえば、無線端末装置が受信電力を測定できない程度に当該無線端末装置との距離が離れてしまった無線基地局装置をハンドオーバ先の候補から外すことができるため、ハンドオーバ先として適切な無線基地局装置を選択することができる。
【００４７】
（１８）好ましくは、上記ハンドオーバ指示部は、上記応答を受信して、上記応答に対応する上記他の無線基地局装置をハンドオーバ先の候補として示す情報を上記無線端末装置へ送信する。
【００４８】
このように、無線端末装置にハンドオーバ先の無線基地局装置を選択させる構成により、ハンドオーバ元の無線基地局装置が選択する場合に比べて、最新の電波環境に応じてハンドオーバ先の無線基地局装置を選択することができる。
【００４９】
（１９）好ましくは、上記ハンドオーバ指示部は、上記無線端末装置によって選択された上記ハンドオーバ先の無線基地局装置を示す情報を受信して、受信した上記情報の示す上記ハンドオーバ先の無線基地局装置へ所定の情報を送信する。
【００５０】
このような構成により、ハンドオーバ元の無線基地局装置が、無線端末装置により選択されたハンドオーバ先の無線基地局装置を把握したうえで、ハンドオーバ動作に必要な情報を当該ハンドオーバ先の無線基地局装置へ送信するので、無駄のない情報の送受信を行うことができる。
【００５１】
（２０）好ましくは、上記ハンドオーバ指示部は、上記ハンドオーバ動作が完了した後、上記応答に対応する上記他の無線基地局装置のうちハンドオーバ先の無線基地局装置以外の上記他の無線基地局装置へ上記ハンドオーバ動作の中止要求を送信する。
【００５２】
ここで、たとえば、ハンドオーバ先として選択された無線基地局装置以外の無線基地局装置へのハンドオーバ動作がハンドオーバ動作の完了前に中止された後、無線端末装置が、当該中止対象の無線基地局装置に近づく方向に移動する場合、当該中止対象の無線基地局装置が最適なハンドオーバ先となることがある。この場合、当該中止対象の無線基地局装置へのハンドオーバ動作を再び行う必要がある。
【００５３】
これに対して、本発明に係る無線基地局装置は、上記のように、ハンドオーバ先として選択された無線基地局装置以外の無線基地局装置へのハンドオーバ動作を無線端末装置のハンドオーバ動作の準備処理が完了した後に中止する。これにより、ハンドオーバ動作が完了するまでの間に無線端末装置が移動して電波状況が変わり、他の周辺基地局へのハンドオーバ動作が行われる場合であっても、再びハンドオーバ動作の準備処理を行う必要がない。
【００５４】
（２１）上記課題を解決するために、この発明のある局面に係わる無線端末装置は、無線基地局装置との間で無線信号を送受信し、ハンドオーバ動作を行なうことにより複数の無線基地局装置と通信可能な無線端末装置であって、自己と通信接続を確立している無線基地局装置であるサービング基地局から複数の他の無線基地局装置をハンドオーバ先の候補として示す情報を受信するための受信部と、上記受信部により受信された上記情報の示す複数の上記他の無線基地局装置の中からハンドオーバ先の無線基地局装置を選択するための選択部と、上記選択部により選択された上記ハンドオーバ先の無線基地局装置を示す情報を上記サービング基地局へ送信して、上記ハンドオーバ先の無線基地局装置との通信接続を新たに確立するための通信制御部とを備える。
【００５５】
このように、無線端末装置にハンドオーバ先の無線基地局装置を選択させる構成により、ハンドオーバ元の無線基地局装置が選択する場合に比べて、最新の電波環境に応じてハンドオーバ先の無線基地局装置を選択することができる。
【００５６】
（２２）上記課題を解決するために、この発明のある局面に係わる通信システムは、無線端末装置との間で無線信号を送受信するための複数の無線基地局装置と、１または複数の上記無線基地局装置を管理するための複数の通信制御装置とを備える通信システムであって、上記無線基地局装置は、自己から他の無線基地局装置への上記無線端末装置のハンドオーバ動作を行うハンドオーバ要求を対応の通信制御装置へ送信し、上記対応の通信制御装置は、上記ハンドオーバ要求の示すハンドオーバ先の上記他の無線基地局装置が自己の管理対象でない場合には、上記他の無線基地局装置を管理する他の通信制御装置へ上記ハンドオーバ要求を送信し、上記他の通信制御装置は、受信した上記ハンドオーバ要求を上記他の無線基地局装置へ送信し、上記他の無線基地局装置から上記ハンドオーバ要求に対する応答を受信すると上記対応の通信制御装置へ上記応答を送信し、上記対応の通信制御装置は、上記他の通信制御装置から上記応答を受信して、上記ハンドオーバ要求の送信元の上記無線基地局装置へハンドオーバ指示を送信し、上記無線基地局装置は、上記ハンドオーバ指示を受信して、上記無線端末装置との間の通信品質に関する所定の実行条件が満たされているか否かを判断し、上記実行条件が満たされていない場合には、上記無線端末装置に対するハンドオーバ動作を行うための指示の付与を中止するかまたは保留する。
【００５７】
このような構成により、ハンドオーバ元の無線基地局装置を管理する通信制御装置と、ハンドオーバ先の無線基地局装置を管理する通信制御装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００５８】
（２３）好ましくは、上記通信システムにおいて、上記無線基地局装置は、上記無線端末装置との間の通信品質に関する所定の準備条件が満たされる場合に、上記ハンドオーバ要求を上記対応の通信制御装置へ送信し、上記準備条件の示す通信品質は、上記実行条件の示す通信品質と比べて良い品質である。
【００５９】
このような構成により、ハンドオーバ動作の実行判断の基準となる通信品質よりも緩やかな条件で前もってハンドオーバ動作の準備処理を行なうことができる。また、通信制御装置の切り替えのために必要な情報の送受信を、ハンドオーバ動作の準備処理として前もって行うことにより、ハンドオーバ動作に要する時間を大幅に短縮することができる。
【００６０】
（２４）好ましくは、上記通信システムにおいて、上記対応の通信制御装置は、上記無線基地局装置からハンドオーバ先として複数の上記他の無線基地局装置を示す上記ハンドオーバ要求を受信し、上記ハンドオーバ要求の示す上記他の無線基地局装置ごとに自己の管理対象であるか否かを判断し、自己の管理対象でない場合には、上記他の無線基地局装置を管理する他の通信制御装置へ上記ハンドオーバ要求を送信する。
【００６１】
ある周辺基地局へのハンドオーバ動作の準備処理の完了後に無線端末装置が移動することで、当該周辺基地局に関する無線端末装置の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置と無線基地局装置との間の通信が途切れることを防ぐことができる。
【００６２】
また、上記のように、周辺基地局に関する無線端末装置の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、通信システムにおける負荷を軽減させることができる。
【００６３】
（２５）上記課題を解決するために、この発明のある局面に係わる通信システムは、無線端末装置との間で無線信号を送受信するための複数の無線基地局装置と、１または複数の上記無線基地局装置を管理するための通信制御装置と、１または複数の上記無線基地局装置と上位ネットワークとの間に接続され、上記無線基地局装置経由で上記無線端末装置から受信した通信データを上記上位ネットワークへ送信するとともに、上記上位ネットワークから受信した通信データを上記無線基地局装置経由で上記無線端末装置へ送信するための複数のゲートウェイ装置とを備える通信システムであって、上記無線基地局装置は、自己から他の無線基地局装置への上記無線端末装置のハンドオーバ動作を行うハンドオーバ要求を上記通信制御装置へ送信し、上記通信制御装置は、上記無線基地局装置と上記上位ネットワークとの間に接続されているゲートウェイ装置と、上記ハンドオーバ要求の示すハンドオーバ先の上記他の無線基地局装置と上記上位ネットワークとの間に接続されているゲートウェイ装置とが異なる場合には、通信経路作成要求を上記他の無線基地局装置と上記上位ネットワークとの間に接続されている上記ゲートウェイ装置へ送信し、上記ゲートウェイ装置は、上記通信経路作成要求を受信すると、上記上位ネットワークから送信される上記無線端末装置宛の通信データおよび上記無線端末装置から送信される上記上位ネットワークへの通信データを中継可能とする通信経路を作成し、上記通信経路作成要求に対する通信経路作成応答を上記通信制御装置へ送信し、上記通信制御装置は、上記通信経路作成応答を受信すると、上記他の無線基地局装置へ上記ハンドオーバ要求を送信し、上記他の無線基地局装置から上記ハンドオーバ要求に対する応答を受信すると、上記ハンドオーバ要求の送信元の上記無線基地局装置へハンドオーバ指示を送信し、上記無線基地局装置は、上記ハンドオーバ指示を受信して、上記無線端末装置との間の通信品質に関する所定の実行条件が満たされているか否かを判断し、上記実行条件が満たされていない場合には、上記無線端末装置に対するハンドオーバ動作を行うための指示の付与を中止するかまたは保留する。
【００６４】
このような構成により、ハンドオーバ元の無線基地局装置と上位ネットワークとの間に接続されているゲートウェイ装置と、ハンドオーバ先の無線基地局装置と上位ネットワークとの間に接続されているゲートウェイ装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００６５】
（２６）好ましくは、上記通信システムにおいて、上記無線基地局装置は、上記無線端末装置との間の通信品質に関する所定の準備条件が満たされる場合に、上記ハンドオーバ要求を上記通信制御装置へ送信し、上記準備条件の示す通信品質は、上記実行条件の示す通信品質と比べて良い品質である。
【００６６】
このような構成により、ハンドオーバ動作の実行判断の基準となる通信品質よりも緩やかな条件で前もってハンドオーバ動作の準備処理を行なうことができる。また、ゲートウェイ装置の切り替えのために必要な情報の送受信を、ハンドオーバ動作の準備処理として前もって行うことにより、ハンドオーバ動作に要する時間を大幅に短縮することができる。
【００６７】
（２７）好ましくは、上記通信システムにおいて、上記通信制御装置は、上記無線基地局装置からハンドオーバ先として複数の他の上記無線基地局装置を示す上記ハンドオーバ要求を受信し、上記ハンドオーバ要求の示す上記他の無線基地局装置ごとに、上記無線基地局装置と上記上位ネットワークとの間に接続されているゲートウェイ装置と、上記他の無線基地局装置と上記上位ネットワークとの間に接続されているゲートウェイ装置とが異なるか否かを判断し、異なると判断した上記ゲートウェイ装置へ上記通信経路作成要求を送信する。
【００６８】
ある周辺基地局へのハンドオーバ動作の準備処理の完了後に無線端末装置が移動することで、当該周辺基地局に関する無線端末装置の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置と無線基地局装置との間の通信が途切れることを防ぐことができる。
【００６９】
また、上記のように、周辺基地局に関する無線端末装置の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、通信システムにおける負荷を軽減させることができる。
【００７０】
（２８）上記課題を解決するために、この発明のある局面に係わる通信制御方法は、無線端末装置との間で無線信号を送受信するための複数の無線基地局装置と、１または複数の上記無線基地局装置を管理するための複数の通信制御装置とを備える通信システムにおける通信制御方法であって、上記無線基地局装置が、自己から他の無線基地局装置への上記無線端末装置のハンドオーバ動作を行うハンドオーバ要求を対応の上記通信制御装置へ送信するステップと、上記対応の通信制御装置が、上記ハンドオーバ要求の示すハンドオーバ先の上記他の無線基地局装置が自己の管理対象でない場合には、上記他の無線基地局装置を管理する他の通信制御装置へ上記ハンドオーバ要求を送信するステップと、上記他の通信制御装置が、受信した上記ハンドオーバ要求を上記他の無線基地局装置へ送信し、上記他の無線基地局装置から上記ハンドオーバ要求に対する応答を受信すると上記対応の通信制御装置へ上記応答を送信するステップと、上記対応の通信制御装置が、上記他の通信制御装置から上記応答を受信して、上記ハンドオーバ要求の送信元の上記無線基地局装置へハンドオーバ指示を送信するステップと、上記無線基地局装置が、上記ハンドオーバ指示を受信して、上記無線端末装置との間の通信品質に関する所定の実行条件が満たされているか否かを判断し、上記実行条件が満たされていない場合には、上記無線端末装置に対するハンドオーバ動作を行うための指示の付与を中止するかまたは保留するステップとを含む。
【００７１】
このような構成により、ハンドオーバ元の無線基地局装置を管理する通信制御装置と、ハンドオーバ先の無線基地局装置を管理する通信制御装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００７２】
（２９）上記課題を解決するために、この発明のある局面に係わる通信制御方法は、無線端末装置との間で無線信号を送受信するための複数の無線基地局装置と、１または複数の上記無線基地局装置を管理するための通信制御装置と、１または複数の上記無線基地局装置と上位ネットワークとの間に接続され、上記無線基地局装置経由で上記無線端末装置から受信した通信データを上記上位ネットワークへ送信するとともに、上記上位ネットワークから受信した通信データを上記無線基地局装置経由で上記無線端末装置へ送信するための複数のゲートウェイ装置とを備える通信システムにおける通信制御方法であって、上記無線基地局装置が、自己から他の無線基地局装置への上記無線端末装置のハンドオーバ動作を行うハンドオーバ要求を上記通信制御装置へ送信するステップと、上記通信制御装置が、上記無線基地局装置と上記上位ネットワークとの間に接続されているゲートウェイ装置と、上記ハンドオーバ要求の示すハンドオーバ先の上記他の無線基地局装置と上記上位ネットワークとの間に接続されているゲートウェイ装置とが異なる場合には、通信経路作成要求を上記他の無線基地局装置と上記上位ネットワークとの間に接続されている上記ゲートウェイ装置へ送信するステップと、上記ゲートウェイ装置が、上記通信経路作成要求を受信すると、上記上位ネットワークから送信される上記無線端末装置宛の通信データおよび上記無線端末装置から送信される上記上位ネットワークへの通信データを中継可能とする通信経路を作成し、上記通信経路作成要求に対する通信経路作成応答を上記通信制御装置へ送信するステップと、上記通信制御装置が、上記通信経路作成応答を受信すると、上記他の無線基地局装置へ上記ハンドオーバ要求を送信し、上記他の無線基地局装置から上記ハンドオーバ要求に対する応答を受信すると、上記ハンドオーバ要求の送信元の上記無線基地局装置へハンドオーバ指示を送信するステップと、上記無線基地局装置が、上記ハンドオーバ指示を受信して、上記無線端末装置との間の通信品質に関する所定の実行条件が満たされているか否かを判断し、上記実行条件が満たされていない場合には、上記無線端末装置に対するハンドオーバ動作を行うための指示の付与を中止するかまたは保留するステップとを含む。
【００７３】
このような構成により、ハンドオーバ元の無線基地局装置と上位ネットワークとの間に接続されているゲートウェイ装置と、ハンドオーバ先の無線基地局装置と上位ネットワークとの間に接続されているゲートウェイ装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００７４】
（３０）上記課題を解決するために、この発明のある局面に係わる通信制御プログラムは、無線端末装置との間で無線信号を送受信するための複数の無線基地局装置と、１または複数の上記無線基地局装置を管理するための複数の通信制御装置とを備える通信システムにおいて用いられる通信プログラムであって、コンピュータに、上記無線基地局装置が、自己から他の無線基地局装置への上記無線端末装置のハンドオーバ動作を行うハンドオーバ要求を対応の上記通信制御装置へ送信するステップと、上記対応の通信制御装置が、上記ハンドオーバ要求の示すハンドオーバ先の上記他の無線基地局装置が自己の管理対象でない場合には、上記他の無線基地局装置を管理する他の通信制御装置へ上記ハンドオーバ要求を送信するステップと、上記他の通信制御装置が、受信した上記ハンドオーバ要求を上記他の無線基地局装置へ送信し、上記他の無線基地局装置から上記ハンドオーバ要求に対する応答を受信すると上記対応の通信制御装置へ上記応答を送信するステップと、上記対応の通信制御装置が、上記他の通信制御装置から上記応答を受信して、上記ハンドオーバ要求の送信元の上記無線基地局装置へハンドオーバ指示を送信するステップと、上記無線基地局装置が、上記ハンドオーバ指示を受信して、上記無線端末装置との間の通信品質に関する所定の実行条件が満たされているか否かを判断し、上記実行条件が満たされていない場合には、上記無線端末装置に対するハンドオーバ動作を行うための指示の付与を中止するかまたは保留するステップとを実行させるためのプログラムである。
【００７５】
このような構成により、ハンドオーバ元の無線基地局装置を管理する通信制御装置と、ハンドオーバ先の無線基地局装置を管理する通信制御装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００７６】
（３１）上記課題を解決するために、この発明のある局面に係わる通信制御プログラムは、無線端末装置との間で無線信号を送受信するための複数の無線基地局装置と、１または複数の上記無線基地局装置を管理するための通信制御装置と、１または複数の上記無線基地局装置と上位ネットワークとの間に接続され、上記無線基地局装置経由で上記無線端末装置から受信した通信データを上記上位ネットワークへ送信するとともに、上記上位ネットワークから受信した通信データを上記無線基地局装置経由で上記無線端末装置へ送信するための複数のゲートウェイ装置とを備える通信システムにおいて用いられる通信プログラムであって、コンピュータに、上記無線基地局装置が、自己から他の無線基地局装置への上記無線端末装置のハンドオーバ動作を行うハンドオーバ要求を上記通信制御装置へ送信するステップと、上記通信制御装置が、上記無線基地局装置と上記上位ネットワークとの間に接続されているゲートウェイ装置と、上記ハンドオーバ要求の示すハンドオーバ先の上記他の無線基地局装置と上記上位ネットワークとの間に接続されているゲートウェイ装置とが異なる場合には、通信経路作成要求を上記他の無線基地局装置と上記上位ネットワークとの間に接続されている上記ゲートウェイ装置へ送信するステップと、上記ゲートウェイ装置が、上記通信経路作成要求を受信すると、上記上位ネットワークから送信される上記無線端末装置宛の通信データおよび上記無線端末装置から送信される上記上位ネットワークへの通信データを中継可能とする通信経路を作成し、上記通信経路作成要求に対する通信経路作成応答を上記通信制御装置へ送信するステップと、上記通信制御装置が、上記通信経路作成応答を受信すると、上記他の無線基地局装置へ上記ハンドオーバ要求を送信し、上記他の無線基地局装置から上記ハンドオーバ要求に対する応答を受信すると、上記ハンドオーバ要求の送信元の上記無線基地局装置へハンドオーバ指示を送信するステップと、上記無線基地局装置が、上記ハンドオーバ指示を受信して、上記無線端末装置との間の通信品質に関する所定の実行条件が満たされているか否かを判断し、上記実行条件が満たされていない場合には、上記無線端末装置に対するハンドオーバ動作を行うための指示の付与を中止するかまたは保留するステップとを実行させるためのプログラムである。
【００７７】
このような構成により、ハンドオーバ元の無線基地局装置と上位ネットワークとの間に接続されているゲートウェイ装置と、ハンドオーバ先の無線基地局装置と上位ネットワークとの間に接続されているゲートウェイ装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【発明の効果】
【００７８】
本発明によれば、無線端末装置のハンドオーバ動作を適切に制御することにより、通信の安定化を図ることができる。
【図面の簡単な説明】
【００７９】
【図１】本発明の第１の実施の形態に係る無線通信システムの構成を示す図である。
【図２】本発明の第１の実施の形態に係る無線通信システムにおけるハンドオーバ動作のシーケンスの一例を示す図である。
【図３】本発明の第１の実施の形態に係る無線通信システムにおいて、不適切なハンドオーバ動作（Ｔｏｏ  Ｌａｔｅ  ＨＯ）が生じた状況の一例を示す図である。
【図４】本発明の第１の実施の形態に係る無線通信システムにおける、不適切なハンドオーバ動作（Ｔｏｏ  Ｌａｔｅ  ＨＯ）およびその検出処理のシーケンスの一例を示す図である。
【図５】本発明の第１の実施の形態に係る無線通信システムにおいて、不適切なハンドオーバ動作（Ｔｏｏ  Ｅａｒｌｙ  ＨＯ）が生じた状況の一例を示す図である。
【図６】本発明の第１の実施の形態に係る無線通信システムにおいて、不適切なハンドオーバ動作（Ｔｏｏ  Ｅａｒｌｙ  ＨＯ）が生じた状況の一例を示す図である。
【図７】本発明の第１の実施の形態に係る無線通信システムにおける、不適切なハンドオーバ動作（Ｔｏｏ  Ｅａｒｌｙ  ＨＯ）およびその検出処理のシーケンスの一例を示す図である。
【図８】本発明の第１の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【図９】本発明の第１の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【図１０】本発明の第１の実施の形態に係る無線通信システムにおける、無線端末装置の受信品質のシミュレーション結果を示す図である。
【図１１】本発明の第１の実施の形態に係る無線通信システムにおいて、無線端末装置が測定結果通知を送信するイベントＡ１を示す図である。
【図１２】本発明の第１の実施の形態に係る無線通信システムにおいて、無線端末装置が測定結果通知を送信するイベントＡ２を示す図である。
【図１３】本発明の第１の実施の形態に係る無線通信システムにおいて、無線端末装置が測定結果通知を送信するイベントＡ３を示す図である。
【図１４】本発明の第１の実施の形態に係る無線通信システムにおいて、無線端末装置が測定結果通知を送信するイベントＡ４を示す図である。
【図１５】本発明の第１の実施の形態に係る無線通信システムにおいて、無線端末装置が測定結果通知を送信するイベントＡ５を示す図である。
【図１６】本発明の第１の実施の形態に係る無線通信システムにおいて、ヒステリシスＨＳの調整によるハンドオーバ動作のタイミング制御を示す図である。
【図１７】本発明の第１の実施の形態に係る無線通信システムにおいて、ＴＴＴの調整によるハンドオーバ動作のタイミング制御を示す図である。
【図１８】本発明の第１の実施の形態に係る無線通信システムにおいて、オフセットＯＳＴの調整によるハンドオーバ動作のタイミング制御を示す図である。
【図１９】本発明の第１の実施の形態に係る無線基地局装置の構成を示す図である。
【図２０】本発明の第１の実施の形態に係る無線基地局装置における制御部の構成を示す図である。
【図２１】本発明の第１の実施の形態に係る無線通信システムにおけるハンドオーバ動作のシーケンスの一例を示す図である。
【図２２】本発明の第１の実施の形態に係る無線通信システムにおけるハンドオーバ動作のシーケンスの一例を示す図である。
【図２３】本発明の第１の実施の形態に係る無線通信システムにおけるハンドオーバ動作のシーケンスの一例を示す図である。
【図２４】本発明の第１の実施の形態に係る無線通信システムにおけるハンドオーバ動作のシーケンスの一例を示す図である。
【図２５】本発明の第１の実施の形態に係る無線通信システムにおいてハンドオーバ動作に要する時間の内訳の一例を示す図である。
【図２６】シミュレーション対象の無線通信システムにおける無線環境パラメータを示す図である。
【図２７】シミュレーション対象の無線通信システムにおける電力測定処理（Measurement）のパラメータを示す図である。
【図２８】ハンドオーバ失敗確率のシミュレーション結果を示す図である。
【図２９】”Ｐｉｎｇ  Ｐｏｎｇ  ＨＯ”の発生確率のシミュレーション結果を示す図である。
【図３０】図２８に示すハンドオーバ失敗確率、および図２９に示す”Ｐｉｎｇ  Ｐｏｎｇ  ＨＯ”の発生確率の和を示す図である。
【図３１】本発明の第１の実施の形態に係る無線基地局装置による改善対象を示す図である。
【図３２】本発明の第２の実施の形態に係る無線通信システムの構成の一例を示す図である。
【図３３】本発明の第２の実施の形態に係る無線通信システムにおいて、ハンドオーバ動作の実行条件が満たされる状況におけるハンドオーバ動作のシーケンスである。
【図３４】本発明の第２の実施の形態に係る無線通信システムにおいて、ハンドオーバ動作の実行条件が満たされない状況におけるハンドオーバ動作のシーケンスである。
【図３５】本発明の第２の実施の形態に係る無線通信システムの構成の一例を示す図である。
【図３６】本発明の第２の実施の形態に係る無線通信システムにおいて、ハンドオーバ動作の実行条件が満たされる状況におけるハンドオーバ動作のシーケンスである。
【図３７】本発明の第２の実施の形態に係る無線通信システムにおいて、ハンドオーバ動作の実行条件が満たされない状況におけるハンドオーバ動作のシーケンスである。
【図３８】本発明の第２の実施の形態に係る無線通信システムの構成の一例を示す図である。
【図３９】本発明の第２の実施の形態に係る無線通信システムにおいて、ハンドオーバ動作の実行条件が満たされる状況におけるハンドオーバ動作のシーケンスである。
【図４０】本発明の第２の実施の形態に係る無線通信システムにおいて、ハンドオーバ動作の実行条件が満たされない状況におけるハンドオーバ動作のシーケンスである。
【図４１】ハンドオーバ先の候補である無線基地局装置が複数存在する状況の一例を説明するための図である。
【図４２】図４１に示す状況におけるハンドオーバ動作のシーケンスの一例を示す図である。
【図４３】ハンドオーバ先の候補である無線基地局装置が複数存在する状況の一例における課題を説明するための図である。
【図４４】図４３に示す状況におけるハンドオーバ動作のシーケンスの一例を示す図である。
【図４５】本発明の第３の実施の形態に係る無線通信システムの構成を示す図である。
【図４６】本発明の第３の実施の形態に係る無線通信システムにおいて、ハンドオーバ元の無線基地局装置がハンドオーバ先を選択する場合におけるハンドオーバ動作のシーケンスである。
【図４７】ＲＲＣコネクション再構成指示のメッセージ構造の比較例を示す図である。
【図４８】本発明の第３の実施の形態に係る無線通信システムにおけるハンドオーバ要求部から送信されるＲＲＣコネクション再構成指示のメッセージ構造の一例を示す図である。
【図４９】本発明の第３の実施の形態に係る無線通信システムの無線端末装置の構成を示す図である。
【図５０】本発明の第３の実施の形態に係る無線通信システムにおいて、無線端末装置がハンドオーバ先を選択する場合におけるハンドオーバ動作のシーケンスである。
【図５１】本発明の第４の実施の形態に係る無線通信システムの構成の一例を示す図である。
【図５２】本発明の第４の実施の形態に係る無線通信システムにおけるハンドオーバ動作のシーケンスである。
【図５３】本発明の第４の実施の形態に係る無線通信システムの構成の一例を示す図である。
【図５４】本発明の第４の実施の形態に係る無線通信システムにおけるハンドオーバ動作のシーケンスである。
【発明を実施するための形態】
【００８０】
以下、本発明の実施の形態について図面を用いて説明する。なお、図中同一または相当部分には同一符号を付してその説明は繰り返さない。
【００８１】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【００８２】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【００８３】
また、ハンドオーバとは、通話中またはデータ通信中の無線端末装置の通信相手となる無線基地局装置が切り替えられることを意味する。
【００８４】
また、無線端末装置がセルに在圏している、とは、無線端末装置が、当該セルを形成する無線基地局装置を通信先として選択し、かつ当該無線基地局装置と通信可能な状態または通信中である状態を意味する。
【００８５】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００８６】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【００８７】
本発明の実施の形態に係る無線通信システムにおいても、このような３ＧＰＰの定義を適用してもよい。
【００８８】
また、上記定義と合わせて、あるいは別個に、以下のような定義を適用することも可能である。
【００８９】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【００９０】
また、フェムト基地局は、主に個人または法人の建物内に設置され、ユーザの事情により移動するまたは電源がオフとなる可能性がある無線基地局装置である。
【００９１】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【００９２】
＜第１の実施の形態＞
［構成および基本動作］
図１は、本発明の第１の実施の形態に係る無線通信システムの構成を示す図である。
【００９３】
図１を参照して、無線通信システムは、たとえば３ＧＰＰ（Third Generation Partnership Project）で規格化されたＬＴＥ（Long Term Evolution）に従う移動体通信システムであり、無線基地局装置１０１Ａ，１０１Ｂを備える。図１では、２つの無線基地局装置を代表的に示しているが、さらに多数の無線基地局装置が設けられてもよい。
【００９４】
無線基地局装置１０１Ａ，１０１Ｂは、たとえばフェムト基地局、ピコ基地局またはマクロ基地局である。
【００９５】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。
【００９６】
ここで、無線端末装置からコアネットワークへの方向を上り方向と称し、コアネットワークから無線端末装置への方向を下り方向と称する。
【００９７】
本発明の第１の実施の形態に係る無線通信システムにおける無線基地局装置および無線端末装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【００９８】
図２は、本発明の第１の実施の形態に係る無線通信システムにおけるハンドオーバ動作のシーケンスの一例を示す図である。
【００９９】
ここでは、図１に示すように、無線端末装置２０２が、セルＣＡ内に位置し、無線基地局装置１０１Ａと通信中である状態から、セルＣＡおよびセルＣＢの重複領域へ移動した場合を想定する。
【０１００】
図２を参照して、まず、無線基地局装置１０１Ａは、自己と通信中の無線端末装置２０２の測定対象となる周波数と、当該周波数の無線信号を送信する他の無線基地局装置とを設定する（ステップＳ１）。
【０１０１】
次に、無線基地局装置１０１Ａは、設定した他の無線基地局装置から送信される無線信号の受信レベルを無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ２）。
【０１０２】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ３）。
【０１０３】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ４）。
【０１０４】
次に、無線基地局装置１０１Ａは、無線端末装置２０２から受信した測定結果通知に基づいて、セルＩＤごとの測定結果を示す測定情報を取得し、図示しない記憶部に保存する（ステップＳ５）。
【０１０５】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ６）。
【０１０６】
次に、無線基地局装置１０１Ａは、無線基地局装置１０１Ｂを示すハンドオーバ要求を上位装置へ送信する（ステップＳ７）。
【０１０７】
次に、上位装置は、無線基地局装置１０１Ａからハンドオーバ要求を受信して、無線基地局装置１０１Ｂへ当該ハンドオーバ要求を送信する（ステップＳ８）。
【０１０８】
次に、無線基地局装置１０１Ｂは、上位装置からハンドオーバ要求を受信して、上位装置へ当該ハンドオーバ要求に対するハンドオーバ応答を送信する（ステップＳ９）。
【０１０９】
次に、上位装置は、無線基地局装置１０１Ｂからハンドオーバ応答を受信して、無線基地局装置１０１Ａへハンドオーバ指示を送信する（ステップＳ１０）。
【０１１０】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ１１）。
【０１１１】
次に、無線基地局装置１０１Ａは、上位装置へ自己の通信状態等を示す状態通知を送信する（ステップＳ１２）。
【０１１２】
次に、上位装置は、無線基地局装置１０１Ａから状態通知を受信して、無線基地局装置１０１Ｂへ無線端末装置２０２との通信内容等を示す状態通知を送信する（ステップＳ１３）。
【０１１３】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ１４）。
【０１１４】
次に、無線基地局装置１０１Ｂは、無線端末装置２０２からＲＲＣコネクション再構成完了通知を受信して、上位装置へハンドオーバ完了通知を送信する（ステップＳ１５）。
【０１１５】
次に、上位装置は、無線基地局装置１０１Ｂからハンドオーバ完了通知を受信して、端末情報解放指示を無線基地局装置１０１Ａへ送信する（ステップＳ１６）。
【０１１６】
次に、無線基地局装置１０１Ａは、上位装置から端末情報解放指示を受信して、無線端末装置２０２に関する情報を解放し、上位装置へ端末情報解放完了通知を送信する（ステップＳ１７）。
【０１１７】
［不適切なハンドオーバ動作の例］
以下、無線端末装置２０２と通信中の無線基地局装置またはハンドオーバ元の無線基地局装置をサービング基地局とも称し、ハンドオーバ先の無線基地局装置を周辺基地局とも称する。
【０１１８】
図３は、本発明の第１の実施の形態に係る無線通信システムにおいて、不適切なハンドオーバ動作（Ｔｏｏ  Ｌａｔｅ  ＨＯ）が生じた状況の一例を示す図である。
【０１１９】
図４は、本発明の第１の実施の形態に係る無線通信システムにおける、不適切なハンドオーバ動作（Ｔｏｏ  Ｌａｔｅ  ＨＯ）およびその検出処理のシーケンスの一例を示す図である。
【０１２０】
”Ｔｏｏ  Ｌａｔｅ  ＨＯ”は、たとえば以下のような場合をいう。すなわち、ハンドオーバが始まる前、あるいはハンドオーバ処理の最中に、ハンドオーバ元の無線基地局装置について無線リンク断（ＲＬＦ：Radio Link Failure）が発生し、かつハンドオーバ元の無線基地局装置以外の無線基地局装置に対する無線端末装置２０２の接続再確立が生じた場合である。
【０１２１】
”Ｔｏｏ  Ｌａｔｅ  ＨＯ”の検出方法は、たとえば以下のようになる。すなわち、無線端末装置２０２が無線基地局装置１０１ＡについてＲＬＦを起こした後に無線基地局装置１０１Ｂに対して無線リンクを再確立した場合、無線基地局装置１０１Ｂが無線基地局装置１０１Ａに対してＲＬＦ通知を送信する。これにより、無線基地局装置１０１Ａは”Ｔｏｏ  Ｌａｔｅ  ＨＯ”を検出する。
【０１２２】
ここでは、図３に示すように、無線端末装置２０２は、セルＣＡ内に位置し、無線基地局装置１０１Ａと通信中である場合を想定する。
【０１２３】
図３および図４を参照して、まず、無線端末装置２０２は、各無線基地局装置から送信される無線信号の受信電力を測定し、測定した受信電力の測定結果を示す測定結果通知を無線基地局装置１０１Ａへ送信する（ステップＳ５１）。
【０１２４】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ５２）。
【０１２５】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ５３）。
【０１２６】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ５４）。
【０１２７】
ここで、ネットワーク側のハンドオーバの準備中、すなわち無線基地局装置１０１Ａおよび１０１Ｂが上記のようなハンドオーバのためのメッセージの送受信を行っている間に、無線端末装置２０２が、セルＣＡの圏外、かつセルＣＢの圏内に移動する（ステップＳ５５）。
【０１２８】
この無線端末装置２０２の移動により、無線基地局装置１０１Ａから送信されるハンドオーバを指示するためのＲＲＣコネクション再構成指示（ステップＳ５６）が無線端末装置２０２に届かなくなり、ＲＬＦが発生してしまう（ステップＳ５７）。
【０１２９】
次に、無線端末装置２０２は、ＲＬＦ発生を検出すると、無線信号の受信電力の測定等によって周辺の無線基地局装置の探索を行ない、探索した無線基地局装置１０１Ｂに再接続するために、ＲＲＣコネクション再確立要求（RRC Connection Reestablishment Request）を送信する（ステップＳ５８）。
【０１３０】
次に、無線基地局装置１０１Ｂは、無線端末装置２０２からＲＲＣコネクション再確立要求を受信して、ＲＲＣコネクション再確立応答を無線端末装置２０２へ送信する（ステップＳ５９）。これにより、無線端末装置２０２および無線基地局装置１０１Ｂ間でＲＲＣコネクションが確立される。
【０１３１】
次に、無線端末装置２０２は、無線基地局装置１０１ＢへＲＲＣコネクション再確立完了通知（RRC Connection Reestablishment Complete）を送信する（ステップＳ６０）。
【０１３２】
このＲＲＣコネクション再確立完了通知は、たとえば”rlf-InfoAvailable”というパラメータを含む。無線端末装置２０２は、このパラメータを設定してＲＲＣコネクション再確立完了通知を送信する。これにより、無線基地局装置１０１Ｂは、当該無線端末装置２０２についてＲＬＦの発生があったことを認識する。無線基地局装置１０１Ｂは、ＲＬＦの詳細な情報を取得するため、端末情報要求（UE Information Request）を無線端末装置２０２へ送信する（ステップＳ６１）。
【０１３３】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ６２）。ＲＬＦレポートは、ＲＬＦの発生した無線基地局装置のＰＣＩ（Physical Cell ID）、ＲＲＣコネクション再確立の発生した無線基地局装置のＰＣＩおよびＥＣＧＩ（E- UTRAN Cell Global Identifier）ならびに自己の無線端末装置２０２のＣ−ＲＮＴＩ（Cell Radio Network Temporary Identifier）等を含む。ここでは、ＲＬＦ発生のＰＣＩは無線基地局装置１０１ＡのＩＤであり、ＲＲＣコネクション再確立発生のＰＣＩおよびＥＣＧＩは無線基地局装置１０１ＢのＩＤであり、Ｃ−ＲＮＴＩは無線基地局装置１０１Ａが付与したＩＤである。
【０１３４】
次に、無線基地局装置１０１Ｂは、無線端末装置２０２から受信したＲＬＦレポートのＰＣＩを参照することにより、無線基地局装置１０１ＡにおいてＲＬＦが発生したことを認識する。そして、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ａへ送信する（ステップＳ６３）。
【０１３５】
次に、無線基地局装置１０１Ａは、無線基地局装置１０１Ｂから受信したＲＬＦ通知のＰＣＩ、ＥＣＧＩおよびＣ−ＲＮＴＩを参照することにより、セルＣＢへの”Ｔｏｏ  Ｌａｔｅ  ＨＯ”が発生したことを認識する（ステップＳ６４）。
【０１３６】
次に、無線基地局装置１０１Ａは、セルＣＢへの”Ｔｏｏ  Ｌａｔｅ  ＨＯ”の発生が抑制されるように、ハンドオーバ動作の最適化処理を実行する（ステップＳ６５）。
【０１３７】
図５および図６は、本発明の第１の実施の形態に係る無線通信システムにおいて、不適切なハンドオーバ動作（Ｔｏｏ  Ｅａｒｌｙ  ＨＯ）が生じた状況の一例を示す図である。
【０１３８】
図５および図６を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【０１３９】
図７は、本発明の第１の実施の形態に係る無線通信システムにおける、不適切なハンドオーバ動作（Ｔｏｏ  Ｅａｒｌｙ  ＨＯ）およびその検出処理のシーケンスの一例を示す図である。
【０１４０】
”Ｔｏｏ  Ｅａｒｌｙ  ＨＯ”は、たとえば以下のような場合をいう。すなわち、無線端末装置２０２がハンドオーバ先の無線基地局装置に対する接続を成功した後、ＲＬＦが短時間で発生し、かつ、ハンドオーバ元の無線基地局装置に対して、当該無線端末装置２０２の接続再確立が生じた場合である。
【０１４１】
”Ｔｏｏ  Ｅａｒｌｙ  ＨＯ”の検出方法は、たとえば以下のようになる。すなわち、ハンドオーバ先の無線基地局装置１０１Ｂは、ＲＬＦレポートをハンドオーバ元の無線基地局装置１０１Ａから受信した場合において、当該受信タイミングからさかのぼって所定時間内に、当該無線端末装置２０２の自己へのハンドオーバの完了による端末情報解放指示を無線基地局装置１０１Ａへ送信していたときに、”Ｔｏｏ  Ｅａｒｌｙ  ＨＯ”である旨を無線基地局装置１０１Ａに通知する。
【０１４２】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”Ｔｏｏ  Ｅａｒｌｙ  ＨＯ”によってＲＬＦが発生したのかを判別することができる。
【０１４３】
ここでは、図５に示すように、無線端末装置２０２が、セルＣＡ内に位置し、無線基地局装置１０１Ａと通信中である状態から、セルＣＢ２内へ移動した場合（ステップＳ７０）を想定する。
【０１４４】
図５〜図７を参照して、まず、無線端末装置２０２は、無線基地局装置から送信される無線信号の受信電力を測定し、測定した受信電力の測定結果を示す測定結果通知を無線基地局装置１０１Ａ（Source eNB, Serving eNB)へ送信する（ステップＳ７１）。
【０１４５】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ７２）。
【０１４６】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ７３）。
【０１４７】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ７４）。
【０１４８】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ７５）。
【０１４９】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ７６）。
【０１５０】
次に、無線基地局装置１０１Ｂは、無線端末装置２０２からＲＲＣコネクション再構成完了通知を受信して、端末情報解放指示を無線基地局装置１０１Ａへ送信する（ステップＳ７７）。
【０１５１】
また、無線基地局装置１０１Ｂは、無線端末装置２０２のセルＣＢにおける滞在時間を計測するために、タイマをスタートさせる（ステップＳ７８）。
【０１５２】
次に、無線基地局装置１０１Ａは、無線基地局装置１０１Ｂから端末情報解放指示を受信して、無線端末装置２０２に関する情報（UE Context）を解放する（ステップＳ７９）。
【０１５３】
以上により、無線端末装置２０２の無線基地局装置１０１Ａから無線基地局装置１０１Ｂへのハンドオーバが完了する（ステップＳ８０）。
【０１５４】
ここで、無線端末装置２０２が、測定結果通知（Measurement Report）を無線基地局装置１０１Ｂへ送信する前に、セルＣＢの圏外かつセルＣＡの圏内に移動する（ステップＳ８１）。
【０１５５】
そうすると、無線端末装置２０２は、無線基地局装置１０１Ｂと通信できなくなることから、ＲＬＦが発生してしまう（ステップＳ８３）。
【０１５６】
次に、無線端末装置２０２は、ＲＬＦ発生を検出すると、無線信号の受信電力の測定等によって周辺の無線基地局装置の探索を行ない、探索した無線基地局装置１０１Ａに再接続するために、ＲＲＣコネクション再確立要求（RRC Connection Reestablishment Request）を送信する（ステップＳ８４）。
【０１５７】
次に、無線基地局装置１０１Ａは、当該無線端末装置２０２に関する情報（UE Context）を解放済みであり、保持していないことから、当該無線端末装置２０２からのＲＲＣコネクション再確立要求を受け入れることができず（ステップＳ８５）、ＲＲＣコネクション再確立拒絶を当該無線端末装置２０２へ送信する（ステップＳ８６）。
【０１５８】
次に、無線端末装置２０２は、ＲＲＣコネクション再確立拒絶を無線基地局装置１０１Ａから受信すると、無線基地局装置１０１Ａと通常の接続手順をスタートさせる（ステップＳ８７）。
【０１５９】
すなわち、まず、無線端末装置２０２は、ＲＲＣコネクション要求（RRC Connection Request）を無線基地局装置１０１Ａへ送信する（ステップＳ８８）。
【０１６０】
次に、無線基地局装置１０１Ａは、無線端末装置２０２からＲＲＣコネクション要求を受信して、ＲＲＣコネクション情報（RRC Connection Setup）を無線端末装置２０２へ送信する（ステップＳ８９）。
【０１６１】
次に、無線端末装置２０２は、無線基地局装置１０１ＡからＲＲＣコネクション情報を受信して、ＲＲＣコネクション完了通知（RRC Connection Setup Complete）を送信する（ステップＳ９０）。
【０１６２】
次に、無線基地局装置１０１Ａは、無線端末装置２０２からＲＲＣコネクション完了通知を受信して、セキュリティ情報（Security Mode Command）を無線端末装置２０２へ送信する（ステップＳ９１）。
【０１６３】
次に、無線端末装置２０２は、無線基地局装置１０１Ａからセキュリティ情報を受信して、セキュリティ完了通知（Security Mode Complete）を無線基地局装置１０１Ａへ送信する（ステップＳ９２）。
【０１６４】
次に、無線基地局装置１０１Ａは、無線端末装置２０２へＲＲＣコネクション再構成指示（RRC Connection Reconfiguration）を送信する（ステップＳ９３）。
【０１６５】
次に、無線端末装置２０２および無線基地局装置１０１Ａ間でＲＲＣコネクションが確立されると、無線端末装置２０２は、無線基地局装置１０１ＡへＲＲＣコネクション再構成完了通知（RRC Connection Reconfiguration Complete）を送信する（ステップＳ９４）。
【０１６６】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ａは、当該無線端末装置２０２についてＲＬＦの発生があったことを認識する。無線基地局装置１０１Ａは、ＲＬＦの詳細な情報を取得するため、端末情報要求（UE Information Request）を無線端末装置２０２へ送信する（ステップＳ９５）。
【０１６７】
次に、無線端末装置２０２は、無線基地局装置１０１Ａから端末情報要求を受信して、ＲＬＦレポートを含む端末情報応答（UE Information Response）を無線基地局装置１０１Ａへ送信する（ステップＳ９６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＡのＩＤであり、Ｃ−ＲＮＴＩは無線基地局装置１０１Ｂが付与したＩＤである。
【０１６８】
次に、無線基地局装置１０１Ａは、無線端末装置２０２から受信したＲＬＦレポートのＰＣＩを参照することにより、無線基地局装置１０１ＢにおいてＲＬＦが発生しことを認識し、セルＣＡへの”Ｔｏｏ  Ｌａｔｅ  ＨＯ”が発生したと判断する（ステップＳ９７）。
【０１６９】
次に、無線基地局装置１０１Ａは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ９８）。
【０１７０】
次に、無線基地局装置１０１Ｂは、無線基地局装置１０１ＡからＲＬＦ通知を受信すると、スタートさせておいたタイマを確認し、タイマが動作している場合、すなわちタイマをスタートさせてから所定時間経過していない場合には、セルＣＡへの”Ｔｏｏ  Ｌａｔｅ  ＨＯ”ではなく、セルＣＢへの”Ｔｏｏ  Ｅａｒｌｙ  ＨＯ”であると判断する。なお、無線基地局装置１０１Ｂは、無線基地局装置１０１ＡからＲＬＦ通知を受信したときにタイマが動作していない場合、すなわちタイマをスタートさせてから上記所定時間経過している場合には、セルＣＡへの”Ｔｏｏ  Ｌａｔｅ  ＨＯ”であると判断する。
【０１７１】
無線基地局装置１０１Ｂは、セルＣＢへの”Ｔｏｏ  Ｅａｒｌｙ  ＨＯ”であると判断すると（ステップＳ９９）、ハンドオーバレポートを無線基地局装置１０１Ａへ送信する（ステップＳ１００）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”Ｔｏｏ  Ｅａｒｌｙ  ＨＯ”を無線基地局装置１０１Ａに通知する。
【０１７２】
次に、無線基地局装置１０１Ａは、無線基地局装置１０１Ｂから当該ハンドオーバレポートを受信して、セルＣＢへの”Ｔｏｏ  Ｅａｒｌｙ  ＨＯ”が発生したことを認識し（ステップＳ１０１）、”Ｔｏｏ  Ｅａｒｌｙ  ＨＯ”の発生が抑制されるように、ハンドオーバ動作の最適化処理を実行する（ステップＳ１０２）。
【０１７３】
図８は、本発明の第１の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【０１７４】
図８を参照して、無線通信システムは、図１に示す無線通信システムと比べて、さらに、無線基地局装置１０１Ｃを備える。無線基地局装置１０１Ｃは、たとえばフェムト基地局、ピコ基地局またはマクロ基地局である。
【０１７５】
無線基地局装置１０１Ｃは、セルＣＣを形成し、セルＣＣ内に存在する無線端末装置２０２と無線信号を送受信することにより、当該無線端末装置２０２と通信することが可能である。
【０１７６】
図９は、本発明の第１の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【０１７７】
”ＨＯ  ｔｏ  Ｗｒｏｎｇ  Ｃｅｌｌ”は、たとえば以下のような場合をいう。すなわち、無線端末装置２０２がハンドオーバ先の無線基地局装置との接続に成功した後、短時間でＲＬＦが発生し、かつハンドオーバ元およびハンドオーバ先の無線基地局装置以外の無線基地局装置に対する、無線端末装置２０２の接続再確立が生じた場合である。
【０１７８】
”ＨＯ  ｔｏ  Ｗｒｏｎｇ  Ｃｅｌｌ”の検出方法は、たとえば以下のようになる。すなわち、ハンドオーバ先の無線基地局装置１０１Ｂは、ＲＬＦレポートをハンドオーバ元の無線基地局装置１０１Ａ以外の無線基地局装置１０１Ｃから受信した場合において、当該受信タイミングからさかのぼって所定時間内に、当該無線端末装置２０２の自己へのハンドオーバの完了による端末情報解放指示を無線基地局装置１０１Ａへ送信していたときに、”ＨＯ  ｔｏ  Ｗｒｏｎｇ  Ｃｅｌｌ”である旨を無線基地局装置１０１Ａに通知する。
【０１７９】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”ＨＯ  ｔｏ  Ｗｒｏｎｇ  Ｃｅｌｌ”によってＲＬＦが発生したのかを判別することができる。
【０１８０】
ここでは、図８に示すように、無線端末装置２０２が、セルＣＡ内に位置し、無線基地局装置１０１Ａと通信中である状態から、仮想セルＣＢＶおよびセルＣＡの重複領域へ移動した場合（ステップＳ１１０）を想定する。仮想セルＣＢＶは、無線基地局装置１０１Ａから無線基地局装置１０１Ｂへのハンドオーバを促進するために、パラメータであるオフセットＯＳＴに従ってセルＣＢから拡大された仮想的なセルである。この場合、オフセットＯＳＴは、無線基地局装置１０１Ａの保持するパラメータである。
【０１８１】
図８および図９を参照して、まず、無線端末装置２０２は、無線基地局装置から送信される無線信号の受信電力を測定し、測定した受信電力の測定結果を示す測定結果通知を無線基地局装置１０１Ａへ送信する（ステップＳ１１１）。
【０１８２】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ１１２）。
【０１８３】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ１１３）。
【０１８４】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ１１４）。
【０１８５】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ１１５）。
【０１８６】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ１１６）。
【０１８７】
次に、無線基地局装置１０１Ｂは、無線端末装置２０２からＲＲＣコネクション再構成完了通知を受信して、端末情報解放指示を無線基地局装置１０１Ａへ送信する（ステップＳ１１７）。
【０１８８】
また、無線基地局装置１０１Ｂは、無線端末装置２０２のセルＣＢにおける滞在時間を計測するために、タイマをスタートさせる（ステップＳ１１８）。
【０１８９】
次に、無線基地局装置１０１Ａは、無線基地局装置１０１Ｂから端末情報解放指示を受信して、無線端末装置２０２に関する情報（UE Context）を解放する（ステップＳ１１９）。
【０１９０】
以上により、無線端末装置２０２の無線基地局装置１０１Ａから無線基地局装置１０１Ｂへのハンドオーバが完了する（ステップＳ１２０）。
【０１９１】
ここで、無線端末装置２０２が、測定結果通知（Measurement Report）を無線基地局装置１０１Ｂへ送信する前に、セルＣＢの圏外、かつ仮想セルＣＢＶおよびセルＣＣの圏内に移動する（ステップＳ１２１）。
【０１９２】
そうすると、無線端末装置２０２は、無線基地局装置１０１Ｃ（Other eNB）から送信される無線信号の干渉が大きく、無線基地局装置１０１Ｂと通信できなくなることから、ＲＬＦが発生してしまう（ステップＳ１２３）。
【０１９３】
次に、無線端末装置２０２は、ＲＬＦ発生を検出すると、無線信号の受信電力の測定等によって周辺の無線基地局装置の探索を行なう。この場合、無線基地局装置１０１Ｃからの無線信号の受信電力が最大となることから、無線端末装置２０２は、探索した無線基地局装置１０１Ｃに再接続するために、ＲＲＣコネクション再確立要求（RRC Connection Reestablishment Request）を無線基地局装置１０１Ｃへ送信する（ステップＳ１２４）。
【０１９４】
次に、無線基地局装置１０１Ｃは、当該無線端末装置２０２に関する情報（UE Context）を保持していないことから、当該無線端末装置２０２からのＲＲＣコネクション再確立要求を受け入れることができず（ステップＳ１２５）、ＲＲＣコネクション再確立拒絶を当該無線端末装置２０２へ送信する（ステップＳ１２６）。
【０１９５】
次に、無線端末装置２０２は、ＲＲＣコネクション再確立拒絶を無線基地局装置１０１Ｃから受信して、無線基地局装置１０１Ｃと通常の接続手順をスタートさせる（ステップＳ１２７）。
【０１９６】
すなわち、まず、無線端末装置２０２は、ＲＲＣコネクション要求（RRC Connection Request）を無線基地局装置１０１Ｃへ送信する（ステップＳ１２８）。
【０１９７】
次に、無線基地局装置１０１Ｃは、無線端末装置２０２からＲＲＣコネクション要求を受信して、ＲＲＣコネクション情報（RRC Connection Setup）を無線端末装置２０２へ送信する（ステップＳ１２９）。
【０１９８】
次に、無線端末装置２０２は、無線基地局装置１０１ＣからＲＲＣコネクション情報を受信して、ＲＲＣコネクション完了通知（RRC Connection Setup Complete）を送信する（ステップＳ１３０）。
【０１９９】
次に、無線基地局装置１０１Ｃは、無線端末装置２０２からＲＲＣコネクション完了通知を受信して、セキュリティ情報（Security Mode Command）を無線端末装置２０２へ送信する（ステップＳ１３１）。
【０２００】
次に、無線端末装置２０２は、無線基地局装置１０１Ｃからセキュリティ情報を受信して、セキュリティ完了通知（Security Mode Complete）を無線基地局装置１０１Ｃへ送信する（ステップＳ１３２）。
【０２０１】
次に、無線基地局装置１０１Ｃは、無線端末装置２０２へＲＲＣコネクション再構成指示（RRC Connection Reconfiguration）を送信する（ステップＳ１３３）。
【０２０２】
次に、無線端末装置２０２および無線基地局装置１０１Ｃ間でＲＲＣコネクションが確立されると、無線端末装置２０２は、無線基地局装置１０１ＣへＲＲＣコネクション再構成完了通知（RRC Connection Reconfiguration Complete）を送信する（ステップＳ１３４）。
【０２０３】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ｃは、当該無線端末装置２０２についてＲＬＦの発生があったことを認識する。無線基地局装置１０１Ｃは、ＲＬＦの詳細な情報を取得するため、端末情報要求（UE Information Request）を無線端末装置２０２へ送信する（ステップＳ１３５）。
【０２０４】
次に、無線端末装置２０２は、無線基地局装置１０１Ｃから端末情報要求を受信して、ＲＬＦレポートを含む端末情報応答（UE Information Response）を無線基地局装置１０１Ｃへ送信する（ステップＳ１３６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＣのＩＤであり、Ｃ−ＲＮＴＩは無線基地局装置１０１Ｂが付与したＩＤである。
【０２０５】
次に、無線基地局装置１０１Ｃは、無線端末装置２０２から受信したＲＬＦレポートのＰＣＩを参照することにより、無線基地局装置１０１ＢにおいてＲＬＦが発生しことを認識し、セルＣＣへの”Ｔｏｏ  Ｌａｔｅ  ＨＯ”が発生したと判断する（ステップＳ１３７）。
【０２０６】
次に、無線基地局装置１０１Ｃは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ１３８）。
【０２０７】
次に、無線基地局装置１０１Ｂは、無線基地局装置１０１ＣからＲＬＦ通知を受信すると、スタートさせておいたタイマを確認し、タイマが動作している場合、すなわちタイマをスタートさせてから所定時間経過していない場合には、セルＣＣへの”Ｔｏｏ  Ｌａｔｅ  ＨＯ”ではないと判断し、さらに、無線基地局装置１０１Ａ以外の無線基地局装置１０１ＣからＲＬＦ通知を受信したことから、セルＣＢへの”Ｔｏｏ  Ｅａｒｌｙ  ＨＯ”ではなく、セルＣＢへの”ＨＯ  ｔｏ  Ｗｒｏｎｇ  Ｃｅｌｌ”であると判断する。なお、無線基地局装置１０１Ｂは、無線基地局装置１０１ＣからＲＬＦ通知を受信したときにタイマが動作していない場合、すなわちタイマをスタートさせてから上記所定時間経過している場合には、セルＣＣへの”Ｔｏｏ  Ｌａｔｅ  ＨＯ”であると判断する。
【０２０８】
無線基地局装置１０１Ｂは、セルＣＢへの”ＨＯ  ｔｏ  Ｗｒｏｎｇ  Ｃｅｌｌ”であると判断すると（ステップＳ１３９）、ハンドオーバレポートを無線基地局装置１０１Ａへ送信する（ステップＳ１４０）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”ＨＯ  ｔｏ  Ｗｒｏｎｇ  Ｃｅｌｌ”を無線基地局装置１０１Ａに通知する。
【０２０９】
次に、無線基地局装置１０１Ａは、無線基地局装置１０１Ｂから当該ハンドオーバレポートを受信して、セルＣＢへの”ＨＯ  ｔｏ  Ｗｒｏｎｇ  Ｃｅｌｌ”が発生したことを認識し（ステップＳ１４１）、”ＨＯ  ｔｏ  Ｗｒｏｎｇ  Ｃｅｌｌ”の発生が抑制されるように、ハンドオーバ動作の最適化処理を実行する（ステップＳ１４２）。
【０２１０】
以上のような”Ｔｏｏ  Ｌａｔｅ  ＨＯ”、”Ｔｏｏ  Ｅａｒｌｙ  ＨＯ”および”ＨＯ  ｔｏ  Ｗｒｏｎｇ  Ｃｅｌｌ”の他に、不適切なハンドオーバ動作として”Ｐｉｎｇ  Ｐｏｎｇ  ＨＯ”がある。
【０２１１】
これは、ある無線端末装置について、２つの無線基地局装置が互いに他の無線基地局装置へのハンドオーバを判断する場合である。この”Ｐｉｎｇ  Ｐｏｎｇ  ＨＯ”が発生すると、無線端末装置および無線基地局装置間の接続が切断されることはないが、当該無線端末装置についてはハンドオーバ動作のための処理が繰り返され、通話およびデータ通信を行なうことができなくなり、また、上位ネットワーク側の負荷が増大してしまう。
【０２１２】
［ハンドオーバ動作の制御パラメータ］
図１０は、本発明の第１の実施の形態に係る無線通信システムにおける、無線端末装置の受信品質のシミュレーション結果を示す図である。
【０２１３】
図１０は、無線端末装置２０２が、時速３０ｋｍでピコ基地局付近を通過し、マクロ基地局付近を通過するまでの１００秒間における無線端末装置２０２のＲＳＳＩ（Received Signal Strength Indication）を示している。
【０２１４】
図１０において、グラフＧ１およびＧ３は、マクロ基地局から送信される無線信号のＲＳＳＩを示し、グラフＧ２およびＧ４は、ピコ基地局から送信される無線信号のＲＳＳＩを示している。また、グラフＧ１およびＧ２は、シャドウィング、すなわち無線端末装置２０２および他の物体間の相対的な位置変化に起因する、当該無線端末装置２０２における無線信号の受信電力の時間的な変化を考慮したシミュレーション結果であり、グラフＧ３およびＧ４は、シャドウィングを考慮しないシミュレーション結果である。
【０２１５】
図１０を参照して、無線端末装置２０２のピコ基地局からマクロ基地局へのハンドオーバの理想位置は、グラフの交点付近すなわち移動時間が約１７秒となる位置である。しかしながら、実際には、無線端末装置２０２の未来の通信環境を無線通信システムにおいて把握することは困難であるため、各種測定結果等に基づいてハンドオーバ動作のタイミングを調整することにより、ハンドオーバ動作の最適化を図ることが重要である。
【０２１６】
また、移動時間が１５秒から２０秒の期間では、各無線基地局装置からの無線信号の強弱が入り組んでいるため、たとえば”Ｔｏｏ  Ｅａｒｌｙ  ＨＯ”または”Ｐｉｎｇ  Ｐｏｎｇ  ＨＯ”が発生しやすくなる。また、移動時間が２０秒となるタイミング付近では、ピコ基地局からの無線信号の受信電力が急に小さくなり、マクロ基地局からの無線信号の受信電力が急に大きくなり、ＳＩＮＲ（Signal to Interference-plus-Noise Ratio）が急激に悪化するため、”Ｔｏｏ  Ｌａｔｅ  ＨＯ”が発生しやすくなる。
【０２１７】
ここで、３ＧＰＰで規定されたハンドオーバの最適化を図るＭＲＯ（Mobility Robustness Optimization）の評価関数をＹ＝ＭＲＯ（Ｘ）とすると、Ｙは、たとえば”Ｔｏｏ  Ｌａｔｅ  ＨＯ”の発生頻度、”Ｔｏｏ  Ｅａｒｌｙ  ＨＯ”の発生頻度、”ＨＯ  ｔｏ  Ｗｒｏｎｇ  Ｃｅｌｌ”の発生頻度、”Ｐｉｎｇ  Ｐｏｎｇ  ＨＯ”等の不必要なハンドオーバの発生頻度、またはＲＲＣコネクション情報を送信した直後すなわち無線端末装置２０２が無線基地局装置に接続された直後のハンドオーバの発生頻度である。
【０２１８】
また、たとえば、Ｘは、電力測定処理（Measurement）用のパラメータであり、ヒステリシスＨＳ：０ｄＢ〜＋１５ｄＢ、ＴＴＴ（Time to Trigger）：０ｍｓ〜５１２０ｍｓ、またはオフセットＯＳＴ（Cell Individual Offset）：−２４ｄＢ〜＋２４ｄＢである。あるいは、Ｘは、セル再選択処理用のパラメータである。
【０２１９】
たとえば、ヒステリシスＨＳおよびＴＴＴは後述するイベントごとに設定可能であり、オフセットＯＳＴはサービング基地局の形成するサービングセル、および周辺セルごとに設定可能である。
【０２２０】
ここでは、無線基地局装置は、無線端末装置２０２の上り送信負荷を軽減するために、測定結果通知（Measurement Report）を受信するとハンドオーバの判断を行なうものとする。すなわち、測定結果通知の送信タイミングとハンドオーバのタイミングとが対応するものとする。
【０２２１】
以下、測定結果通知を送信する各種イベントと電力測定処理のパラメータとの関係について説明する。
【０２２２】
図１１は、本発明の第１の実施の形態に係る無線通信システムにおいて、無線端末装置が測定結果通知を送信するイベントＡ１を示す図である。図１１において、横軸は時間であり、縦軸は無線端末装置２０２における無線信号の受信電力またはＳＩＮＲであり、ＳＶＣはサービングセルの受信電力またはＳＩＮＲすなわちサービング基地局が送信する無線信号の受信電力またはＳＩＮＲである。
【０２２３】
図１１を参照して、イベントＡ１では、閾値Ｔｈに対して正負の方向にヒステリシスＨＳが設定される。
【０２２４】
無線端末装置２０２は、サービングセルの受信電力またはＳＩＮＲが（Ｔｈ＋ＨＳ）よりも大きくなると、レポートオン状態へ遷移する（タイミングＴ１）。
【０２２５】
そして、無線端末装置２０２は、受信電力またはＳＩＮＲが（Ｔｈ−ＨＳ）よりも大きい、という条件が満たされた状態でタイミングＴ１からＴＴＴ経過すると、測定結果通知を送信する（タイミングＴ２）。
【０２２６】
次に、無線端末装置２０２は、当該条件が満たされた状態でタイミングＴ２からＴＴＴ経過すると、測定結果通知を送信する（タイミングＴ３）。
【０２２７】
次に、無線端末装置２０２は、タイミングＴ３からＴＴＴ経過するまでに当該条件が満たされなくなると、測定結果通知を送信せず、レポートオフ状態へ遷移する（タイミングＴ４）。
【０２２８】
ここで、無線端末装置２０２は、レポートオン状態およびレポートオフ状態間の遷移とは無関係に、たとえば周期的に電力測定処理を行なっており、直近の測定結果を測定結果通知として送信する。また、たとえば、無線端末装置２０２は、受信電力およびＳＩＮＲの各々について独立にレポートオン状態およびレポートオフ状態間の遷移を行なう。すなわち、無線端末装置２０２は、受信電力およびＳＩＮＲの一方について条件を満たせば、測定結果通知を送信する。
【０２２９】
図１２は、本発明の第１の実施の形態に係る無線通信システムにおいて、無線端末装置が測定結果通知を送信するイベントＡ２を示す図である。図の見方は図１１と同様である。
【０２３０】
図１２を参照して、イベントＡ２では、閾値Ｔｈに対して正負の方向にヒステリシスＨＳが設定される。
【０２３１】
無線端末装置２０２は、サービングセルの受信電力またはＳＩＮＲが（Ｔｈ−ＨＳ）よりも小さくなると、レポートオン状態へ遷移する（タイミングＴ１１）。
【０２３２】
そして、無線端末装置２０２は、受信電力またはＳＩＮＲが（Ｔｈ＋ＨＳ）よりも小さい、という条件が満たされた状態でタイミングＴ１１からＴＴＴ経過すると、測定結果通知を送信する（タイミングＴ１２）。
【０２３３】
次に、無線端末装置２０２は、当該条件が満たされた状態でタイミングＴ１２からＴＴＴ経過すると、測定結果通知を送信する（タイミングＴ１３）。
【０２３４】
次に、無線端末装置２０２は、タイミングＴ１３からＴＴＴ経過するまでに当該条件が満たされなくなると、測定結果通知を送信せず、レポートオフ状態へ遷移する（タイミングＴ１４）。
【０２３５】
図１３は、本発明の第１の実施の形態に係る無線通信システムにおいて、無線端末装置が測定結果通知を送信するイベントＡ３を示す図である。図１３において、横軸は時間であり、縦軸は無線端末装置２０２における無線信号の受信電力またはＳＩＮＲであり、ＳＶＣはサービングセルの受信電力またはＳＩＮＲであり、ＮＢＣは周辺セルの受信電力またはＳＩＮＲすなわち周辺基地局が送信する無線信号の受信電力またはＳＩＮＲである。
【０２３６】
図１３を参照して、イベントＡ３では、サービングセルの受信電力またはＳＩＮＲに対してオフセットＯＳＴ１が正方向に設定されており、さらに、正負の方向にヒステリシスＨＳが設定される。また、周辺セルの受信電力またはＳＩＮＲに対してオフセットＯＳＴ２が正方向に設定される。
【０２３７】
無線端末装置２０２は、｛（周辺セルの受信電力またはＳＩＮＲ）＋ＯＳＴ２｝が｛（サービングセルの受信電力またはＳＩＮＲ）＋ＯＳＴ１＋ＨＳ｝よりも大きくなると、レポートオン状態へ遷移する（タイミングＴ２１）。
【０２３８】
そして、無線端末装置２０２は、｛（周辺セルの受信電力またはＳＩＮＲ）＋ＯＳＴ２｝が｛（サービングセルの受信電力またはＳＩＮＲ）＋ＯＳＴ１−ＨＳ｝よりも大きい、という条件が満たされた状態でタイミングＴ２１からＴＴＴ経過すると、測定結果通知を送信する（タイミングＴ２２）。
【０２３９】
次に、無線端末装置２０２は、当該条件が満たされた状態でタイミングＴ２２からＴＴＴ経過すると、測定結果通知を送信する（タイミングＴ２３）。
【０２４０】
次に、無線端末装置２０２は、タイミングＴ２３からＴＴＴ経過するまでに当該条件が満たされなくなると、測定結果通知を送信せず、レポートオフ状態へ遷移する（タイミングＴ２４）。
【０２４１】
図１４は、本発明の第１の実施の形態に係る無線通信システムにおいて、無線端末装置が測定結果通知を送信するイベントＡ４を示す図である。図の見方は図１３と同様である。
【０２４２】
図１４を参照して、イベントＡ４では、周辺セルの受信電力またはＳＩＮＲに対してオフセットＯＳＴが正方向に設定されており、閾値Ｔｈに対して正負の方向にヒステリシスＨＳが設定される。
【０２４３】
無線端末装置２０２は、｛（周辺セルの受信電力またはＳＩＮＲ）＋ＯＳＴ｝が（Ｔｈ＋ＨＳ）よりも大きくなると、レポートオン状態へ遷移する（タイミングＴ３１）。
【０２４４】
そして、無線端末装置２０２は、｛（周辺セルの受信電力またはＳＩＮＲ）＋ＯＳＴ｝が（Ｔｈ−ＨＳ）よりも大きい、という条件が満たされた状態でタイミングＴ３１からＴＴＴ経過すると、測定結果通知を送信する（タイミングＴ３２）。
【０２４５】
次に、無線端末装置２０２は、当該条件が満たされた状態でタイミングＴ３２からＴＴＴ経過すると、測定結果通知を送信する（タイミングＴ３３）。
【０２４６】
次に、無線端末装置２０２は、タイミングＴ３３からＴＴＴ経過するまでに当該条件が満たされなくなると、測定結果通知を送信せず、レポートオフ状態へ遷移する（タイミングＴ３４）。
【０２４７】
図１５は、本発明の第１の実施の形態に係る無線通信システムにおいて、無線端末装置が測定結果通知を送信するイベントＡ５を示す図である。図の見方は図１３と同様である。
【０２４８】
図１５を参照して、イベントＡ５では、周辺セルの受信電力またはＳＩＮＲに対してオフセットＯＳＴが正方向に設定されており、閾値Ｔｈ１に対して正負の方向にヒステリシスＨＳ１が設定されており、閾値Ｔｈ２に対して正負の方向にヒステリシスＨＳ２が設定される。
【０２４９】
無線端末装置２０２は、サービングセルの受信電力またはＳＩＮＲが（Ｔｈ１−ＨＳ１）よりも小さくなり、かつ｛（周辺セルの受信電力またはＳＩＮＲ）＋ＯＳＴ｝が（Ｔｈ２＋ＨＳ２）よりも大きくなると、レポートオン状態へ遷移する（タイミングＴ４１）。
【０２５０】
そして、無線端末装置２０２は、サービングセルの受信電力またはＳＩＮＲが（Ｔｈ１＋ＨＳ１）よりも小さく、かつ｛（周辺セルの受信電力またはＳＩＮＲ）＋ＯＳＴ｝が（Ｔｈ２−ＨＳ２）よりも大きい、という条件が満たされた状態でタイミングＴ４１からＴＴＴ経過すると、測定結果通知を送信する（タイミングＴ４２）。
【０２５１】
次に、無線端末装置２０２は、タイミングＴ４２からＴＴＴ経過するまでに当該条件が満たされなくなると、測定結果通知を送信せず、レポートオフ状態へ遷移する（タイミングＴ４３）。
【０２５２】
以上のように、イベントＡ１〜Ａ５で説明したパラメータ、すなわちヒステリシスＨＳ、ＴＴＴおよびオフセットＯＳＴを調整すれば、無線端末装置２０２のハンドオーバ動作のタイミングを制御することが可能である。
【０２５３】
図１６は、本発明の第１の実施の形態に係る無線通信システムにおいて、ヒステリシスＨＳの調整によるハンドオーバ動作のタイミング制御を示す図である。図１６は、イベントＡ３の場合を示す。
【０２５４】
図１６を参照して、ヒステリシスＨＳをゼロに設定した場合には、タイミングＴ５１においてレポ−トオン状態へ遷移し、タイミングＴ５３において測定結果通知が送信され、タイミングＴ５５においてレポートオフ状態へ遷移する。
【０２５５】
これに対して、ヒステリシスＨＳをゼロより大きく設定した場合には、タイミングＴ５１より後のタイミングＴ５２においてレポ−トオン状態へ遷移し、タイミングＴ５３より後のタイミングＴ５４において測定結果通知が送信され、タイミングＴ５５より後のタイミングＴ５６においてレポートオフ状態へ遷移する。
【０２５６】
すなわち、ヒステリシスＨＳを大きくすると、測定結果通知の送信タイミングすなわちハンドオーバ動作のタイミングを遅くすることができる。
【０２５７】
図１７は、本発明の第１の実施の形態に係る無線通信システムにおいて、ＴＴＴの調整によるハンドオーバ動作のタイミング制御を示す図である。図１７は、イベントＡ３の場合を示す。
【０２５８】
図１７を参照して、ＴＴＴを小さく設定した場合には、タイミングＴ６２において測定結果通知が送信される。
【０２５９】
これに対して、ＴＴＴを大きく設定した場合には、タイミングＴ６１より後のタイミングＴ６３において測定結果通知が送信される。
【０２６０】
すなわち、ＴＴＴを大きくすると、測定結果通知の送信タイミングすなわちハンドオーバ動作のタイミングを遅くすることができる。
【０２６１】
図１８は、本発明の第１の実施の形態に係る無線通信システムにおいて、オフセットＯＳＴの調整によるハンドオーバ動作のタイミング制御を示す図である。図１８は、イベントＡ３の場合を示す。
【０２６２】
図１８を参照して、オフセットＯＳＴをゼロに設定した場合には、タイミングＴ７１においてレポ−トオン状態へ遷移し、タイミングＴ７３において測定結果通知が送信され、タイミングＴ７６においてレポートオフ状態へ遷移する。
【０２６３】
これに対して、オフセットＯＳＴをゼロより小さく設定した場合には、タイミングＴ７１より後のタイミングＴ７２においてレポ−トオン状態へ遷移し、タイミングＴ７３より後のタイミングＴ７４において測定結果通知が送信され、タイミングＴ７６より前のタイミングＴ７５においてレポートオフ状態へ遷移する。
【０２６４】
すなわち、オフセットＯＳＴを小さくすると、測定結果通知の送信タイミングすなわちハンドオーバ動作のタイミングを遅くすることができる。また、レポートオフ状態からレポートオン状態への遷移が遅くなり、かつレポートオン状態からレポートオフ状態への遷移が早くなる。
【０２６５】
以上のように、ヒステリシスＨＳを大きくするか、ＴＴＴを大きくするか、あるいはオフセットＯＳＴを小さくすることにより、ハンドオーバ動作のタイミングが遅くなる。すなわち、無線端末装置２０２がサービング基地局に接続される時間が長くなることから、”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”の発生頻度が減り、”Ｔｏｏ  Ｌａｔｅ  ＨＯ”の発生頻度が増えることになる。
【０２６６】
ここで、ヒステリシスＨＳ、ＴＴＴおよびオフセットＯＳＴを調整する効果の違いについて考察する。
【０２６７】
いずれのパラメータを調整しても、ハンドオーバのタイミングを調整することができるが、これらの効果は、干渉を含む地形、および無線端末装置の移動速度等によって異なる。
【０２６８】
ヒステリシスＨＳおよびオフセットＯＳＴを調整することは、セルを仮想的に大きくしたり小さくしたりして、ハンドオーバの行なわれる位置を調整することに相当する。たとえば、サービングセルのヒステリシスＨＳを大きくすることにより、無線信号の受信電力を大きく見せて、他セルへのハンドオーバが行なわれにくくする。また、周辺セルのオフセットＯＳＴを負の値に設定することにより、周辺セルからの無線信号の受信電力を小さく見せて、他セルへのハンドオーバが行なわれにくくする。
【０２６９】
また、ヒステリシスＨＳおよびオフセットＯＳＴは、無線端末装置の移動速度による影響を受けにくいパラメータである。
【０２７０】
ここで、無線基地局装置から無線端末装置２０２へ送信される測定開始要求（Measurement Configuration）およびＲＲＣコネクション再構成指示（RRC Connection Reconfiguration）には、たとえば、周辺セルごとにオフセットＯＳＴが設定され、イベントＡ１〜Ａ５のうちの少なくとも１つが設定され、設定イベントに対応するヒステリシスＨＳおよびＴＴＴが設定される。
【０２７１】
［無線基地局装置］
図１９は、本発明の第１の実施の形態に係る無線基地局装置の構成を示す図である。
【０２７２】
図１９を参照して、無線基地局装置１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０２７３】
サーキュレータ９２は、アンテナ９１において受信された無線端末装置２０２からの無線信号を無線受信部９３へ出力し、また、無線送信部９４から受けた無線信号をアンテナ９１へ出力する。
【０２７４】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０２７５】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【０２７６】
送信信号処理部９７は、コアネットワーク側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０２７７】
無線送信部９４は、送信信号処理部９７から受けたデジタル信号をアナログ信号に変換し、変換したアナログ信号を無線信号に周波数変換してサーキュレータ９２へ出力する。
【０２７８】
制御部９８は、無線基地局装置１０１における各ユニットおよびコアネットワークとの間で各種情報をやり取りする。
【０２７９】
図３〜図９では、不適切なハンドオーバ動作およびその検出処理について説明した。不適切なハンドオーバ動作を検出した場合、前述のように無線基地局装置は、ヒステリシスＨＳ、オフセットＯＳＴおよびＴＴＴ等のパラメータを調整することにより、ハンドオーバ動作を最適化する。
【０２８０】
しかしながら、たとえば”Ｔｏｏ  Ｌａｔｅ  ＨＯ”と”Ｔｏｏ  Ｅａｒｌｙ  ＨＯ”とは相反する事象であり、パラメータの調整についてトレードオフの関係にあるため、バランスよく調整することが困難な場合もある。このようなパラメータ調整の代わりに、あるいはパラメータ調整に加えて、不適切なハンドオーバ動作を抑制する手法が望まれる。
【０２８１】
図２では、本発明の第１の実施の形態に係る無線通信システムにおけるハンドオーバ動作のシーケンスの一例を説明した。このシーケンスにおいて、無線基地局装置１０１Ａがハンドオーバ動作を行なうべきであると判断する元となる測定結果通知を無線端末装置２０２が送信してから、コアネットワーク側の準備処理すなわち無線基地局装置１０１Ａと上位装置および無線基地局装置１０１Ｂとの各種情報のやり取りが行われ、その後無線基地局装置１０１Ａが無線端末装置２０２へＲＲＣコネクション再構成指示を送信する処理を行なうまでの準備期間Ｔ１０１を考える。図２に示すシーケンスでは、準備期間Ｔ１０１において無線端末装置２０２の電波環境が劣化すると、”Ｔｏｏ  Ｌａｔｅ  ＨＯ”が発生する可能性がある。特に、コアネットワーク側の準備処理では、一般の通信回線を経由して情報が送受信される場合が多いことから、当該準備処理の完了までに長時間を要し、準備期間Ｔ１０１が大幅に長くなる可能性がある。
【０２８２】
そこで、本発明の第１の実施の形態に係る無線通信システムでは、以下のような構成により、”Ｔｏｏ  Ｌａｔｅ  ＨＯ”を効果的に抑制する。
【０２８３】
図２０は、本発明の第１の実施の形態に係る無線基地局装置における制御部の構成を示す図である。
【０２８４】
図２０を参照して、制御部９８は、ハンドオーバ要求部１１と、ハンドオーバ指示部１２と、ハンドオーバ条件調整部１３と、ハンドオーバ情報取得部１４と、端末測定結果取得部１５とを含む。
【０２８５】
端末測定結果取得部１５は、無線端末装置２０２からの測定結果通知を取得し、取得した測定結果通知から自己の無線基地局装置１０１および無線端末装置２０２間の通信品質を求め、当該通信品質をハンドオーバ要求部１１およびハンドオーバ指示部１２に通知する。
【０２８６】
ハンドオーバ要求部１１は、自己の無線基地局装置１０１から他の無線基地局装置への無線端末装置２０２のハンドオーバ動作を行なう要求を他の無線基地局装置に対して行なう、すなわちハンドオーバ要求を他の無線基地局装置へ送信する。たとえば、ハンドオーバ要求部１１は、自己の無線基地局装置１０１および無線端末装置２０２間の通信品質に関する所定のハンドオーバ準備条件が満たされる場合に、上記要求を他の無線基地局装置に対して行なう。
【０２８７】
ハンドオーバ指示部１２は、上記要求に対する他の無線基地局装置からの応答を受けて、無線端末装置２０２に対して自己の無線基地局装置１０１から他の無線基地局装置へのハンドオーバ動作を行なう指示を与える、すなわちＲＲＣコネクション再構成指示を無線端末装置２０２へ送信する。ここで、ハンドオーバ指示部１２は、上記応答を受けて、自己の無線基地局装置１０１および無線端末装置２０２間の通信品質に関するハンドオーバ実行条件が満たされていない場合には、無線端末装置２０２に対する上記指示の付与を中止するかまたは保留する。たとえば、ハンドオーバ指示部１２は、所定のハンドオーバ実行条件が満たされていない場合には、無線端末装置２０２に対して上記指示を与えず、ハンドオーバ動作を中止する旨を他の無線基地局装置に通知する。
【０２８８】
図２１は、本発明の第１の実施の形態に係る無線通信システムにおけるハンドオーバ動作のシーケンスの一例を示す図である。
【０２８９】
ここでは、図１に示すように、無線端末装置２０２が、セルＣＡ内に位置し、無線基地局装置１０１Ａと通信中である状態から、セルＣＡおよびセルＣＢの重複領域へ移動した場合を想定する。
【０２９０】
図２１を参照して、まず、無線基地局装置１０１Ａは、自己と通信中の無線端末装置２０２の測定対象となる周波数と、当該周波数の無線信号を送信する他の無線基地局装置とを設定する（ステップＳ１６１）。
【０２９１】
次に、無線基地局装置１０１Ａは、設定した他の無線基地局装置から送信される無線信号の受信レベルを無線端末装置２０２に測定させるための測定開始要求を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ１６２）。
【０２９２】
次に、無線端末装置２０２は、無線基地局装置１０１Ａから測定開始要求を受信して、電力測定処理を開始する、すなわち受信した測定開始要求の示す周波数において、測定開始要求の示す無線基地局装置から送信される無線信号の受信電力を測定する（ステップＳ１６３）。
【０２９３】
次に、無線端末装置２０２は、この受信電力の測定結果を示す測定結果通知を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ１６４）。
【０２９４】
次に、無線基地局装置１０１Ａは、無線端末装置２０２から受信した測定結果通知に基づいて、セルＩＤごとの測定結果を示す測定情報を取得し、図示しない記憶部に保存する（ステップＳ１６５）。
【０２９５】
次に、無線基地局装置１０１Ａは、無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバの準備処理を行なうべきであると判断し、周辺セル情報を参照してたとえば無線基地局装置１０１Ｂをハンドオーバ先として決定する（ステップＳ１６６）。
【０２９６】
次に、無線基地局装置１０１Ａは、無線基地局装置１０１Ｂを示すハンドオーバ要求を上位装置へ送信する（ステップＳ１６７）。
【０２９７】
次に、上位装置は、無線基地局装置１０１Ａからハンドオーバ要求を受信して、無線基地局装置１０１Ｂへ当該ハンドオーバ要求を送信する（ステップＳ１６８）。
【０２９８】
次に、無線基地局装置１０１Ｂは、上位装置からハンドオーバ要求を受信して、上位装置へ当該ハンドオーバ要求に対するハンドオーバ応答を送信する（ステップＳ１６９）。
【０２９９】
次に、上位装置は、無線基地局装置１０１Ｂからハンドオーバ応答を受信して、無線基地局装置１０１Ａへハンドオーバ指示を送信する（ステップＳ１７０）。
【０３００】
以上のような準備処理が実行されている間に、無線端末装置２０２は、新たな測定結果通知を無線基地局装置１０１Ａへ送信する（ステップＳ１７１）。
【０３０１】
そして、無線基地局装置１０１Ａは、無線端末装置２０２から受信した測定結果通知に基づいて、自己および当該無線端末装置２０２間の通信品質を新たに取得する。このようにして、無線基地局装置１０１Ａは、測定結果通知を受信するたびに上記通信品質を更新する（ステップＳ１７２）。
【０３０２】
次に、無線基地局装置１０１Ａは、上位装置からハンドオーバ指示を受信して、新たに取得した通信品質が所定のハンドオーバ実行条件を満たす場合には、当該無線端末装置２０２のハンドオーバ動作を実行すべきであると判断する（ステップＳ１７３）。
【０３０３】
次に、無線基地局装置１０１Ａは、当該無線端末装置２０２へＲＲＣコネクション再構成指示を送信する（ステップＳ１７４）。
【０３０４】
次に、無線基地局装置１０１Ａは、上位装置へ自己の通信状態等を示す状態通知を送信する（ステップＳ１７５）。
【０３０５】
次に、上位装置は、無線基地局装置１０１Ａから状態通知を受信して、無線基地局装置１０１Ｂへ無線端末装置２０２との通信内容等を示す状態通知を送信する（ステップＳ１７６）。
【０３０６】
また、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ１７７）。
【０３０７】
次に、無線基地局装置１０１Ｂは、無線端末装置２０２からＲＲＣコネクション再構成完了通知を受信して、上位装置へハンドオーバ完了通知を送信する（ステップＳ１７８）。
【０３０８】
次に、上位装置は、無線基地局装置１０１Ｂからハンドオーバ完了通知を受信して、端末情報解放指示を無線基地局装置１０１Ａへ送信する（ステップＳ１７９）。
【０３０９】
次に、無線基地局装置１０１Ａは、上位装置から端末情報解放指示を受信して、無線端末装置２０２に関する情報を解放し、上位装置へ端末情報解放完了通知を送信する（ステップＳ１８０）。
【０３１０】
図２２は、本発明の第１の実施の形態に係る無線通信システムにおけるハンドオーバ動作のシーケンスの一例を示す図である。図２２は、ハンドオーバ動作を中止するシーケンスの一例を示す。図２２において想定するケースは図２１と同様である。
【０３１１】
図２２を参照して、ステップＳ１９１〜Ｓ２０２の動作は、図２１に示すステップＳ１６１〜Ｓ１７２の動作と同様であるため、ここでは詳細な説明を繰り返さない。
【０３１２】
次に、無線基地局装置１０１Ａは、上位装置からハンドオーバ指示を受信して、最後に取得した通信品質が所定のハンドオーバ実行条件を満たさない場合には、当該無線端末装置２０２のハンドオーバ動作を実行すべきでなく、準備処理の行われたハンドオーバ動作を中止すべきであると判断する（ステップＳ２０３）。
【０３１３】
次に、無線基地局装置１０１Ａは、上位装置へハンドオーバ中止通知を送信する（ステップＳ２０４）。
【０３１４】
ここで、無線基地局装置１０１Ａにおいて、ハンドオーバ指示部１２は、ハンドオーバ動作の中止を無線基地局装置１０１Ｂに通知する際、自己の無線基地局装置１０１Ａおよび無線端末装置２０２間の通信品質が条件を満たしていない旨を上位装置および無線基地局装置１０１Ｂに通知する。
【０３１５】
具体的には、無線基地局装置１０１Ａは、無線端末装置２０２との通信品質が原因でハンドオーバ動作を中止する旨を示すフラグをハンドオーバ中止通知において設定し、上位装置および無線基地局装置１０１Ｂへ送信する。
【０３１６】
これにより、上位装置および無線基地局装置１０１Ｂは、たとえばハンドオーバ動作に関するパラメータ設定の誤り等によってハンドオーバ動作が中止された事象との区別をつけることができる。このため、上位装置および無線基地局装置１０１Ｂにおいて、新たなパラメータ設定処理等の不要な処理の発生を防ぎ、かつハンドオーバ動作のために確保した各種リソースの解放を適切に行なうことができる。
【０３１７】
上位装置は、無線基地局装置１０１Ａからハンドオーバ中止通知を受信して、必要であれば当該ハンドオーバ中止通知に対応するハンドオーバ動作について、保持情報の消去等のハンドオーバ中止処理を行なうとともに、無線基地局装置１０１Ｂへ当該ハンドオーバ中止通知を送信する（ステップＳ２０５）。
【０３１８】
次に、無線基地局装置１０１Ｂは、ハンドオーバ中止通知を受信して、当該ハンドオーバ中止通知に対応するハンドオーバ動作について、保持情報の消去等のハンドオーバ中止処理を行なう（ステップＳ２０６）。
【０３１９】
図２１および図２２に示すシーケンスにおける無線基地局装置および無線端末装置間の通信品質の具体例として、たとえば、無線基地局装置１０１は、イベントＡ３の条件式を利用して、ハンドオーバ実行条件およびハンドオーバ準備条件を設定する。すなわち、無線基地局装置１０１は、以下の式を満たす場合にハンドオーバ動作の実行を判断する。
（サービングセルの受信電力＋サービングセルのオフセットＯＳＴ１＋ヒステリシスＨＳ）＜（周辺セルの受信電力＋周辺セルのオフセットＯＳＴ２）
【０３２０】
また、無線基地局装置１０１は、以下の式を満たす場合に、ハンドオーバ動作の準備開始を判断する。ただし、制御値Ｐはゼロ以上の値である。
（サービングセルの受信電力＋サービングセルのオフセットＯＳＴ１＋ヒステリシスＨＳ）＜（周辺セルの受信電力＋周辺セルのオフセットＯＳＴ２＋制御値Ｐ）
【０３２１】
この式において、制御値Ｐを大きくすることにより、ハンドオーバ動作の準備開始タイミングが早くなる。これにより、ハンドオーバ動作の実行タイミングを早め、”Ｔｏｏ  Ｌａｔｅ  ＨＯ”を抑制することができる。
【０３２２】
ただし、制御値Ｐを大きくしすぎると、ハンドオーバ動作が実行されずに当該ハンドオーバ動作の準備処理が無駄になる場合が増える。このような場合には、制御値Ｐを小さくすることにより、ハンドオーバ動作の準備開始タイミングがハンドオーバ動作の実行タイミングに近づくことになり、無駄な準備処理が行われる可能性を低くすることができる。
【０３２３】
また、制御値Ｐを正の値に設定すると、ハンドオーバ準備条件の示す通信品質は、ハンドオーバ実行条件の示す通信品質と比べて良い品質となる。すなわち、ハンドオーバ準備条件は、ハンドオーバ実行条件と比べて、無線端末装置２０２による自己の無線基地局装置１０１から他の無線基地局装置へのハンドオーバ動作を行なう必要性の低い条件となる。この場合、無線基地局装置１０１Ａは、ハンドオーバ動作の準備処理開始時と比べて、上位装置からのハンドオーバ指示の受信時において把握している最新の通信品質が制御値Ｐ相当分以上劣化している場合に、ハンドオーバ動作を実行すべきであると判断する。すなわち、制御値Ｐを正の値に設定する場合、ハンドオーバ動作の実行判断の基準となる通信品質よりも緩やかな条件で前もってハンドオーバ動作の準備処理を行なうことができるため、無線端末装置２０２の電波環境の変化に対して迅速にハンドオーバ動作を実行することが可能となる。
【０３２４】
また、制御値Ｐをゼロに設定すると、ハンドオーバ準備条件の示す通信品質は、ハンドオーバ実行条件の示す通信品質と同等となる。この場合、無線基地局装置１０１Ａは、ハンドオーバ動作の準備処理開始時と比べて、上位装置からのハンドオーバ指示の受信時において把握している最新の通信品質が良好になっている場合に、ハンドオーバ動作を中止すべきであると判断する。すなわち、制御値Ｐをゼロに設定する場合、無線端末装置２０２の電波環境の好転によって行なう必要のなくなったハンドオーバ動作を適切に中止することが可能となる。
【０３２５】
また、無線基地局装置１０１において、ハンドオーバ条件調整部１３は、ハンドオーバ実行条件の示す通信品質およびハンドオーバ準備条件の示す通信品質の差を調整可能である。
【０３２６】
たとえば、ハンドオーバ情報取得部１４は、ハンドオーバ指示部１２によってハンドオーバ動作の中止が他の無線基地局装置に通知された回数を取得する。そして、ハンドオーバ条件調整部１３は、ハンドオーバ情報取得部１４によって取得された回数に基づいて上記通信品質の差を調整する。
【０３２７】
あるいは、ハンドオーバ情報取得部１４は、無線端末装置２０２による自己の無線基地局装置１０１から他の無線基地局装置へのハンドオーバ動作が不適切であった回数を取得する。そして、ハンドオーバ条件調整部１３は、ハンドオーバ情報取得部１４によって取得された回数に基づいて上記通信品質の差を調整する。
【０３２８】
具体的には、ハンドオーバ条件調整部１３は、以下のような式に従って制御値Ｐを調整する。ただし、Ｗ１およびＷ２は重み付け係数であり、それぞれ正の値および負の値である。
Ｐ＝Ｗ１×”Ｔｏｏ  Ｌａｔｅ  ＨＯ”の回数＋Ｗ２×無駄な準備処理が行われた回数（ハンドオーバ動作の中止回数）
【０３２９】
なお、上記各回数は、ある無線基地局装置において、１つの他の無線基地局装置についての回数に限らず、複数の他の無線基地局装置についての合計回数とすることも可能である。
【０３３０】
また、無線基地局装置１０１は、たとえばＣＱＩレポートの値を通信品質として利用してもよい。
【０３３１】
ＣＱＩレポートは、直接現在の各セルにおける電波状況を通知するものではなく、ＳＩＮＲを用いた以下の式により０〜１５の１６段階で表現される値である。ＣＱＩ＝０の場合、無線端末装置２０２の受信品質が最も悪く、ＣＱＩ＝１５の場合、無線端末装置２０２の受信品質が最も良い。
ＣＱＩ＝ｍｉｎ（ｍａｘ（ｒｏｕｎｄ（（ＳＩＮＲ［ｄＢ］＋８）／１．８９２），０），１５）
【０３３２】
また、無線基地局装置１０１は、ハンドオーバ要求に対する他の無線基地局装置からの応答を受けてから、通信品質がハンドオーバ実行条件を満たすまで待機する構成であってもよい。すなわち、無線基地局装置１０１において、ハンドオーバ指示部１２は、他の無線基地局装置からの応答を受けて、ハンドオーバ実行条件が満たされていない場合には、ハンドオーバ実行条件が満たされるまで待機する。そして、ハンドオーバ指示部１２は、ハンドオーバ実行条件が満たされると無線端末装置２０２に対してハンドオーバ動作の指示を与える。一方、ハンドオーバ指示部１２は、ハンドオーバ実行条件が満たされる前に通信品質に関する所定のハンドオーバ中止条件が満たされた場合には、無線端末装置２０２に対してハンドオーバ動作の指示を与えず、ハンドオーバ動作を中止する旨を他の無線基地局装置に通知する。
【０３３３】
すなわち、無線基地局装置１０１は、ハンドオーバ動作の準備処理の完了後、無線端末装置２０２からたとえば周期的に到着する測定結果通知に基づいて自己および当該無線端末装置２０２間の通信品質を監視し、当該通信品質がハンドオーバ実行条件を満たした時点で、無線端末装置２０２に対してハンドオーバ動作の指示を与える。
【０３３４】
これにより、ハンドオーバ動作の準備処理の開始タイミングを早めるほど、最適なタイミングでハンドオーバ動作を実行できる可能性が高まる。
【０３３５】
図２３は、本発明の第１の実施の形態に係る無線通信システムにおけるハンドオーバ動作のシーケンスの一例を示す図である。図２３において想定するケースは図２１と同様である。
【０３３６】
図２３を参照して、ステップＳ２１１〜Ｓ２２０の動作は、図２１に示すステップＳ１６１〜Ｓ１７０の動作と同様であるため、ここでは詳細な説明を繰り返さない。
【０３３７】
ハンドオーバ動作の準備処理が実行されている間に、無線端末装置２０２は、新たな測定結果通知を無線基地局装置１０１Ａへ送信する（ステップＳ２２１）。
【０３３８】
そして、無線基地局装置１０１Ａは、無線端末装置２０２から受信した測定結果通知に基づいて、自己および当該無線端末装置２０２間の通信品質を新たに取得する。このようにして、無線基地局装置１０１Ａは、測定結果通知を受信するたびに上記通信品質を更新する（ステップＳ２２２）。
【０３３９】
次に、無線基地局装置１０１Ａは、上位装置からハンドオーバ指示を受信して、通信品質が所定のハンドオーバ実行条件またはハンドオーバ中止条件を満たすまで待機する（ステップＳ２２３）。
【０３４０】
次に、無線基地局装置１０１Ａは、更新された通信品質がハンドオーバ実行条件を満たす場合には、当該無線端末装置２０２のハンドオーバ動作を実行すべきであると判断する（ステップＳ２２４）。
【０３４１】
次に、無線基地局装置１０１Ａは、当該無線端末装置２０２へＲＲＣコネクション再構成指示を送信する（ステップＳ２２５）。
【０３４２】
ステップＳ２２６〜Ｓ２３１の動作は、図２１に示すステップＳ１７５〜Ｓ１８０の動作と同様であるため、ここでは詳細な説明を繰り返さない。
【０３４３】
図２４は、本発明の第１の実施の形態に係る無線通信システムにおけるハンドオーバ動作のシーケンスの一例を示す図である。図２４は、ハンドオーバ動作を中止するシーケンスの一例を示す。図２４において想定するケースは図２１と同様である。
【０３４４】
図２４を参照して、ステップＳ２４１〜Ｓ２５３の動作は、図２３に示すステップＳ２１１〜Ｓ２２３の動作と同様であるため、ここでは詳細な説明を繰り返さない。
【０３４５】
次に、無線基地局装置１０１Ａは、更新された通信品質がハンドオーバ中止条件を満たす場合には、当該無線端末装置２０２のハンドオーバ動作を実行すべきでなく、準備処理の行われたハンドオーバ動作を中止すべきであると判断する（ステップＳ２５４）。
【０３４６】
次に、無線基地局装置１０１Ａは、上位装置へハンドオーバ中止通知を送信する（ステップＳ２５５）。
【０３４７】
ここで、図２２に示すシーケンスと同様に、無線基地局装置１０１Ａは、無線端末装置２０２との通信品質が原因でハンドオーバ動作を中止する旨を示すフラグをハンドオーバ中止通知において設定し、上位装置へ送信する。
【０３４８】
次に、上位装置は、無線基地局装置１０１Ａからハンドオーバ中止通知を受信して、必要であれば当該ハンドオーバ中止通知に対応するハンドオーバ動作について、保持情報の消去等のハンドオーバ中止処理を行なうとともに、無線基地局装置１０１Ｂへ当該ハンドオーバ中止通知を送信する（ステップＳ２５６）。
【０３４９】
次に、無線基地局装置１０１Ｂは、ハンドオーバ中止通知を受信して、当該ハンドオーバ中止通知に対応するハンドオーバ動作について、保持情報の消去等のハンドオーバ中止処理を行なう（ステップＳ２５７）。
【０３５０】
図２３および図２４に示すシーケンスにおける無線基地局装置および無線端末装置間の通信品質の具体例として、たとえば、無線基地局装置１０１は、イベントＡ３の条件式を利用して、ハンドオーバ中止条件を設定する。すなわち、図２２および図２３に示すシーケンスにおいて説明したハンドオーバ動作の実行判断および準備開始判断の条件式に加えて、無線基地局装置１０１は、以下の式を満たす場合にハンドオーバ動作の中止を判断する。ただし、制御値Ｑは正の値である。
（サービングセルの受信電力＋サービングセルのオフセットＯＳＴ１＋ヒステリシスＨＳ＋制御値Ｑ）＜（周辺セルの受信電力＋周辺セルのオフセットＯＳＴ２）
【０３５１】
この式において、制御値Ｑを正の値に設定すると、ハンドオーバ中止条件の示す通信品質は、ハンドオーバ準備条件の示す通信品質と比べて良い品質となる。この場合、無線基地局装置１０１Ａは、ハンドオーバ動作の準備処理開始時と比べて、通信品質が制御値Ｑ相当分以上良くなっている場合に、ハンドオーバ動作を中止すべきであると判断する。すなわち、制御値Ｑを正の値に設定する場合、無線端末装置２０２の電波環境の好転に対して適切にハンドオーバ動作を中止することが可能となる。
【０３５２】
また、制御値Ｑをゼロに設定すると、ハンドオーバ準備条件およびハンドオーバ中止条件が等しくなり、ハンドオーバの準備処理および中止処理が繰り返されてしまうが、制御値Ｑを正の値に設定することにより、このような事象の発生を防ぐことができる。
【０３５３】
なお、ハンドオーバ中止条件は、通信品質に関する条件である場合に限らず、たとえば経過時間であってもよい。
【０３５４】
具体的には、図２４において、無線基地局装置１０１Ａは、無線基地局装置１０１Ｂを示すハンドオーバ要求を上位装置へ送信する（ステップＳ２４７）前後においてタイマをスタートさせ、タイマの満了をハンドオーバ中止条件とする。そして、無線基地局装置１０１Ａは、ハンドオーバ実行条件を満たす前にスタートさせておいたタイマが満了すると、無線端末装置２０２のハンドオーバ動作を実行すべきでなく、準備処理の行われたハンドオーバ動作を中止すべきであると判断し、上位装置へハンドオーバ中止通知を送信する（ステップＳ２５４）。
【０３５５】
図２５は、本発明の第１の実施の形態に係る無線通信システムにおいてハンドオーバ動作に要する時間の内訳の一例を示す図である。
【０３５６】
図２５を参照して、ハンドオーバ動作に要する時間は、たとえば無線端末装置２０２における電力測定処理の間隔に相当する時間Ｔ１１１と、ＴＴＴに相当する時間Ｔ１１２と、ハンドオーバ動作の準備処理時間Ｔ１１３と、ハンドオーバ動作の実行時間、すなわちＲＲＣコネクション再構成指示が送信されてからハンドオーバ完了通知が送信されるまでの時間Ｔ１１４との和である。
【０３５７】
なお、ＴＴＴは、前述のように、レポートオン状態へ遷移してから無線端末装置２０２が一定間隔で測定結果通知を送信するための周期である。このため、時間Ｔ１１１および時間Ｔ１１２は重複する場合がある。図２５では、説明を簡単にするために、レポートオン状態へ遷移してから無線端末装置２０２が最初に送信した測定結果通知に基づいてハンドオーバ動作が行われる場合を示している。
【０３５８】
時間Ｔ１１１は、たとえば２００ｍｓであり、ＣＱＩレポートを利用する場合には５ｍｓとなる。また、時間Ｔ１１２は、たとえば０ｍｓ〜２０００ｍｓである。また、時間Ｔ１１３は、たとえば５０ｍｓ〜１５０ｍｓである。また、時間Ｔ１１４は、たとえば４０ｍｓである。
【０３５９】
時間Ｔ１１１および時間Ｔ１１２については、ヒステリシスＨＳ、オフセットＯＳＴおよびＴＴＴ等のパラメータを調整することによって短縮することが可能である。
【０３６０】
そして、本発明の第１の実施の形態に係る無線基地局装置では、前述のようにハンドオーバ動作の準備処理およびハンドオーバ動作の実行判断処理を行なう構成により、時間Ｔ１１３を理想的には０ｍｓまで短縮することが可能である。
【０３６１】
すなわち、”Ｔｏｏ  Ｌａｔｅ  ＨＯ”の発生頻度が高く、かつハンドオーバ動作のタイミングを早めるためのパラメータ調整がこれ以上困難な場合に、たとえば前述の制御値Ｐを大きくする。これにより、ハンドオーバ動作の準備処理のタイミングを早め、適切なハンドオーバ動作を実現することができる。
【０３６２】
ところで、非特許文献１に記載されるような不適切なハンドオーバ動作が行なわれると、通信システムにおいて、通信断および通信トラフィックの増大等、種々の問題が生じる。
【０３６３】
これに対して、本発明の第１の実施の形態に係る無線基地局装置では、ハンドオーバ要求部１１は、自己の無線基地局装置１０１から他の無線基地局装置への無線端末装置２０２のハンドオーバ動作を行なう要求を他の無線基地局装置に対して行なう。ハンドオーバ指示部１２は、上記要求に対する他の無線基地局装置からの応答を受けて、無線端末装置２０２に対して自己の無線基地局装置１０１から他の無線基地局装置へのハンドオーバ動作を行なう指示を与える。そして、ハンドオーバ指示部１２は、上記応答を受けて、自己の無線基地局装置１０１および無線端末装置２０２間の通信品質に関する所定のハンドオーバ実行条件が満たされていない場合には、無線端末装置２０２に対する上記指示の付与を中止するかまたは保留する。
【０３６４】
このような構成により、ハンドオーバ動作の実行判断に先立ってハンドオーバ動作の準備処理を完了しておくことができるため、”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、”Ｔｏｏ  Ｅａｒｌｙ  ＨＯ”の発生確率の上昇を防ぐことができる。すなわち、不適切なハンドオーバ動作を抑制し、良好な通信システムを構築することができる。
【０３６５】
したがって、本発明の第１の実施の形態に係る無線基地局装置では、無線端末装置のハンドオーバ動作を適切に制御することにより、通信の安定化を図ることができる。
【０３６６】
また、本発明の第１の実施の形態に係る無線基地局装置では、ハンドオーバ指示部１２は、上記応答を受けて、自己の無線基地局装置１０１および無線端末装置２０２間の通信品質に関する所定のハンドオーバ実行条件が満たされていない場合には、無線端末装置２０２に対してハンドオーバ動作の指示を与えず、ハンドオーバ動作を中止する旨を他の無線基地局装置に通知する。
【０３６７】
このような構成により、ハンドオーバ動作の中止に伴い、たとえば他の無線基地局装置においてハンドオーバ動作のために確保した各種リソースの解放を適切に行なうことができる。
【０３６８】
また、本発明の第１の実施の形態に係る無線基地局装置では、ハンドオーバ指示部１２は、他の無線基地局装置から上記応答を受けて、自己の無線基地局装置１０１および無線端末装置２０２間の通信品質に関する所定のハンドオーバ実行条件が満たされていない場合には、ハンドオーバ実行条件が満たされるまで待機する。そして、ハンドオーバ指示部１２は、ハンドオーバ実行条件が満たされると無線端末装置２０２に対してハンドオーバ指示を与える。
【０３６９】
このような構成により、ハンドオーバ動作の準備処理が完了した後、無線基地局装置１０１および無線端末装置２０２間の通信品質がハンドオーバ実行条件を満たした時点で、無線端末装置２０２に対してハンドオーバ動作の指示を与えることができるため、最適なタイミングでハンドオーバ動作を実行することができる。
【０３７０】
また、本発明の第１の実施の形態に係る無線基地局装置では、ハンドオーバ指示部１２は、ハンドオーバ実行条件が満たされるまで待機し、ハンドオーバ実行条件が満たされる前に通信品質に関するハンドオーバ中止条件が満たされた場合には、無線端末装置２０２に対してハンドオーバ指示を与えず、ハンドオーバ動作を中止する旨を他の無線基地局装置に通知する。
【０３７１】
このような構成により、タイマの満了等の適切なタイミング、または電波環境に応じた適切な条件でハンドオーバ動作を中止し、ハンドオーバ動作の待機時間の増大を防ぐことができる。また、ハンドオーバ動作の中止に伴い、たとえば他の無線基地局装置においてハンドオーバ動作のために確保した各種リソースの解放を適切に行なうことができる。
【０３７２】
また、本発明の第１の実施の形態に係る無線基地局装置では、ハンドオーバ要求部１１は、自己の無線基地局装置１０１および無線端末装置２０２間の通信品質に関する所定のハンドオーバ準備条件が満たされる場合に、ハンドオーバ要求を他の無線基地局装置に対して行なう。ハンドオーバ準備条件の示す通信品質は、ハンドオーバ実行条件の示す通信品質と比べて良い品質である。
【０３７３】
このような構成により、ハンドオーバ動作の実行判断の基準となる通信品質よりも緩やかな条件で前もってハンドオーバ動作の準備処理を行なうことができる。
【０３７４】
また、本発明の第１の実施の形態に係る無線基地局装置では、ハンドオーバ準備条件の示す通信品質は、ハンドオーバ実行条件の示す通信品質と同等である。
【０３７５】
このような構成により、ハンドオーバ動作の準備期間において無線端末装置の電波環境が好転し、実行する必要のなくなったハンドオーバ動作を適切に中止することができるため、不要となったハンドオーバ動作の実行を抑制することができる。
【０３７６】
また、本発明の第１の実施の形態に係る無線基地局装置では、ハンドオーバ準備条件の示す通信品質は、ハンドオーバ実行条件の示す通信品質と比べて同等であるかまたは良い品質であり、ハンドオーバ中止条件の示す通信品質は、ハンドオーバ準備条件の示す通信品質と比べて良い品質である。
【０３７７】
このような構成により、ハンドオーバ動作の準備期間において無線端末装置の電波環境が好転し、実行する必要のなくなったハンドオーバ動作を適切に中止することができるため、不要となったハンドオーバ動作の実行を抑制することができる。
【０３７８】
また、本発明の第１の実施の形態に係る無線基地局装置では、ハンドオーバ指示部１２は、ハンドオーバ動作の中止を他の無線基地局装置に通知する際、自己の無線基地局装置１０１および無線端末装置２０２間の通信品質が条件を満たしていない旨を他の無線基地局装置に通知する。
【０３７９】
これにより、他の無線基地局装置は、たとえばハンドオーバ動作に関するパラメータ設定の誤り等によってハンドオーバ動作が中止された事象との区別をつけることができる。このため、他の無線基地局装置における新たなパラメータ設定処理等の余計な処理の発生を防ぎ、かつハンドオーバ動作のために確保した各種リソースの解放を適切に行なうことができる。
【０３８０】
また、本発明の第１の実施の形態に係る無線基地局装置では、ハンドオーバ条件調整部１３は、ハンドオーバ実行条件の示す通信品質およびハンドオーバ準備条件の示す通信品質の差を調整する。
【０３８１】
このような構成により、”Ｔｏｏ  Ｌａｔｅ  ＨＯ”等の不適切なハンドオーバ動作の発生頻度、およびハンドオーバ動作の中止頻度の調整が可能となり、より適切なハンドオーバ動作を実現することができる。
【０３８２】
また、本発明の第１の実施の形態に係る無線基地局装置では、ハンドオーバ条件調整部１３は、ハンドオーバ指示部１２によってハンドオーバ動作の中止が他の無線基地局装置に通知された回数に基づいて上記通信品質の差を調整する。
【０３８３】
このような構成により、ハンドオーバ動作の中止頻度の観点から、”Ｔｏｏ  Ｌａｔｅ  ＨＯ”等の不適切なハンドオーバ動作の発生頻度、およびハンドオーバ動作の中止頻度を適切に調整することができる。
【０３８４】
また、本発明の第１の実施の形態に係る無線基地局装置では、ハンドオーバ情報取得部１４は、無線端末装置２０２による自己の無線基地局装置１０１から他の無線基地局装置へのハンドオーバ動作が不適切であった回数を取得する。そして、ハンドオーバ条件調整部１３は、ハンドオーバ情報取得部１４によって取得された回数に基づいて上記通信品質の差を調整する。
【０３８５】
このような構成により、”Ｔｏｏ  Ｌａｔｅ  ＨＯ”等の不適切なハンドオーバ動作の発生頻度の観点から、不適切なハンドオーバ動作の発生頻度およびハンドオーバ動作の中止頻度を適切に調整することができる。
【０３８６】
なお、本発明の第１の実施の形態に係る無線基地局装置では、無線基地局装置１０１および無線端末装置２０２間の通信品質として、サービングセルの受信電力および周辺セルの受信電力の関係、あるいはＣＱＩレポートの値を用いる構成であるとしたが、これに限定するものではない。無線端末装置２０２の受信電力に限らず、パイロット信号の誤り率等、無線基地局装置および無線端末装置間の通信品質を示す何らかの指標を用いる構成であればよい。また、イベントＡ３以外のイベントの条件式を利用する構成であってもよい。また、下り方向の通信品質に限らず、上り方向の通信品質を利用する構成であってもよい。
【０３８７】
＜シミュレーション＞
本願発明者らは、本発明の第１の実施の形態に係る無線基地局装置の動作についてシミュレーションを行った。以下、本シミュレーションの内容および結果について詳細に説明する。
【０３８８】
図２６は、シミュレーション対象の無線通信システムにおける無線環境パラメータを示す図である。
【０３８９】
図２６を参照して、本シミュレーションの対象となる無線通信システムの無線環境パラメータは、「基地局数／セクタ数」、「基地局間距離」、「パスロス」すなわち無線基地局装置が送信する無線信号の送信電力と、無線端末装置における当該無線信号の受信電力との差、「基地局アンテナゲイン」すなわち無指向性を０ｄＢとした場合の指向性によるゲイン、「端末アンテナゲイン」、「シャドウィング」すなわち無線端末装置２０２における無線信号の受信電力の時間的な変動量、「シャドウィングの相関距離」すなわちシャドウィングの２地点間の相関が０．５となるときの当該２地点間の距離、「シャドウィングの相関値」、「基地局アンテナ指向性パターン」、「キャリア周波数／帯域」、「基地局の総送信電力」、「アンテナ構成」および「基地局−端末間の最小距離」である。
【０３９０】
具体的には、この無線通信システムにおけるマクロ基地局数は１９であり、マクロ基地局が３つのセクタを有するものとして総セクタ数は５７であり、ピコ基地局数は１であり、ピコ基地局が１つのセクタを有するものとして総セクタ数は１である。マクロ基地局間の距離は５００ｍであり、マクロ基地局およびピコ基地局間の距離は２５０ｍである。マクロ基地局についてのパスロスは、マクロ基地局および無線端末装置間の距離をｄ［ｍ］として１５．３＋３７．６×ｌｏｇ10（ｄ）［ｄＢ］であり、ピコ基地局についてのパスロスは、ピコ基地局および無線端末装置間の距離をｄ［ｍ］として３０．６＋３６．７×ｌｏｇ10（ｄ）［ｄＢ］である。マクロ基地局のアンテナゲインは１５ｄＢｉであり、ピコ基地局のアンテナゲインは５ｄＢｉである。無線端末装置２０２のアンテナゲインはマクロ基地局およびピコ基地局のいずれにおいても０ｄＢｉである。マクロ基地局についてのシャドウィングの標準偏差は８ｄＢであり、ピコ基地局についてのシャドウィングの標準偏差は１０ｄＢである。マクロ基地局についてのシャドウィングの相間距離は２５ｍであり、ピコ基地局についてのシャドウィングの相間距離は２５ｍである。マクロ基地局についてのシャドウィングの相関値はセル間で０．５であり、セクタ間で１であり、ピコ基地局についてのシャドウィングの相関値はセル間で０．５である。マクロ基地局のアンテナの指向性パターンは３次元のパターンであり、ピコ基地局のアンテナは無指向性である。マクロ基地局の送信側のキャリア周波数および帯域はそれぞれ２．０ＧＨｚおよび１０ＭＨｚであり、ピコ基地局の送信側のキャリア周波数および帯域はそれぞれ２．０ＧＨｚおよび１０ＭＨｚである。マクロ基地局の総送信電力は４６ｄＢｍであり、ピコ基地局の総送信電力は３０ｄＢｍである。マクロ基地局の有する送信アンテナは１本であり、ピコ基地局の有する送信アンテナは１本であり、無線端末装置２０２の有する受信アンテナは２本である。その他、無線基地局装置および無線端末装置間の最小距離等のパラメータは、3GPP TR 36.814に従う。
【０３９１】
図２７は、シミュレーション対象の無線通信システムにおける電力測定処理（Measurement）のパラメータを示す図である。
【０３９２】
図２７を参照して、本シミュレーションでは、プロファイルとしてセット１〜セット５を設けている。セット１からセット５の順番で、ハンドオーバ動作のタイミングが早くなり、セット５においてハンドオーバ動作のタイミングが最も早くなる。また、電力測定処理のパラメータは、端末移動速度、基地局負荷率、ＴＴＴ、イベントＡ３のオフセットＯＳＴ、電力測定間隔すなわち測定結果通知の更新周期、およびフィルタリング係数αである。
【０３９３】
ここで、フィルタリング係数αについて説明する。無線端末装置２０２は、たとえば、時刻（ｔ−１）において測定した受信電力Ｍ（ｔ−１）、時刻（ｔ−１）より後の時刻ｔにおいて測定した受信電力Ｍ（ｔ）およびフィルタリング係数αから、以下の式で表される受信電力ＭＲ（ｔ）を算出する。
ＭＲ（ｔ）＝（１−２−α／４）×ＭＲ（ｔ−１）＋２−α／４×Ｍ（ｔ）
【０３９４】
無線端末装置２０２は、受信電力ＭＲ（ｔ）を示す測定結果通知を無線基地局装置へ送信する。
【０３９５】
フィルタリング係数αを大きくする場合には、より過去の受信電力が測定結果通知に反映されることになるため、ハンドオーバ動作のタイミングが遅くなる。一方、フィルタリング係数αを小さくする場合には、より最近の受信電力が測定結果通知に反映されることになるため、ハンドオーバ動作のタイミングが早くなる。
【０３９６】
セット１〜セット５において、無線端末装置２０２の移動速度は時速３ｋｍ，３０ｋｍ，６０ｋｍ，１２０ｋｍであり、基地局負荷率は１００％である。また、セット１において、ＴＴＴは４８０ｍｓであり、オフセットＯＳＴは３ｄＢであり、電力測定間隔は２００ｍｓであり、フィルタリング係数αは４である。セット２において、ＴＴＴは１６０ｍｓであり、オフセットＯＳＴは３ｄＢであり、電力測定間隔は２００ｍｓであり、フィルタリング係数αは４である。セット３において、ＴＴＴは１６０ｍｓであり、オフセットＯＳＴは２ｄＢであり、電力測定間隔は２００ｍｓであり、フィルタリング係数αは１である。セット４において、ＴＴＴは８０ｍｓであり、オフセットＯＳＴは１ｄＢであり、電力測定間隔は２００ｍｓであり、フィルタリング係数αは１である。セット５において、ＴＴＴは４０ｍｓであり、オフセットＯＳＴは−１ｄＢであり、電力測定間隔は２００ｍｓであり、フィルタリング係数αは０である。
【０３９７】
ここでは、本発明の第１の実施の形態に係る無線基地局装置における、ハンドオーバ動作の実行判断に先立ってハンドオーバ動作の準備処理を完了しておく動作を「ＨＯ準備短縮」と称する。
【０３９８】
本シミュレーションでは、無線基地局装置は、最も新しい測定結果通知において受信電力が最も大きい無線基地局装置をハンドオーバ先として選択する。また、無線基地局装置は、無線端末装置２０２から、測定結果通知を２００ｍｓに１回受信する。
【０３９９】
また、ＨＯ準備短縮を行なった場合におけるハンドオーバ動作の準備処理時間は１０ｍｓであり、ＨＯ準備短縮を行なわない場合におけるハンドオーバ動作の準備処理時間は、図２に示すように、Ｘ２インタフェースを用いずにＳ１インタフェースを用いるハンドオーバ動作を想定し、１００ｍｓである。
【０４００】
図２８は、ハンドオーバ失敗確率のシミュレーション結果を示す図である。
【０４０１】
図２８を参照して、ＨＯ準備短縮を行なう構成では、ハンドオーバ失敗（ＨＯＦ）の発生確率を、ＨＯ準備短縮を行なわない構成と比べてほとんどのケースで減少させることができる。
【０４０２】
図２９は、”Ｐｉｎｇ  Ｐｏｎｇ  ＨＯ”の発生確率のシミュレーション結果を示す図である。
【０４０３】
図２９を参照して、ＨＯ準備短縮を行なう構成では、”Ｐｉｎｇ  Ｐｏｎｇ  ＨＯ”の発生確率は、ＨＯ準備短縮を行なわない構成と比べて一部に若干の増加が見られる。これは、ハンドオーバ失敗（ＨＯＦ）が回避されていることによるものである。
【０４０４】
図３０は、図２８に示すハンドオーバ失敗確率、および図２９に示す”Ｐｉｎｇ  Ｐｏｎｇ  ＨＯ”の発生確率の和を示す図である。
【０４０５】
図３０を参照して、ＨＯ準備短縮を行なう構成では、ＨＯ準備短縮を行なわない構成と比べて、ハンドオーバ失敗確率および”Ｐｉｎｇ  Ｐｏｎｇ  ＨＯ”の発生確率の和がほとんどのケースで減少している。
【０４０６】
図３１は、本発明の第１の実施の形態に係る無線基地局装置による改善対象を示す図である。
【０４０７】
図３１は、サービングセルにおける電波環境よりも周辺セルにおける電波環境の方が良くなってから、実際にハンドオーバ動作が完了するまでの経過時間の内訳を示している。
【０４０８】
ハンドオーバ動作に要する時間は、たとえば無線端末装置２０２における電力測定処理の間隔に相当する時間Ｔ２１１と、ＴＴＴに相当する時間Ｔ２１２と、ハンドオーバ動作の準備処理時間Ｔ２１３と、ハンドオーバ動作の実行時間、すなわちＲＲＣコネクション再構成指示が送信されてからハンドオーバ完了通知が送信されるまでの時間Ｔ２１４との和である。
【０４０９】
なお、ＴＴＴは、前述のように、レポートオン状態へ遷移してから無線端末装置２０２が一定間隔で測定結果通知を送信するための周期である。このため、時間Ｔ２１１および時間Ｔ２１２は重複する場合がある。図３１では、説明を簡単にするために、レポートオン状態へ遷移してから無線端末装置２０２が最初に送信した測定結果通知に基づいてハンドオーバ動作が行なわれる場合を示している。
【０４１０】
時間Ｔ２１１は、たとえば２００ｍｓであり、ＣＱＩレポートを利用する場合には最短で５ｍｓとなる。また、時間Ｔ２１２は、たとえば４０ｍｓ〜１０００ｍｓである。また、時間Ｔ２１３は、たとえば４０ｍｓ〜１００ｍｓである。また、時間Ｔ２１４は、たとえば５０ｍｓである。
【０４１１】
本発明の第１の実施の形態に係る無線基地局装置における「ＨＯ準備短縮」による改善対象は、時間Ｔ２１３である。
【０４１２】
なお、ハンドオーバ動作の準備処理は、ハンドオーバ動作の実行判断の後に行なわれる。このため、ＨＯ準備短縮を行っても、”Ｐｉｎｇ  Ｐｏｎｇ  ＨＯ”の発生を減らす、すなわち不要なハンドオーバ動作の実行回数を減らす、という効果は直接的には得られない。
【０４１３】
以上のように、本シミュレーションから、本発明の第１の実施の形態に係る無線基地局装置により、無線端末装置のハンドオーバ動作が適切に制御され、無線通信システムにおける通信の安定化が図られることが確認された。
【０４１４】
次に、本発明の他の実施の形態について図面を用いて説明する。なお、図中同一または相当部分には同一符号を付してその説明は繰り返さない。
【０４１５】
＜第２の実施の形態＞
上述した第１の実施の形態では、ハンドオーバ動作において無線端末装置２０２の通信接続先が無線基地局装置１０１Ａから無線基地局装置１０１Ｂへ切り替わる場合について説明した。これに対して、第２の実施の形態では、無線基地局装置１０１Ａ，１０１Ｂだけでなくコアネットワークにおける上位装置が切り替えられる場合について説明する。以下で説明する内容以外は第１の実施の形態に係る無線通信システムと同様である。なお、上位装置としては、例えば、ＭＭＥ（Mobility  Management  Entity）またはＳ−ＧＷ（Serving Gateway）が挙げられる。
【０４１６】
以下、本発明の第２の実施の形態として、ハンドオーバ動作においてＭＭＥの切り替えが必要な場合と、ハンドオーバ動作においてＳ−ＧＷの切り替えが必要な場合と、ハンドオーバ動作においてＭＭＥおよびＳ−ＧＷの切り替えが必要な場合とに分けて説明する。
【０４１７】
（ａ）ＭＭＥの切り替えが必要な場合
［構成および基本動作］
図３２は、本発明の第２の実施の形態に係る無線通信システムの構成の一例を示す図である。
【０４１８】
図３２を参照して、無線通信システム４０１は、たとえば３ＧＰＰで規格化されたＬＴＥ（Long Term Evolution）に従う移動体通信システムであり、無線基地局装置１０１Ａ，１０１Ｂを備える。ここでは、無線端末装置２０２が、無線基地局装置１０１Ａと通信中である状態から移動し、通信相手すなわち通信接続先が無線基地局装置１０１Ａから無線基地局装置１０１Ｂへ切り替わるハンドオーバ動作が行われる場合を想定する。すなわち、無線基地局装置１０１Ａがサービング基地局に相当し、無線基地局装置１０１Ｂが周辺基地局（ターゲット基地局とも称する）に相当する場合を想定する。
【０４１９】
図３２では、２つの無線基地局装置１０１Ａ，１０１Ｂを代表的に示しているが、さらに多数の無線基地局装置が設けられてもよい。無線通信システム４０１は、さらに、コアネットワーク３０１に設けられたＳ−ＧＷ１６１（ゲートウェイ装置）と、ＭＭＥ１６２Ａ，１６２Ｂ（通信制御装置）と、Ｐ−ＧＷ（Packet Data Network Gateway）１６３とを備える。
【０４２０】
無線端末装置２０２は、無線基地局装置１０１Ａ，１０１Ｂ、Ｓ−ＧＷ１６１、および、Ｐ−ＧＷ１６３を介してＩＰ網３０２（上位ネットワーク）におけるサーバ等と通信コネクションを確立し、たとえばＩＰ（Internet Protocol）パケットを含む通信データを送受信する。
【０４２１】
Ｓ−ＧＷ１６１は、無線基地局装置１０１Ａ，１０１ＢとＩＰ網３０２との間に接続されている。Ｓ−ＧＷ１６１は、無線基地局装置１０１Ａ，１０１Ｂ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ経由で無線端末装置２０２へ送信する。
【０４２２】
ＭＭＥ１６２Ａは、無線通信システム４０１における無線基地局装置１０１Ａおよび無線端末装置２０２等を管理する。ＭＭＥ１６２Ａは、無線基地局装置１０１Ａとの間で制御メッセージを送受信する。また、ＭＭＥ１６２Ｂは、無線通信システム４０１における無線基地局装置１０１Ｂおよび無線端末装置２０２等を管理する。ＭＭＥ１６２Ｂは、無線基地局装置１０１Ｂとの間で制御メッセージを送受信する。
【０４２３】
無線基地局装置１０１Ａ，１０１Ｂは、Ｓ−ＧＷ１６１およびＰ−ＧＷ１６３を介してＩＰ網３０２との間で通信データを送受信する。無線基地局装置１０１Ａ，１０１ＢおよびＳ−ＧＷ１６１は、論理的なインタフェースであるＳ１−Ｕインタフェースに従う通信データを互いに送受信することにより、Ｓ１−Ｕインタフェース経由で種々の情報を互いにやりとりする。
【０４２４】
無線基地局装置１０１ＡおよびＭＭＥ１６２Ａは、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。無線基地局装置１０１ＢおよびＭＭＥ１６２Ｂも同様に、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０４２５】
ＭＭＥ１６２Ａ，１６２ＢおよびＳ−ＧＷ１６１は、論理的なインタフェースであるＳ１１インタフェースに従う通信データを互いに送受信することにより、Ｓ１１インタフェース経由で種々の情報を互いにやりとりする。
【０４２６】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやりとりする。
【０４２７】
ＭＭＥ１６２ＡおよびＭＭＥ１６２Ｂは、論理的なインタフェースであるＳ１０インタフェースに従う通信データを互いに送受信することにより、Ｓ１０インタフェース経由で種々の情報を互いにやりとりする。
【０４２８】
［動作］
次に、本発明の第２の実施の形態に係る無線通信システム４０１におけるハンドオーバ動作の流れについて、ハンドオーバ動作の実行条件が満たされる場合と、ハンドオーバ動作の実行条件が満たされない場合とに分けて説明する。
【０４２９】
（ｉ）実行条件が満たされる場合
図３３は、本発明の第２の実施の形態に係る無線通信システムにおいて、ハンドオーバ動作の実行条件が満たされる状況におけるハンドオーバ動作のシーケンスである。
【０４３０】
図３３を参照して、まず、無線端末装置２０２は、受信電力の測定結果を示す測定結果通知を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ３２１）。
【０４３１】
次に、無線基地局装置１０１Ａは、無線端末装置２０２から受信した測定結果通知に基づいて、セルＩＤごとの測定結果を示す測定情報を取得し、図示しない記憶部に保存する。そして、無線基地局装置１０１Ａは、無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバの準備処理を行なうべきであると判断し、周辺セル情報を参照してたとえば無線基地局装置１０１Ｂをハンドオーバ先として決定する（ステップＳ３２２）。
【０４３２】
次に、無線基地局装置１０１Ａは、無線基地局装置１０１Ｂを示すハンドオーバ要求を、対応する上位装置であるＭＭＥ１６２Ａへ送信する（ステップＳ３２３）。
【０４３３】
次に、ＭＭＥ１６２Ａは、無線基地局装置１０１Ａから受信したハンドオーバ要求に基づいて、ＭＭＥの切り替えを行う必要があるか否かを判断する。具体的には、ＭＭＥ１６２Ａは、ハンドオーバ要求に示されている無線基地局装置１０１Ｂが自己の管理対象であるか否かを判断する（ステップＳ３２４）。
【０４３４】
次に、ＭＭＥ１６２Ａは、無線基地局装置１０１Ｂが自己の管理対象ではないことから、無線基地局装置１０１Ｂを管理するＭＭＥ１６２Ｂへ無線基地局装置１０１Ｂを示すハンドオーバ要求を送信する（ステップＳ３２５）。
【０４３５】
次に、ＭＭＥ１６２Ｂは、ＭＭＥ１６２Ａから受信したハンドオーバ要求に基づいて、Ｓ−ＧＷ１６１の切り替えを行う必要があるか否かを判断する。具体的には、ＭＭＥ１６２Ｂは、無線基地局装置１０１ＡとＩＰ網３０２との間に接続されているＳ−ＧＷ１６１と、無線基地局装置１０１ＢとＩＰ網３０２との間に接続されているＳ−ＧＷ１６１とが異なるか否かを判断する。ここでは、無線基地局装置１０１ＡとＩＰ網３０２との間に接続されているＳ−ＧＷ１６１と、無線基地局装置１０１ＢとＩＰ網３０２との間に接続されているＳ−ＧＷ１６１とが同じであることから、ＭＭＥ１６２Ｂは、Ｓ−ＧＷ１６１の切り替えを行う必要がないと判断する（ステップＳ３２６）。
【０４３６】
次に、ＭＭＥ１６２Ｂは、無線基地局装置１０１Ｂへハンドオーバ要求を送信する（ステップＳ３２７）。
【０４３７】
次に、無線基地局装置１０１Ｂは、ＭＭＥ１６２Ｂからハンドオーバ要求を受信して、ＭＭＥ１６２Ｂへ当該ハンドオーバ要求に対するハンドオーバ応答を送信する（ステップＳ３２８）。
【０４３８】
次に、ＭＭＥ１６２Ｂは、無線基地局装置１０１Ｂから受信したハンドオーバ応答をＭＭＥ１６２Ａへ転送する（ステップＳ３２９）。
【０４３９】
ここで、無線端末装置２０２のハンドオーバ動作の準備期間中に無線基地局装置１０１Ａに当該無線端末装置２０２宛のパケットである対象パケットが蓄積されている場合、または、Ｓ−ＧＷ１６１から対象パケットが新たに受信された場合、無線基地局装置１０１Ａがこの対象パケットを無線基地局装置１０１Ｂへ転送するデータフォワーディングが行われる。
【０４４０】
このため、ＭＭＥ１６２Ａは、ＭＭＥ１６２Ｂからハンドオーバ応答を受信すると、Ｓ１−Ｕインタフェース経由のデータフォワーディングを行うための通信経路すなわち論理的なパス（以下、データフォワーディングパスとも称する）の確立要求をＳ−ＧＷ１６１へ送信する（ステップＳ３３０）。
【０４４１】
次に、Ｓ−ＧＷ１６１は、ＭＭＥ１６２Ａからデータフォワーディングパスの確立要求を受けると、データフォワーディングパスを確立させる。すなわち、Ｓ−ＧＷ１６１は、自己を介する無線基地局装置１０１Ａと無線基地局装置１０１Ｂとの間の論理的なパスを確立する。そして、Ｓ−ＧＷ１６１は、データフォワーディングパスの確立応答をＭＭＥ１６２Ａへ送信する（ステップＳ３３１）。
【０４４２】
次に、ＭＭＥ１６２Ａは、無線基地局装置１０１Ａへハンドオーバ指示を送信する。そして、以上のようなハンドオーバ動作の準備処理が実行されて、無線基地局装置１０１ＡがＭＭＥ１６２Ａからハンドオーバ指示を受信すると、無線基地局装置１０１Ａは、Ｓ１−Ｕインタフェース経由のデータフォワーディングを開始する。すなわち、無線基地局装置１０１Ａは、自己に蓄積されているかまたはＳ−ＧＷ１６１から新たに受信する当該無線端末装置２０２宛のパケットである対象パケットをＳ−ＧＷ１６１経由で無線基地局装置１０１Ｂへ転送する（ステップＳ３３２）。
【０４４３】
次に、無線基地局装置１０１Ａは、自己および無線端末装置２０２間の通信品質が所定のハンドオーバ実行条件を満たしているか否かを判断する。そして、通信品質がハンドオーバ実行条件を満たす場合には、無線基地局装置１０１Ａは、当該無線端末装置２０２のハンドオーバ動作を実行すべきであると判断する（ステップＳ３３３）。なお、上述した準備条件の示す通信品質は、実行条件の示す通信品質と比べて良い品質である。
【０４４４】
次に、無線基地局装置１０１Ａは、当該無線端末装置２０２へＲＲＣコネクション再構成指示（RRC Connection Reconfiguration）を送信する（ステップＳ３３４）。
【０４４５】
次に、無線基地局装置１０１Ａは、ＭＭＥ１６２Ａへ自己の通信状態等を示す状態通知を送信する（ステップＳ３３５）。この状態通知に、データフォワーディングにおいて、無線基地局装置１０１Ｂが転送パケットを処理するための、パケットのシリアル番号等の情報が含まれる。
【０４４６】
次に、ＭＭＥ１６２Ａは、無線基地局装置１０１Ａから受信した状態通知を、ＭＭＥ１６２Ｂへ転送する（ステップＳ３３６）。
【０４４７】
次に、ＭＭＥ１６２Ｂは、ＭＭＥ１６２Ａから転送された状態通知に対する状態通知応答をＭＭＥ１６２Ａへ送信する（ステップＳ３３７）。
【０４４８】
次に、ＭＭＥ１６２Ｂは、無線基地局装置１０１Ｂへ無線端末装置２０２との通信内容等を示す状態通知を送信する（ステップＳ３３８）。
【０４４９】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ３３９）。
【０４５０】
そして、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう。
【０４５１】
また、無線端末装置２０２は、無線基地局装置１０１Ｂへパケットを送信し、無線基地局装置１０１Ｂは、当該対象パケットをＳ−ＧＷ１６１へ送信する。
【０４５２】
次に、無線基地局装置１０１Ｂは、無線端末装置２０２からＲＲＣコネクション再構成完了通知を受信して、ＭＭＥ１６２Ｂへハンドオーバ完了通知を送信する（ステップＳ３４０）。このハンドオーバ完了通知に、Ｓ−ＧＷ１６１に対するパス切り替え要求が含まれる。
【０４５３】
次に、ＭＭＥ１６２Ｂは、無線基地局装置１０１Ｂから受信したハンドオーバ完了通知をＭＭＥ１６２Ａへ転送する（ステップＳ３４１）。
【０４５４】
次に、ＭＭＥ１６２Ａは、ＭＭＥ１６２Ｂから受信したハンドオーバ完了通知に対するハンドオーバ完了通知応答をＭＭＥ１６２Ｂへ送信する（ステップＳ３４２）。
【０４５５】
次に、ＭＭＥ１６２Ｂは、上記パス切り替え要求を含むベアラ変更要求をＳ−ＧＷ１６１へ送信する（ステップＳ３４３）。
【０４５６】
そして、Ｓ−ＧＷ１６１は、ＭＭＥ１６２Ｂからベアラ変更要求を受信して、パスの切り替え処理を行なう、すなわち、当該無線端末装置２０２宛の対象パケットの送信先を無線基地局装置１０１Ａから無線基地局装置１０１Ｂへ切り替える。
【０４５７】
次に、Ｓ−ＧＷ１６１は、ベアラ変更要求に対する、パス切り替え応答を含むベアラ変更応答をＭＭＥ１６２Ｂへ送信する（ステップＳ３４４）。
【０４５８】
そして、Ｓ−ＧＷ１６１は、エンドマーカが付された対象パケットを無線基地局装置１０１Ａへ送信し、対象パケットの無線基地局装置１０１Ａへの送信を終了して、対象パケットの無線基地局装置１０１Ｂへの送信を開始する。
【０４５９】
また、無線基地局装置１０１Ｂは、無線基地局装置１０１Ａを経由していないＳ−ＧＷ１６１からの対象パケットの無線端末装置２０２への送信を保留し、蓄積しておく。
【０４６０】
そして、無線基地局装置１０１Ａは、Ｓ−ＧＷ１６１から受信したエンドマーカ付きの対象パケットをＳ−ＧＷ１６１経由で無線基地局装置１０１Ｂへ転送する。このとき、無線基地局装置１０１Ａは、無線基地局装置１０１Ｂへ転送する対象パケットの最後を、このエンドマーカ付きの対象パケットとする。
【０４６１】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１からの対象パケットの無線端末装置２０２への送信を開始する。
【０４６２】
次に、ＭＭＥ１６２Ａは、端末情報解放指示を無線基地局装置１０１Ａへ送信する（ステップＳ３４５）。
【０４６３】
次に、無線基地局装置１０１Ａは、ＭＭＥ１６２Ａから端末情報解放指示を受信して、無線端末装置２０２に関する情報を解放し、ＭＭＥ１６２Ａへ端末情報解放完了通知を送信する（ステップＳ３４６）。
【０４６４】
次に、ＭＭＥ１６２Ａは、無線基地局装置１０１Ａから端末情報解放完了通知を受信すると、データフォワーディングパスの削除要求をＳ−ＧＷ１６１へ送信する（ステップＳ３４７）。
【０４６５】
次に、Ｓ−ＧＷ１６１は、データフォワーディングパスの削除要求を受信すると、データフォワーディングパスの削除を行い、データフォワーディングパスの削除応答をＭＭＥ１６２Ａへ送信する（ステップＳ３４８）。
【０４６６】
（ｉｉ）実行条件が満たされない場合
図３４は、本発明の第２の実施の形態に係る無線通信システムにおいて、ハンドオーバ動作の実行条件が満たされない状況におけるハンドオーバ動作のシーケンスである。
【０４６７】
図３４を参照して、ステップＳ３５１からステップＳ３６２までの動作は、図３３に示すステップＳ３２１からステップＳ３３２までの動作と同様であるため、ここでは詳細な説明を繰り返さない。
【０４６８】
次に、無線基地局装置１０１Ａは、ＭＭＥ１６２Ａからハンドオーバ指示を受信すると、自己および無線端末装置２０２間の通信品質が所定のハンドオーバ実行条件を満たしているか否かを判断する。そして、通信品質がハンドオーバ実行条件を満たさない場合には、無線基地局装置１０１Ａは、当該無線端末装置２０２のハンドオーバ動作を実行すべきでなく、準備処理の行われたハンドオーバ動作を中止すべきであると判断する（ステップＳ３６３）。
【０４６９】
次に、無線基地局装置１０１Ａは、ＭＭＥ１６２Ａへハンドオーバ動作を中止するためのハンドオーバ中止通知を送信する（ステップＳ３６４）。
【０４７０】
次に、ＭＭＥ１６２Ａは、無線基地局装置１０１Ａから受信したハンドオーバ中止通知をＭＭＥ１６２Ｂへ転送する（ステップＳ３６５）。
【０４７１】
次に、ＭＭＥ１６２Ｂは、ハンドオーバ中止通知を受信すると、端末情報解放指示を無線基地局装置１０１Ｂへ送信する（ステップＳ３６６）。
【０４７２】
次に、無線基地局装置１０１Ｂは、ＭＭＥ１６２Ｂから端末情報解放指示を受信して、無線端末装置２０２に関する情報を解放し、ＭＭＥ１６２Ｂへ端末情報解放完了通知を送信する（ステップＳ３６７）。
【０４７３】
次に、ＭＭＥ１６２Ｂは、無線基地局装置１０１Ｂから端末情報解放完了通知を受信すると、ハンドオーバ中止応答をＭＭＥ１６２Ａへ送信する（ステップＳ３６８）。
【０４７４】
次に、ＭＭＥ１６２Ａは、ＭＭＥ１６２Ｂから受信したハンドオーバ中止応答を無線基地局装置１０１Ａへ送信する（ステップＳ３６９）。
【０４７５】
次に、ＭＭＥ１６２Ａは、データフォワーディングパスの削除要求をＳ−ＧＷ１６１へ送信する（ステップＳ３７０）。
【０４７６】
次に、Ｓ−ＧＷ１６１は、データフォワーディングパスの削除要求を受信すると、データフォワーディングパスの削除を行い、データフォワーディングパスの削除応答をＭＭＥ１６２Ａへ送信する（ステップＳ３７１）。
【０４７７】
（ｂ）Ｓ−ＧＷの切り替えが必要な場合
［構成および基本動作］
図３５は、本発明の第２の実施の形態に係る無線通信システムの構成の一例を示す図である。
【０４７８】
図３５を参照して、無線通信システム４０２は、図３２に示す無線通信システム４０１と同様に、たとえば３ＧＰＰで規格化されたＬＴＥに従う移動体通信システムであり、無線基地局装置１０１Ａと、無線基地局装置１０１Ｂとを備える。ここでは、図３２に示す場合と同様に、無線端末装置２０２が、無線基地局装置１０１Ａと通信中である状態から移動し、通信相手すなわち通信接続先が無線基地局装置１０１Ａから無線基地局装置１０１Ｂへ切り替わるようにハンドオーバ動作が行われる場合を想定する。
【０４７９】
無線通信システム４０２は、さらに、コアネットワーク３０１に設けられたＳ−ＧＷ１６１Ａ，１６１Ｂ（ゲートウェイ装置）と、ＭＭＥ１６２（通信制御装置）と、Ｐ−ＧＷ１６３とを備える。
【０４８０】
Ｓ−ＧＷ１６１Ａは、無線基地局装置１０１ＡとＩＰ網３０２との間に接続されている。Ｓ−ＧＷ１６１Ａは、無線基地局装置１０１Ａ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ経由で無線端末装置２０２へ送信する。
【０４８１】
Ｓ−ＧＷ１６１Ｂは、無線基地局装置１０１ＢとＩＰ網３０２との間に接続されている。Ｓ−ＧＷ１６１Ｂは、無線基地局装置１０１Ｂ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ｂ経由で無線端末装置２０２へ送信する。
【０４８２】
ＭＭＥ１６２は、無線通信システム４０２における無線基地局装置１０１Ａ，１０１Ｂおよび無線端末装置２０２等を管理する。ＭＭＥ１６２は、無線基地局装置１０１Ａ，１０１Ｂとの間で制御メッセージを送受信する。
【０４８３】
無線基地局装置１０１Ａは、Ｓ−ＧＷ１６１ＡおよびＰ−ＧＷ１６３を介してＩＰ網３０２との間で通信データを送受信する。無線基地局装置１０１Ｂは、Ｓ−ＧＷ１６１ＢおよびＰ−ＧＷ１６３を介してＩＰ網３０２との間で通信データを送受信する。
【０４８４】
無線基地局装置１０１ＡおよびＳ−ＧＷ１６１Ａは、論理的なインタフェースであるＳ１−Ｕインタフェースに従う通信データを互いに送受信することにより、Ｓ１−Ｕインタフェース経由で種々の情報を互いにやりとりする。無線基地局装置１０１ＢおよびＳ−ＧＷ１６１Ｂは、論理的なインタフェースであるＳ１−Ｕインタフェースに従う通信データを互いに送受信することにより、Ｓ１−Ｕインタフェース経由で種々の情報を互いにやりとりする。
【０４８５】
無線基地局装置１０１Ａ，１０１ＢおよびＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０４８６】
ＭＭＥ１６２およびＳ−ＧＷ１６１Ａ，１６１Ｂは、論理的なインタフェースであるＳ１１インタフェースに従う通信データを互いに送受信することにより、Ｓ１１インタフェース経由で種々の情報を互いにやりとりする。
【０４８７】
Ｓ−ＧＷ１６１Ａ，１６１ＢおよびＰ−ＧＷ１６３は、論理的なインタフェースであるＳ５インタフェースに従う通信データを互いに送受信することにより、Ｓ５インタフェース経由で種々の情報を互いにやりとりする。
【０４８８】
［動作］
次に、本発明の第２の実施の形態に係る無線通信システム４０２におけるハンドオーバ動作の流れについて、ハンドオーバ動作の実行条件が満たされる場合と、ハンドオーバ動作の実行条件が満たされない場合とに分けて説明する。
【０４８９】
（ｉ）実行条件が満たされる場合
図３６は、本発明の第２の実施の形態に係る無線通信システムにおいて、ハンドオーバ動作の実行条件が満たされる状況におけるハンドオーバ動作のシーケンスである。
【０４９０】
図３６を参照して、ステップＳ３８１からステップＳ３８３までの動作は、図３３に示すステップＳ３２１からステップＳ３２３までの動作と同様であるため、ここでは詳細な説明を繰り返さない。
【０４９１】
次に、ＭＭＥ１６２は、無線基地局装置１０１Ａから受信したハンドオーバ要求に基づいて、ＭＭＥ１６２の切り替えを行う必要があるか否かを判断する。具体的には、ＭＭＥ１６２は、ハンドオーバ要求に示されている無線基地局装置１０１Ｂが自己の管理対象であるか否かを判断する。ここでは、無線基地局装置１０１ＢがＭＭＥ１６２の管理対象であることから、ＭＭＥ１６２は、ＭＭＥの切り替えを行う必要がないと判断する（ステップＳ３８４）。
【０４９２】
次に、ＭＭＥ１６２は、無線基地局装置１０１Ａから受信したハンドオーバ要求に基づいて、Ｓ−ＧＷの切り替えを行う必要があるか否かを判断する。具体的には、ＭＭＥ１６２は、無線基地局装置１０１ＡとＩＰ網３０２との間に接続されているＳ−ＧＷと、無線基地局装置１０１ＢとＩＰ網３０２との間に接続されているＳ−ＧＷとが異なるか否かを判断する（ステップＳ３８５）。
【０４９３】
次に、ＭＭＥ１６２は、無線基地局装置１０１ＡとＩＰ網３０２との間に接続されているＳ−ＧＷ１６１Ａと、無線基地局装置１０１ＢとＩＰ網３０２との間に接続されているＳ−ＧＷ１６１Ｂとが異なることから、上位ネットワークから無線端末装置２０２宛の下りパケット、および、無線端末装置２０２から上位ネットワークへの上りパケットが、Ｓ−ＧＷ１６１Ｂを経由可能となるように、Ｐ−ＧＷ１６３と無線基地局装置１０１Ｂとの間の通信経路の作成をＳ−ＧＷ１６１Ｂへ要求する（ステップＳ３８６）。
【０４９４】
次に、Ｓ−ＧＷ１６１Ｂは、ＭＭＥ１６２から通信経路の作成要求を受信して、自己を経由するＰ−ＧＷ１６３と無線基地局装置１０１Ｂとの間の通信経路を作成し、通信経路の作成応答をＭＭＥ１６２へ送信する（ステップＳ３８７）。
【０４９５】
次に、ＭＭＥ１６２は、無線基地局装置１０１Ｂへハンドオーバ要求を送信する（ステップＳ３８８）。
【０４９６】
次に、無線基地局装置１０１Ｂは、ＭＭＥ１６２からハンドオーバ要求を受信して、ＭＭＥ１６２へ当該ハンドオーバ要求に対するハンドオーバ応答を送信する（ステップＳ３８９）。
【０４９７】
次に、ＭＭＥ１６２は、無線基地局装置１０１Ｂからハンドオーバ応答を受信すると、Ｓ１−Ｕインタフェース経由のデータフォワーディングを行うための通信経路すなわち論理的なパス（以下、データフォワーディングパスとも称する）の確立要求をＳ−ＧＷ１６１Ｂへ送信する（ステップＳ３９０）。
【０４９８】
次に、Ｓ−ＧＷ１６１Ｂは、ＭＭＥ１６２からデータフォワーディングパスの確立要求を受けると、データフォワーディングパスを確立させる。すなわち、Ｓ−ＧＷ１６１Ｂは、Ｓ−ＧＷ１６１ＡとＳ−ＧＷ１６１Ｂとの間の論理的な通信経路、および、Ｓ−ＧＷ１６１Ｂと無線基地局装置１０１Ｂとの間の論理的な通信経路を確立する。そして、Ｓ−ＧＷ１６１Ｂは、データフォワーディングパスの確立応答をＭＭＥ１６２へ送信する（ステップＳ３９１）。
【０４９９】
次に、ＭＭＥ１６２は、Ｓ１−Ｕインタフェース経由のデータフォワーディングを行うための通信経路の確立要求をＳ−ＧＷ１６１Ａへ送信する（ステップＳ３９２）。
【０５００】
次に、Ｓ−ＧＷ１６１Ａは、ＭＭＥ１６２からデータフォワーディングパスの確立要求を受けると、データフォワーディングパスを確立させる。すなわち、Ｓ−ＧＷ１６１Ａは、Ｓ−ＧＷ１６１Ａと無線基地局装置１０１Ａとの間の論理的な通信経路を確立する。そして、Ｓ−ＧＷ１６１Ａは、データフォワーディングパスの確立応答をＭＭＥ１６２へ送信する（ステップＳ３９３）。
【０５０１】
次に、ＭＭＥ１６２は、無線基地局装置１０１Ａへハンドオーバ指示を送信する。そして、無線基地局装置１０１Ａは、Ｓ１−Ｕインタフェース経由のデータフォワーディングを開始する（ステップＳ３９４）。
【０５０２】
次に、無線基地局装置１０１Ａは、自己および無線端末装置２０２間の通信品質が所定のハンドオーバ実行条件を満たしているか否かを判断する。そして、通信品質がハンドオーバ実行条件を満たす場合には、無線基地局装置１０１Ａは、当該無線端末装置２０２のハンドオーバ動作を実行すべきであると判断する（ステップＳ３９５）。
【０５０３】
次に、無線基地局装置１０１Ａは、当該無線端末装置２０２へＲＲＣコネクション再構成指示を送信する（ステップＳ３９６）。
【０５０４】
次に、無線基地局装置１０１Ａは、ＭＭＥ１６２へ自己の通信状態等を示す状態通知を送信する（ステップＳ３９７）。この状態通知に、データフォワーディングにおいて、無線基地局装置１０１Ｂが転送パケットを処理するための、パケットのシリアル番号等の情報が含まれる。
【０５０５】
次に、ＭＭＥ１６２は、無線基地局装置１０１Ｂへ無線端末装置２０２との通信内容等を示す状態通知を送信する（ステップＳ３９８）。
【０５０６】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ３９９）。
【０５０７】
そして、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう。
【０５０８】
また、無線端末装置２０２は、無線基地局装置１０１Ｂへパケットを送信し、無線基地局装置１０１Ｂは、当該対象パケットをＳ−ＧＷ１６１Ｂへ送信する。
【０５０９】
次に、無線基地局装置１０１Ｂは、無線端末装置２０２からＲＲＣコネクション再構成完了通知を受信して、ＭＭＥ１６２へハンドオーバ完了通知を送信する（ステップＳ４００）。このハンドオーバ完了通知に、Ｓ−ＧＷ１６１Ｂに対するパス切り替え要求が含まれる。
【０５１０】
次に、ＭＭＥ１６２は、上記パス切り替え要求を含むベアラ変更要求をＳ−ＧＷ１６１Ｂへ送信する（ステップＳ４０１）。
【０５１１】
そして、Ｓ−ＧＷ１６１Ｂは、ＭＭＥ１６２からベアラ変更要求を受信して、パスの切り替え処理を行なう、すなわち、当該無線端末装置２０２宛の対象パケットの送信先を無線基地局装置１０１Ａから無線基地局装置１０１Ｂへ切り替える。
【０５１２】
次に、Ｓ−ＧＷ１６１Ｂは、ベアラ変更要求に対する、パス切り替え応答を含むベアラ変更応答をＭＭＥ１６２へ送信する（ステップＳ４０２）。
【０５１３】
そして、Ｓ−ＧＷ１６１Ａは、エンドマーカが付された対象パケットを無線基地局装置１０１Ａへ送信し、対象パケットの無線基地局装置１０１Ａへの送信を終了して、対象パケットの無線基地局装置１０１Ｂへの送信を開始する。
【０５１４】
また、無線基地局装置１０１Ｂは、無線基地局装置１０１Ａを経由していないＳ−ＧＷ１６１Ｂからの対象パケットの無線端末装置２０２への送信を保留し、蓄積しておく。
【０５１５】
そして、無線基地局装置１０１Ａは、Ｓ−ＧＷ１６１Ａから受信したエンドマーカ付きの対象パケットをＳ−ＧＷ１６１ＡおよびＳ−ＧＷ１６１Ｂ経由で無線基地局装置１０１Ｂへ転送する。このとき、無線基地局装置１０１Ａは、無線基地局装置１０１Ｂへ転送する対象パケットの最後を、このエンドマーカ付きの対象パケットとする。
【０５１６】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１Ｂからの対象パケットの無線端末装置２０２への送信を開始する。
【０５１７】
次に、ＭＭＥ１６２は、Ｐ−ＧＷ１６３と無線基地局装置１０１Ａとの間の通信経路の削除をＳ−ＧＷ１６１Ａへ要求する（ステップＳ４０３）。
【０５１８】
次に、ＭＭＥ１６２は、端末情報解放指示を無線基地局装置１０１Ａへ送信する（ステップＳ４０４）。
【０５１９】
次に、無線基地局装置１０１Ａは、ＭＭＥ１６２から端末情報解放指示を受信して、無線端末装置２０２に関する情報を解放し、ＭＭＥ１６２へ端末情報解放完了通知を送信する（ステップＳ４０５）。
【０５２０】
次に、Ｓ−ＧＷ１６１Ａは、ＭＭＥ１６２から通信経路の削除要求を受信して、Ｐ−ＧＷ１６３と無線基地局装置１０１Ａとの間の通信経路を削除し、通信経路の削除応答をＭＭＥ１６２へ送信する（ステップＳ４０６）。
【０５２１】
次に、ＭＭＥ１６２は、無線基地局装置１０１Ａから端末情報解放完了通知を受信すると、Ｓ−ＧＷ１６１Ａと無線基地局装置１０１Ａとの間の論理的な通信経路、すなわちデータフォワーディングパスの削除をＳ−ＧＷ１６１Ａへ要求する（ステップＳ４０７）。
【０５２２】
次に、Ｓ−ＧＷ１６１Ａは、データフォワーディングパスの削除要求を受信すると、Ｓ−ＧＷ１６１Ａと無線基地局装置１０１Ａとの間の論理的な通信経路の削除を行い、データフォワーディングパスの削除応答をＭＭＥ１６２へ送信する（ステップＳ４０８）。
【０５２３】
次に、ＭＭＥ１６２は、Ｓ−ＧＷ１６１ＡとＳ−ＧＷ１６１Ｂとの間の論理的な通信経路およびＳ−ＧＷ１６１Ｂと無線基地局装置１０１Ｂとの間の論理的な通信経路、すなわちデータフォワーディングパスの削除をＳ−ＧＷ１６１Ｂへ要求する（ステップＳ４０９）。
【０５２４】
次に、Ｓ−ＧＷ１６１Ｂは、データフォワーディングパスの削除要求を受信すると、Ｓ−ＧＷ１６１ＡとＳ−ＧＷ１６１Ｂとの間の論理的な通信経路およびＳ−ＧＷ１６１Ｂと無線基地局装置１０１Ｂとの間の論理的な通信経路の削除を行い、データフォワーディングパスの削除応答をＭＭＥ１６２へ送信する（ステップＳ４１０）。
【０５２５】
（ｉｉ）実行条件が満たされない場合
図３７は、本発明の第２の実施の形態に係る無線通信システムにおいて、ハンドオーバ動作の実行条件が満たされない状況におけるハンドオーバ動作のシーケンスである。
【０５２６】
図３７を参照して、ステップＳ４１１からステップＳ４２４までの動作は、図３６に示すステップＳ３８１からステップＳ３９４までの動作と同様であるため、ここでは詳細な説明を繰り返さない。
【０５２７】
次に、無線基地局装置１０１Ａは、ＭＭＥ１６２からハンドオーバ指示を受信すると、自己および無線端末装置２０２間の通信品質が所定のハンドオーバ実行条件を満たしているか否かを判断する。そして、通信品質がハンドオーバ実行条件を満たさない場合には、無線基地局装置１０１Ａは、当該無線端末装置２０２のハンドオーバ動作を実行すべきでなく、準備処理の行われたハンドオーバ動作を中止すべきであると判断する（ステップＳ４２５）。
【０５２８】
次に、無線基地局装置１０１Ａは、ＭＭＥ１６２へハンドオーバ中止通知を送信する（ステップＳ４２６）。
【０５２９】
次に、ＭＭＥ１６２は、ハンドオーバ中止通知を受信すると、端末情報解放指示を無線基地局装置１０１Ｂへ送信する（ステップＳ４２７）。
【０５３０】
次に、無線基地局装置１０１Ｂは、ＭＭＥ１６２から端末情報解放指示を受信して、無線端末装置２０２に関する情報を解放し、ＭＭＥ１６２へ端末情報解放完了通知を送信する（ステップＳ４２８）。
【０５３１】
次に、ＭＭＥ１６２は、Ｐ−ＧＷ１６３と無線基地局装置１０１Ｂとの間の通信経路の削除をＳ−ＧＷ１６１Ｂへ要求する（ステップＳ４２９）。
【０５３２】
次に、Ｓ−ＧＷ１６１Ｂは、ＭＭＥ１６２から通信経路の削除要求を受信して、Ｐ−ＧＷ１６３と無線基地局装置１０１Ｂとの間の通信経路を削除し、通信経路の削除応答をＭＭＥ１６２へ送信する（ステップＳ４３０）。
【０５３３】
次に、ＭＭＥ１６２は、Ｓ−ＧＷ１６１Ｂから通信経路の削除応答を受信すると、ハンドオーバ中止応答を無線基地局装置１０１Ａへ送信する（ステップＳ４３１）。
【０５３４】
そして、ステップＳ４３２からステップＳ４３５までの動作が実行される。これらステップＳ４３２からステップＳ４３５までの動作は、図３６に示すステップＳ４０７からステップＳ４１０までの動作と同様であるため、ここでは詳細な説明を繰り返さない。
【０５３５】
（ｃ）ＭＭＥおよびＳ−ＧＷの切り替えが必要な場合
［構成および基本動作］
図３８は、本発明の第２の実施の形態に係る無線通信システムの構成の一例を示す図である。
【０５３６】
図３８を参照して、無線通信システム４０３は、図３２に示す無線通信システム４０１と同様に、たとえば３ＧＰＰで規格化されたＬＴＥに従う移動体通信システムであり、無線基地局装置１０１Ａと、無線基地局装置１０１Ｂとを備える。ここでは、図３２に示す場合と同様に、無線端末装置２０２が、無線基地局装置１０１Ａと通信中である状態から移動し、通信相手すなわち通信接続先が、無線基地局装置１０１Ａから無線基地局装置１０１Ｂへ切り替わるようにハンドオーバ動作が行われる場合を想定する。
【０５３７】
無線通信システム４０３は、さらに、コアネットワーク３０１に設けられたＳ−ＧＷ１６１Ａ，１６１Ｂ（ゲートウェイ装置）と、ＭＭＥ１６２Ａ，１６２Ｂ（通信制御装置）と、Ｐ−ＧＷ１６３とを備える。
【０５３８】
無線基地局装置１０１Ａは、Ｓ−ＧＷ１６１ＡおよびＰ−ＧＷ１６３を介してＩＰ網３０２との間で通信データを送受信する。無線基地局装置１０１Ｂは、Ｓ−ＧＷ１６１ＢおよびＰ−ＧＷ１６３を介してＩＰ網３０２との間で通信データを送受信する。
【０５３９】
無線基地局装置１０１ＡおよびＳ−ＧＷ１６１Ａは、論理的なインタフェースであるＳ１−Ｕインタフェースに従う通信データを互いに送受信することにより、Ｓ１−Ｕインタフェース経由で種々の情報を互いにやりとりする。無線基地局装置１０１ＢおよびＳ−ＧＷ１６１Ｂは、論理的なインタフェースであるＳ１−Ｕインタフェースに従う通信データを互いに送受信することにより、Ｓ１−Ｕインタフェース経由で種々の情報を互いにやりとりする。
【０５４０】
無線基地局装置１０１ＡおよびＭＭＥ１６２Ａは、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０５４１】
無線基地局装置１０１ＢおよびＭＭＥ１６２Ｂは、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０５４２】
ＭＭＥ１６２ＡおよびＳ−ＧＷ１６１Ａは、論理的なインタフェースであるＳ１１インタフェースに従う通信データを互いに送受信することにより、Ｓ１１インタフェース経由で種々の情報を互いにやりとりする。ＭＭＥ１６２ＢおよびＳ−ＧＷ１６１Ｂは、論理的なインタフェースであるＳ１１インタフェースに従う通信データを互いに送受信することにより、Ｓ１１インタフェース経由で種々の情報を互いにやりとりする。
【０５４３】
Ｓ−ＧＷ１６１Ａ，１６１ＢおよびＰ−ＧＷ１６３は、論理的なインタフェースであるＳ５インタフェースに従う通信データを互いに送受信することにより、Ｓ５インタフェース経由で種々の情報を互いにやりとりする。
【０５４４】
ＭＭＥ１６２ＡおよびＭＭＥ１６２Ｂは、論理的なインタフェースであるＳ１０インタフェースに従う通信データを互いに送受信することにより、Ｓ１０インタフェース経由で種々の情報を互いにやりとりする。
【０５４５】
［動作］
次に、本発明の第２の実施の形態に係る無線通信システム４０３におけるハンドオーバ動作の流れについて、ハンドオーバ動作の実行条件が満たされる場合と、ハンドオーバ動作の実行条件が満たされない場合とに分けて説明する。
【０５４６】
（ｉ）実行条件が満たされる場合
図３９は、本発明の第２の実施の形態に係る無線通信システムにおいて、ハンドオーバ動作の実行条件が満たされる状況におけるハンドオーバ動作のシーケンスである。
【０５４７】
図３９を参照して、ステップＳ４４１からステップＳ４４５までの動作は、図３３に示すステップＳ３２１からステップＳ３２５までの動作と同様であるため、ここでは詳細な説明を繰り返さない。
【０５４８】
次に、ＭＭＥ１６２Ｂは、ＭＭＥ１６２Ａから受信したハンドオーバ要求に基づいて、Ｓ−ＧＷの切り替えを行う必要があるか否かを判断する。具体的には、ＭＭＥ１６２Ｂは、無線基地局装置１０１ＡとＩＰ網３０２との間に接続されているＳ−ＧＷと、無線基地局装置１０１ＢとＩＰ網３０２との間に接続されているＳ−ＧＷとが異なるか否かを判断する（ステップＳ４４６）。
【０５４９】
次に、ＭＭＥ１６２Ｂは、無線基地局装置１０１ＡとＩＰ網３０２との間に接続されているＳ−ＧＷ１６１Ａと、無線基地局装置１０１ＢとＩＰ網３０２との間に接続されているＳ−ＧＷ１６１Ｂとが異なることから、上位ネットワークから無線端末装置２０２宛の下りパケット、および、無線端末装置２０２から上位ネットワークへの上りパケットがＳ−ＧＷ１６１Ｂを経由可能となるように、Ｐ−ＧＷ１６３と無線基地局装置１０１Ｂとの間の通信経路の作成をＳ−ＧＷ１６１Ｂへ要求する（ステップＳ４４７）。
【０５５０】
次に、Ｓ−ＧＷ１６１Ｂは、ＭＭＥ１６２Ｂから通信経路の作成要求を受信して、自己を経由するＰ−ＧＷ１６３と無線基地局装置１０１Ｂとの間の通信経路を作成し、通信経路の作成応答をＭＭＥ１６２Ｂへ送信する（ステップＳ４４８）。
【０５５１】
次に、ＭＭＥ１６２Ｂは、無線基地局装置１０１Ｂへハンドオーバ要求を送信する（ステップＳ４４９）。
【０５５２】
次に、無線基地局装置１０１Ｂは、ＭＭＥ１６２Ｂからハンドオーバ要求を受信して、ＭＭＥ１６２Ｂへ当該ハンドオーバ要求に対するハンドオーバ応答を送信する（ステップＳ４５０）。
【０５５３】
次に、ＭＭＥ１６２Ｂは、無線基地局装置１０１Ｂからハンドオーバ応答を受信すると、Ｓ１−Ｕインタフェース経由のデータフォワーディングを行うための通信経路すなわち論理的なパス（以下、データフォワーディングパスとも称する）の確立要求をＳ−ＧＷ１６１Ｂへ送信する（ステップＳ４５１）。
【０５５４】
次に、Ｓ−ＧＷ１６１Ｂは、ＭＭＥ１６２Ｂからデータフォワーディングパスの確立要求を受けると、データフォワーディングパスを確立させる。すなわち、Ｓ−ＧＷ１６１Ｂは、Ｓ−ＧＷ１６１ＡとＳ−ＧＷ１６１Ｂとの間の論理的な通信経路、および、Ｓ−ＧＷ１６１Ｂと無線基地局装置１０１Ｂとの間の論理的な通信経路を確立する。そして、Ｓ−ＧＷ１６１Ｂは、データフォワーディングパスの確立応答をＭＭＥ１６２Ｂへ送信する（ステップＳ４５２）。
【０５５５】
次に、ＭＭＥ１６２Ｂは、無線基地局装置１０１Ｂから受信したハンドオーバ応答をＭＭＥ１６２Ａへ転送する（ステップＳ４５３）。
【０５５６】
次に、ＭＭＥ１６２Ａは、Ｓ１−Ｕインタフェース経由のデータフォワーディングを行うための論理的な通信経路の確立要求をＳ−ＧＷ１６１Ａへ送信する（ステップＳ４５４）。
【０５５７】
次に、Ｓ−ＧＷ１６１Ａは、ＭＭＥ１６２Ａからデータフォワーディングパスの確立要求を受けると、データフォワーディングパスを確立させる。すなわち、Ｓ−ＧＷ１６１Ａは、Ｓ−ＧＷ１６１Ａと無線基地局装置１０１Ａとの間の論理的な通信経路を確立する。そして、Ｓ−ＧＷ１６１Ａは、データフォワーディングパスの確立応答をＭＭＥ１６２Ａへ送信する（ステップＳ４５５）。
【０５５８】
次に、ＭＭＥ１６２Ａは、無線基地局装置１０１Ａへハンドオーバ指示を送信する。そして、無線基地局装置１０１Ａは、Ｓ１−Ｕインタフェース経由のデータフォワーディングを開始する（ステップＳ４５６）。
【０５５９】
次に、無線基地局装置１０１Ａは、自己および無線端末装置２０２間の通信品質が所定のハンドオーバ実行条件を満たしているか否かを判断する。そして、通信品質がハンドオーバ実行条件を満たす場合には、無線基地局装置１０１Ａは、当該無線端末装置２０２のハンドオーバ動作を実行すべきであると判断する（ステップＳ４５７）。
【０５６０】
次に、無線基地局装置１０１Ａは、当該無線端末装置２０２へＲＲＣコネクション再構成指示を送信する（ステップＳ４５８）。
【０５６１】
次に、無線基地局装置１０１Ａは、ＭＭＥ１６２Ａへ自己の通信状態等を示す状態通知を送信する（ステップＳ４５９）。この状態通知に、データフォワーディングにおいて、無線基地局装置１０１Ｂが転送パケットを処理するための、パケットのシリアル番号等の情報が含まれる。
【０５６２】
次に、ＭＭＥ１６２Ａは、無線基地局装置１０１Ａから受信した状態通知を、ＭＭＥ１６２Ｂへ転送する（ステップＳ４６０）。
【０５６３】
次に、ＭＭＥ１６２Ｂは、ＭＭＥ１６２Ａから転送された状態通知に対する状態通知応答をＭＭＥ１６２Ａへ送信する（ステップＳ４６１）。
【０５６４】
次に、ＭＭＥ１６２Ｂは、無線基地局装置１０１Ｂへ無線端末装置２０２との通信内容等を示す状態通知を送信する（ステップＳ４６２）。
【０５６５】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ４６３）。
【０５６６】
そして、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう。
【０５６７】
また、無線端末装置２０２は、無線基地局装置１０１Ｂへパケットを送信し、無線基地局装置１０１Ｂは、当該対象パケットをＳ−ＧＷ１６１Ｂへ送信する。
【０５６８】
次に、無線基地局装置１０１Ｂは、無線端末装置２０２からＲＲＣコネクション再構成完了通知を受信して、ＭＭＥ１６２Ｂへハンドオーバ完了通知を送信する（ステップＳ４６４）。このハンドオーバ完了通知に、Ｓ−ＧＷ１６１Ｂに対するパス切り替え要求が含まれる。
【０５６９】
次に、ＭＭＥ１６２Ｂは、無線基地局装置１０１Ｂから受信したハンドオーバ完了通知をＭＭＥ１６２Ａへ転送する（ステップＳ４６５）。
【０５７０】
次に、ＭＭＥ１６２Ａは、ＭＭＥ１６２Ｂから受信したハンドオーバ完了通知に対するハンドオーバ完了通知応答をＭＭＥ１６２Ｂへ送信する（ステップＳ４６６）。
【０５７１】
次に、ＭＭＥ１６２Ｂは、上記パス切り替え要求を含むベアラ変更要求をＳ−ＧＷ１６１Ｂへ送信する（ステップＳ４６７）。
【０５７２】
そして、Ｓ−ＧＷ１６１Ｂは、ＭＭＥ１６２Ｂからベアラ変更要求を受信して、パスすなわち論理的な通信経路の切り替え処理を行なう、すなわち、当該無線端末装置２０２宛の対象パケットの送信先を無線基地局装置１０１Ａから無線基地局装置１０１Ｂへ切り替える。
【０５７３】
次に、Ｓ−ＧＷ１６１Ｂは、ベアラ変更要求に対する、パス切り替え応答を含むベアラ変更応答をＭＭＥ１６２Ｂへ送信する（ステップＳ４６８）。
【０５７４】
そして、Ｓ−ＧＷ１６１Ａは、エンドマーカが付された対象パケットを無線基地局装置１０１Ａへ送信し、対象パケットの無線基地局装置１０１Ａへの送信を終了して、対象パケットの無線基地局装置１０１Ｂへの送信を開始する。
【０５７５】
また、無線基地局装置１０１Ｂは、無線基地局装置１０１Ａを経由していないＳ−ＧＷ１６１Ｂからの対象パケットの無線端末装置２０２への送信を保留し、蓄積しておく。
【０５７６】
そして、無線基地局装置１０１Ａは、Ｓ−ＧＷ１６１Ａから受信したエンドマーカ付きの対象パケットをＳ−ＧＷ１６１ＡおよびＳ−ＧＷ１６１Ｂ経由で無線基地局装置１０１Ｂへ転送する。このとき、無線基地局装置１０１Ａは、無線基地局装置１０１Ｂへ転送する対象パケットの最後を、このエンドマーカ付きの対象パケットとする。
【０５７７】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１Ｂからの対象パケットの無線端末装置２０２への送信を開始する。
【０５７８】
次に、ＭＭＥ１６２Ａは、Ｐ−ＧＷ１６３と無線基地局装置１０１Ａとの間の通信経路の削除をＳ−ＧＷ１６１Ａへ要求する（ステップＳ４６９）。
【０５７９】
次に、ＭＭＥ１６２Ａは、端末情報解放指示を無線基地局装置１０１Ａへ送信する（ステップＳ４７０）。
【０５８０】
次に、無線基地局装置１０１Ａは、ＭＭＥ１６２Ａから端末情報解放指示を受信して、無線端末装置２０２に関する情報を解放し、ＭＭＥ１６２Ａへ端末情報解放完了通知を送信する（ステップＳ４７１）。
【０５８１】
次に、Ｓ−ＧＷ１６１Ａは、ＭＭＥ１６２Ａから通信経路の削除要求を受信して、Ｐ−ＧＷ１６３と無線基地局装置１０１Ａとの間の通信経路を削除し、通信経路の削除応答をＭＭＥ１６２Ａへ送信する（ステップＳ４７２）。
【０５８２】
次に、ＭＭＥ１６２Ａは、無線基地局装置１０１Ａから端末情報解放完了通知を受信すると、Ｓ−ＧＷ１６１Ａと無線基地局装置１０１Ａとの間の論理的な通信経路、すなわちデータフォワーディングパスの削除をＳ−ＧＷ１６１Ａへ要求する（ステップＳ４７３）。
【０５８３】
次に、Ｓ−ＧＷ１６１Ａは、データフォワーディングパスの削除要求を受信すると、Ｓ−ＧＷ１６１Ａと無線基地局装置１０１Ａとの間の論理的な通信経路の削除を行い、データフォワーディングパスの削除応答をＭＭＥ１６２Ａへ送信する（ステップＳ４７４）。
【０５８４】
次に、ＭＭＥ１６２Ｂは、Ｓ−ＧＷ１６１ＡとＳ−ＧＷ１６１Ｂとの間の論理的な通信経路およびＳ−ＧＷ１６１Ｂと無線基地局装置１０１Ｂとの間の論理的な通信経路、すなわちデータフォワーディングパスの削除をＳ−ＧＷ１６１Ｂへ要求する（ステップＳ４７５）。
【０５８５】
次に、Ｓ−ＧＷ１６１Ｂは、データフォワーディングパスの削除要求を受信すると、Ｓ−ＧＷ１６１ＡとＳ−ＧＷ１６１Ｂとの間の論理的な通信経路およびＳ−ＧＷ１６１Ｂと無線基地局装置１０１Ｂとの間の論理的な通信経路の削除を行い、データフォワーディングパスの削除応答をＭＭＥ１６２Ｂへ送信する（ステップＳ４７６）。
【０５８６】
（ｉｉ）実行条件が満たされない場合
図４０は、本発明の第２の実施の形態に係る無線通信システムにおいて、ハンドオーバ動作の実行条件が満たされない状況におけるハンドオーバ動作のシーケンスである。
【０５８７】
図４０を参照して、ステップＳ４８１からステップＳ４９６までの動作は、図３９に示すステップＳ４４１からステップＳ４５６までの動作と同様であるため、ここでは詳細な説明を繰り返さない。
【０５８８】
次に、無線基地局装置１０１Ａは、ＭＭＥ１６２Ａからハンドオーバ指示を受信すると、自己および無線端末装置２０２間の通信品質が所定のハンドオーバ実行条件を満たしているか否かを判断する。そして、通信品質がハンドオーバ実行条件を満たさない場合には、無線基地局装置１０１Ａは、当該無線端末装置２０２のハンドオーバ動作を実行すべきでなく、準備処理の行われたハンドオーバ動作を中止すべきであると判断する（ステップＳ４９７）。
【０５８９】
次に、無線基地局装置１０１Ａは、ＭＭＥ１６２Ａへハンドオーバ中止通知を送信する（ステップＳ４９８）。
【０５９０】
次に、ＭＭＥ１６２Ａは、無線基地局装置１０１Ａから受信したハンドオーバ中止通知をＭＭＥ１６２Ｂへ転送する（ステップＳ４９９）。
【０５９１】
次に、ＭＭＥ１６２Ｂは、ハンドオーバ中止通知を受信すると、端末情報解放指示を無線基地局装置１０１Ｂへ送信する（ステップＳ５００）。
【０５９２】
次に、無線基地局装置１０１Ｂは、ＭＭＥ１６２Ｂから端末情報解放指示を受信して、無線端末装置２０２に関する情報を解放し、ＭＭＥ１６２Ｂへ端末情報解放完了通知を送信する（ステップＳ５０１）。
【０５９３】
次に、ＭＭＥ１６２Ｂは、Ｐ−ＧＷ１６３と無線基地局装置１０１Ｂとの間の通信経路の削除をＳ−ＧＷ１６１Ｂへ要求する（ステップＳ５０２）。
【０５９４】
次に、Ｓ−ＧＷ１６１Ｂは、ＭＭＥ１６２Ｂから通信経路の削除要求を受信して、Ｐ−ＧＷ１６３と無線基地局装置１０１Ｂとの間の通信経路を削除し、通信経路の削除応答をＭＭＥ１６２Ｂへ送信する（ステップＳ５０３）。
【０５９５】
次に、ＭＭＥ１６２Ｂは、無線基地局装置１０１Ｂから端末情報解放完了通知を受信すると、ハンドオーバ中止応答をＭＭＥ１６２Ａへ送信する（ステップＳ５０４）。
【０５９６】
次に、ＭＭＥ１６２Ａは、ＭＭＥ１６２Ｂから受信したハンドオーバ中止応答を無線基地局装置１０１Ａへ送信する（ステップＳ５０５）。
【０５９７】
そして、ステップＳ５０６からステップＳ５０９までの動作が実行される。これらステップＳ５０６からステップＳ５０９までの動作は、図３９に示すステップＳ４７３からステップＳ４７６までの動作と同様であるため、ここでは詳細な説明を繰り返さない。
【０５９８】
ところで、非特許文献１に記載されるような不適切なハンドオーバ動作が行なわれると、無線通信システムにおいて、通信断および通信トラフィックの増大等、種々の問題が生じる。
【０５９９】
これに対して、本発明の第２の実施の形態に係る無線通信システム４０１では、無線基地局装置１０１Ａは、自己から無線基地局装置１０１Ｂへの無線端末装置２０２のハンドオーバ動作を行うハンドオーバ要求を対応のＭＭＥ１６２Ａへ送信する。また、ＭＭＥ１６２Ａは、ハンドオーバ要求の示すハンドオーバ先の無線基地局装置１０１Ｂが自己の管理対象でない場合には、無線基地局装置１０１Ｂを管理するＭＭＥ１６２Ｂへハンドオーバ要求を送信する。また、ＭＭＥ１６２Ｂは、受信したハンドオーバ要求を無線基地局装置１０１Ｂへ送信し、無線基地局装置１０１Ｂからハンドオーバ要求に対する応答を受信するとＭＭＥ１６２Ａに応答を送信する。また、ＭＭＥ１６２Ａは、ＭＭＥ１６２Ｂから応答を受信して、無線基地局装置１０１Ａへハンドオーバ指示を送信する。無線基地局装置１０１Ａは、ハンドオーバ指示を受信して、無線端末装置２０２との間の通信品質に関する所定の実行条件が満たされているか否かを判断し、実行条件が満たされていない場合には、無線端末装置２０２に対するハンドオーバ動作を行うための指示の付与を中止するかまたは保留する。
【０６００】
このような構成により、無線基地局装置１０１Ａを管理するＭＭＥ１６２Ａと、無線基地局装置１０１Ｂを管理するＭＭＥ１６２Ｂとが異なる場合であっても、ハンドオーバ動作の実行判断に先立ってハンドオーバ動作の準備処理を完了しておくことができるため、たとえば無線端末装置２０２によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置２０２によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な無線通信システムを構築することができる。したがって、無線端末装置２０２のハンドオーバ動作を適切に制御することにより、通信の安定化を図ることができる。
【０６０１】
また、本発明の第２の実施の形態に係る無線通信システム４０１では、無線基地局装置１０１Ａは、無線端末装置２０２との間の通信品質に関する所定の準備条件が満たされる場合に、ハンドオーバ要求を無線基地局装置１０１Ｂに対して送信し、準備条件の示す通信品質は、実行条件の示す通信品質と比べて良い品質である。
【０６０２】
このような構成により、ハンドオーバ動作の実行判断の基準となる通信品質よりも緩やかな条件で前もってハンドオーバ動作の準備処理を行なうことができる。また、ＭＭＥ１６２の切り替えのために必要な情報の送受信を、ハンドオーバ動作の準備処理として前もって行うことにより、ハンドオーバ動作に要する時間を大幅に短縮することができる。
【０６０３】
また、本発明の第２の実施の形態に係る無線通信システム４０２では、無線基地局装置１０１Ａは、自己から無線基地局装置１０１Ｂへの無線端末装置２０２のハンドオーバ動作を行うハンドオーバ要求をＭＭＥ１６２へ送信する。また、ＭＭＥ１６２は、無線基地局装置１０１Ａと上位ネットワークとの間に接続されているＳ−ＧＷ１６１Ａと、無線基地局装置１０１Ｂと上位ネットワークとの間に接続されているＳ−ＧＷ１６１Ｂとが異なる場合には、通信経路作成要求をＳ−ＧＷ１６１Ｂへ送信する。また、Ｓ−ＧＷ１６１Ｂは、通信経路作成要求を受信すると、上位ネットワークから送信される無線端末装置２０２宛の通信データおよび無線端末装置２０２から送信される上位ネットワークへの通信データを中継可能とする通信経路を作成し、通信経路作成要求に対する通信経路作成応答をＭＭＥ１６２へ送信する。また、ＭＭＥ１６２は、通信経路作成応答を受信すると、無線基地局装置１０１Ｂへハンドオーバ要求を送信し、無線基地局装置１０１Ｂからハンドオーバ要求に対する応答を受信すると無線基地局装置１０１Ａへハンドオーバ指示を送信する。また、無線基地局装置１０１Ａは、ハンドオーバ指示を受信して、無線端末装置２０２との間の通信品質に関する所定の実行条件が満たされているか否かを判断し、実行条件が満たされていない場合には、無線端末装置２０２に対するハンドオーバ動作を行うための指示の付与を中止するかまたは保留する。
【０６０４】
このような構成により、無線基地局装置１０１Ａと上位ネットワークとの間に接続されているＳ−ＧＷ１６１Ａと、無線基地局装置１０１Ｂと上位ネットワークとの間に接続されているＳ−ＧＷ１６１Ｂとが異なる場合であっても、ハンドオーバ動作の実行判断に先立ってハンドオーバ動作の準備処理を完了しておくことができるため、たとえば無線端末装置２０２によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置２０２によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な無線通信システムを構築することができる。したがって、無線端末装置２０２のハンドオーバ動作を適切に制御することにより、通信の安定化を図ることができる。
【０６０５】
また、本発明の第２の実施の形態に係る無線通信システム４０２では、無線基地局装置１０１Ａは、無線端末装置２０２との間の通信品質に関する所定の準備条件が満たされる場合に、前記ハンドオーバ要求をＭＭＥ１６２へ送信し、準備条件の示す通信品質は、実行条件の示す通信品質と比べて良い品質である。
【０６０６】
このような構成により、ハンドオーバ動作の実行判断の基準となる通信品質よりも緩やかな条件で前もってハンドオーバ動作の準備処理を行なうことができる。また、Ｓ−ＧＷ１６１の切り替えのために必要な情報の送受信を、ハンドオーバ動作の準備処理として前もって行うことにより、ハンドオーバ動作に要する時間を大幅に短縮することができる。
【０６０７】
＜第３の実施の形態＞
上述した第１の実施の形態では、ハンドオーバ動作において無線端末装置２０２の通信接続先が無線基地局装置１０１Ａから無線基地局装置１０１Ｂへ切り替わる場合について説明した。これに対して、第３の実施の形態では、切り替え先すなわちハンドオーバ先の候補が無線基地局装置１０１Ｂだけでなく複数存在する場合について説明する。以下で説明する内容以外は第１の実施の形態に係る無線基地局装置と同様である。
【０６０８】
（ａ）ハンドオーバ先の候補が複数存在する場合における課題
まず、ハンドオーバ先の候補である無線基地局装置が複数存在する場合における課題について説明する。図４１は、ハンドオーバ先の候補である無線基地局装置が複数存在する状況の一例を説明するための図であり、図４２は、図４１に示す状況におけるハンドオーバ動作のシーケンスの一例を示す図である。
【０６０９】
図４１を参照して、無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。無線基地局装置１０１Ｃは、セルＣＣを形成し、セルＣＣ内に存在する無線端末装置２０２と無線信号を送受信することにより、当該無線端末装置２０２と通信することが可能である。
【０６１０】
ここでは、無線端末装置２０２が、セルＣＡ内に位置し、無線基地局装置１０１Ａを通信接続先として選択してから、セルＣＡ、セルＣＢおよびセルＣＣの重複領域へ移動した場合を想定する。すなわち、無線基地局装置１０１Ａがサービング基地局に相当し、無線基地局装置１０１Ｂ，１０１Ｃが周辺基地局に相当し、これら無線基地局装置１０１Ｂ，１０１Ｃがハンドオーバ先の候補である無線基地局装置に該当する場合を想定する。
【０６１１】
図４２を参照して、まず、無線端末装置２０２は、受信電力の測定結果を示す測定結果通知を無線基地局装置１０１Ａへ送信する。この測定結果には、周辺セルの無線基地局装置１０１Ｂ，１０１Ｃから送信される無線信号の受信電力の測定結果および無線基地局装置１０１Ｂ，１０１ＣのセルＩＤが含まれている（ステップＳ５１１）。
【０６１２】
次に、無線基地局装置１０１Ａは、無線端末装置２０２から受信した測定結果通知に基づいて、セルＩＤごとの測定結果を示す測定情報を取得し、図示しない記憶部に保存する。そして、無線基地局装置１０１Ａは、無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバの準備処理を行なうべきであると判断する。
【０６１３】
このとき、無線基地局装置１０１Ｂから送信される無線信号に関する測定結果および無線基地局装置１０１Ｃから送信される無線信号に関する測定結果が、いずれもハンドオーバ準備条件を満たす場合がある。このような場合、無線基地局装置１０１Ａは、ハンドオーバ先の候補である無線基地局装置１０１Ｂ，１０１Ｃのうち無線端末装置２０２との間の通信品質がより良い方をハンドオーバ先の無線基地局装置として選択する（ステップＳ５１２）。
【０６１４】
次に、ステップＳ５１２において例えば無線基地局装置１０１Ｂがハンドオーバ先として選択された場合、無線基地局装置１０１Ａは、無線基地局装置１０１Ｂを示すハンドオーバ要求を上位装置であるＭＭＥ（Mobility  Management  Entity）１６２へ送信する（ステップＳ５１３）。
【０６１５】
次に、ＭＭＥ１６２は、無線基地局装置１０１Ａからハンドオーバ要求を受信して、無線基地局装置１０１Ｂへ当該ハンドオーバ要求を送信する（ステップＳ５１４）。
【０６１６】
次に、無線基地局装置１０１Ｂは、ＭＭＥ１６２からハンドオーバ要求を受信して、ＭＭＥへ当該ハンドオーバ要求に対するハンドオーバ応答を送信する（ステップＳ５１５）。
【０６１７】
次に、ＭＭＥ１６２は、無線基地局装置１０１Ｂからハンドオーバ応答を受信して、無線基地局装置１０１Ａへハンドオーバ指示を送信する（ステップＳ５１６）。上記のようにして、ハンドオーバ動作の準備処理が完了する（ステップＳ５１７）。
【０６１８】
次に、無線端末装置２０２は、新たな測定結果通知を無線基地局装置１０１Ａへ送信する（ステップＳ５１８）。
【０６１９】
次に、無線基地局装置１０１Ａは、無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する（ステップＳ５１９）。
【０６２０】
そして、ステップＳ５２０からステップＳ５２６までの動作が実行される。これらステップＳ５２０からステップＳ５２６までの動作は、図２１に示すステップＳ１７４からステップＳ１８０までの動作と同様であるため、ここでは詳細な説明を繰り返さない。
【０６２１】
図４３は、ハンドオーバ先の候補である無線基地局装置が複数存在する状況の一例における課題を説明するための図であり、図４４は、図４３に示す状況におけるハンドオーバ動作のシーケンスの一例を示す図である。
【０６２２】
図４３を参照して、無線端末装置２０２がセルＣＡ、セルＣＢおよびセルＣＣの重複領域内に位置し、無線端末装置２０２との間の通信品質が最も良い無線基地局装置１０１Ｂへのハンドオーバ動作の準備処理が完了した後に、無線端末装置２０２がセルＣＣ内へ進入した場合を想定する。この場合、図４４に示すような動作が実行される。
【０６２３】
図４４を参照して、まず、ステップＳ５３１からステップＳ５３８までの動作が実行される。これらステップＳ５３１からステップＳ５３８までの動作は、図４２に示すステップＳ５１１からステップＳ５１８までの動作と同様であるため、ここでは詳細な説明を繰り返さない。
【０６２４】
次に、無線基地局装置１０１Ａは、無線端末装置２０２から受信した測定結果通知に基づいて通信品質を新たに取得する。このとき、無線端末装置２０２はセルＣＣ内へ進入しており、無線基地局装置１０１Ａにより新たに取得された無線基地局装置１０１Ｂおよび無線端末装置２０２間の通信品質は、所定のハンドオーバ実行条件を満たしていないとする。この場合、無線基地局装置１０１Ａは、無線端末装置２０２の無線基地局装置１０１Ｂへのハンドオーバ動作を中止すべきであると判断する（ステップＳ５３９）。
【０６２５】
次に、無線基地局装置１０１Ａは、ＭＭＥ１６２に対して無線基地局装置１０１Ｂへのハンドオーバ動作を中止するためのハンドオーバ中止通知を送信する（ステップＳ５４０）。そして、ＭＭＥ１６２は、無線基地局装置１０１Ｂからハンドオーバ中止通知を受信して、端末情報解放指示を無線基地局装置１０１Ｂへ送信する（ステップＳ５４１）。
【０６２６】
次に、無線基地局装置１０１Ｂは、ＭＭＥ１６２から端末情報解放指示を受信して、無線端末装置２０２に関する情報を解放し、ＭＭＥ１６２へ端末情報解放完了通知を送信する（ステップＳ５４２）。そして、ＭＭＥ１６２は、無線基地局装置１０１Ｂから端末情報解放完了通知を受信して、ハンドオーバ中止応答を無線基地局装置１０１Ａへ送信する（ステップＳ５４３）。
【０６２７】
次に、無線基地局装置１０１Ａは、新たに取得した測定結果に基づいて、ハンドオーバ先の無線基地局装置を選択する。このとき、無線端末装置２０２は、セルＣＣ内へ進入しているため、無線基地局装置１０１Ｃが新たにハンドオーバ先の無線基地局装置として選択される（ステップＳ５４４）。そして、再びハンドオーバ動作の準備処理（ステップＳ５４５からステップＳ５４９）が行われる。これらステップＳ５４５からステップＳ５４９までの動作は、図４２に示すステップＳ５１３からステップＳ５１７までの動作と同様であるため、ここでは詳細な説明を繰り返さない。
【０６２８】
このように、ある周辺基地局へのハンドオーバ動作の準備処理の完了後に無線端末装置２０２が移動することで、当該周辺基地局に関する無線端末装置２０２の電波状況が悪化する場合が考えられる。このような場合、ハンドオーバ動作の準備処理およびハンドオーバ動作の中止処理が繰り返される。
【０６２９】
（ｂ）本発明の第３の実施の形態に係る無線通信システム
次に、本発明の第３の実施の形態に係る無線通信システム４０４について、ハンドオーバ先の候補である無線基地局装置が複数あり、ハンドオーバ元の無線基地局装置１０１Ａがハンドオーバ先の無線基地局装置を選択する場合と、無線端末装置２０２がハンドオーバ先の無線基地局装置を選択する場合とに分けて説明する。
【０６３０】
再び図４１を参照して、本発明の第３の実施の形態では、無線端末装置２０２が、セルＣＡ内に位置し、無線基地局装置１０１Ａを通信接続先として選択してから、セルＣＡ、セルＣＢおよびセルＣＣの重複領域へ移動した状況において、無線基地局装置１０１Ｂ，１０１Ｃがハンドオーバ動作の準備条件を満たしている場合を想定する。
【０６３１】
（ｉ）ハンドオーバ元の無線基地局装置がハンドオーバ先を選択する場合
［構成および基本動作］
図４５は、本発明の第３の実施の形態に係る無線通信システムの構成を示す図である。
【０６３２】
図４５を参照して、本発明の第３の実施の形態に係る無線通信システム４０４は、たとえば３ＧＰＰで規格化されたＬＴＥ（Long Term Evolution）に従う移動体通信システムであり、無線基地局装置１０１Ａ，１０１Ｂ，１０１Ｃを備える。図４５では、３つの無線基地局装置を代表的に示しているが、さらに多数の無線基地局装置が設けられてもよい。無線通信システム４０４は、さらに、コアネットワーク３０１に設けられたＳ−ＧＷ（Serving Gateway）１６１（ゲートウェイ装置）と、ＭＭＥ（Mobility  Management  Entity）１６２（通信制御装置）と、Ｐ−ＧＷ（Packet Data Network Gateway）１６３とを含む。
【０６３３】
無線端末装置２０２は、無線基地局装置１０１Ａ，１０１Ｂ，１０１Ｃと、Ｓ−ＧＷ１６１と、Ｐ−ＧＷ１６３とを介してＩＰ網３０２におけるサーバ等と通信コネクションを確立し、たとえばＩＰ（Internet Protocol）パケットを含む通信データを送受信する。
【０６３４】
Ｓ−ＧＷ１６１は、無線基地局装置１０１Ａ，１０１Ｂ，１０１ＣとＩＰ網３０２との間に接続されている。Ｓ−ＧＷ１６１は、無線基地局装置１０１Ａ，１０１Ｂ，１０１Ｃ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ，１０１Ｃ経由で無線端末装置２０２へ送信する。
【０６３５】
ＭＭＥ１６２は、無線通信システム４０１における無線基地局装置１０１Ａ，１０１Ｂ，１０１Ｃ、および無線端末装置２０２等を管理する。ＭＭＥ１６２は、無線基地局装置１０１Ａ，１０１Ｂ，１０１Ｃとの間で制御メッセージを送受信する。
【０６３６】
無線基地局装置１０１Ａ，１０１Ｂ，１０１Ｃは、Ｓ−ＧＷ１６１およびＰ−ＧＷ１６３を介してＩＰ網３０２との間で通信データを送受信する。
【０６３７】
無線基地局装置１０１Ａ，１０１Ｂ，１０１ＣおよびＳ−ＧＷ１６１は、論理的なインタフェースであるＳ１−Ｕインタフェースに従う通信データを互いに送受信することにより、Ｓ１−Ｕインタフェース経由で種々の情報を互いにやりとりする。
【０６３８】
無線基地局装置１０１Ａ，１０１Ｂ，１０１ＣおよびＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０６３９】
ＭＭＥ１６２およびＳ−ＧＷ１６１は、論理的なインタフェースであるＳ１１インタフェースに従う通信データを互いに送受信することにより、Ｓ１１インタフェース経由で種々の情報を互いにやりとりする。
【０６４０】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやりとりする。
【０６４１】
（無線基地局装置の詳細な構成）
また、無線通信システム４０４の無線基地局装置１０１Ａ，１０１Ｂ，１０１Ｃは、いずれも本発明の第１の実施の形態に係る無線基地局装置１０１と同様である。すなわち、図１９および図２０を参照して、無線基地局装置１０１Ａ，１０１Ｂ，１０１Ｃは、アンテナ９１と、サーキュレータ９２と、無線受信部９３と、無線送信部９４と、信号処理部９５と、制御部９８とを含む。
【０６４２】
また、無線基地局装置１０１Ａ，１０１Ｂ，１０１Ｃの制御部９８は、ハンドオーバ要求部１１と、ハンドオーバ指示部１２と、ハンドオーバ条件調整部１３と、ハンドオーバ情報取得部１４と、端末測定結果取得部１５とを有する。
【０６４３】
ハンドオーバ要求部１１は、ハンドオーバ要求を複数の他の無線基地局装置へ送信する。たとえば、無線基地局装置１０１Ａのハンドオーバ要求部１１は、無線端末装置２０２と無線基地局装置１０１Ｂ，１０１Ｃとの間でハンドオーバの準備条件が満たされている場合、無線基地局装置１０１Ｂ，１０１Ｃの双方に対してハンドオーバ要求を送信する。
【０６４４】
ハンドオーバ指示部１２は、ハンドオーバ要求に対する他の無線基地局装置からの応答を受けて、この応答に対応する他の無線基地局装置の中からハンドオーバ先の無線基地局装置を選択する。たとえば、無線基地局装置１０１Ａのハンドオーバ要求部１１が無線基地局装置１０１Ｂ，１０１Ｃへハンドオーバ要求を送信し、無線基地局装置１０１Ｂ，１０１Ｃが無線基地局装置１０１Ａへハンドオーバ動作の実行が可能であることを示す応答を送信した場合、無線基地局装置１０１Ａのハンドオーバ指示部１２は、無線基地局装置１０１Ｂ，１０１Ｃをハンドオーバ先の候補として、これら無線基地局装置１０１Ｂ，１０１Ｃの中からハンドオーバ先の無線基地局装置を選択する。
【０６４５】
具体的には、ハンドオーバ指示部１２は、無線基地局装置１０１Ｂ，１０１Ｃから送信される無線信号の無線端末装置２０２における受信電力の測定結果を取得して、この測定結果に基づいて、無線端末装置２０２との間の通信状態が良い方の無線基地局装置をハンドオーバ先の無線基地局装置として選択する。
【０６４６】
また、ハンドオーバ指示部１２は、選択したハンドオーバ先の無線基地局装置へのハンドオーバ動作を指示するためのＲＲＣコネクション再構成指示を、無線端末装置２０２へ送信する。
【０６４７】
また、ハンドオーバ指示部１２は、本発明の第１の実施の形態と同様に、上記応答を受けて、自己の無線基地局装置１０１Ａ，１０１Ｂ，１０１Ｃおよび無線端末装置２０２間の通信品質に関するハンドオーバ実行条件が満たされていない場合には、無線端末装置２０２に対する上記指示の付与を中止するかまたは保留する。たとえば、ハンドオーバ指示部１２は、所定のハンドオーバ実行条件が満たされていない場合には、無線端末装置２０２に対してＲＲＣコネクション再構成指示を送信せず、ハンドオーバ中止通知を他の無線基地局装置へ送信する。
【０６４８】
また、ハンドオーバ指示部１２は、無線基地局装置１０１Ｂ，１０１Ｃから上記応答を受信した後、所定期間取得できない測定結果に対応する他の無線基地局装置を、ハンドオーバ先の候補から外すことが可能である。
【０６４９】
すなわち、たとえば、無線端末装置２０２により受信電力の測定が行われ、無線基地局装置１０１Ｂ，１０１Ｃへのハンドオーバ動作の準備が開始されてから、次に上記測定が行われるまでの間に、無線端末装置２０２が、無線基地局装置１０１Ｃとの間の受信電力を測定することができない程度に無線基地局装置１０１Ｃから離れた位置へ移動する場合を想定する。この場合、無線基地局装置１０１Ａが、上記応答を受信してから所定期間内に無線端末装置２０２から受信する測定結果通知には、無線基地局装置１０１Ｂと無線端末装置２０２との通信状態を示す受信電力の測定結果に関する情報が含まれているものの、無線基地局装置１０１Ｃと無線端末装置２０２との通信状態を示す受信電力の測定結果に関する情報が含まれていないということがある。このような場合、ハンドオーバ指示部１２は、無線基地局装置１０１Ｃをハンドオーバ先の候補から外すことができる。
【０６５０】
また、ハンドオーバ指示部１２は、ハンドオーバ動作が完了した後、上記応答に対応する他の無線基地局装置のうちハンドオーバ先の無線基地局装置以外の他の無線基地局装置へハンドオーバ動作の中止通知を送信する。
【０６５１】
すなわち、たとえば、無線基地局装置１０１Ａのハンドオーバ要求部１１が無線基地局装置１０１Ｂ，１０１Ｃへハンドオーバ要求を送信し、無線基地局装置１０１Ｂ，１０１Ｃが無線基地局装置１０１Ａへハンドオーバ動作の実行が可能であることを示す応答を送信した場合であって、ハンドオーバ指示部１２が、ハンドオーバ先として無線基地局装置１０１Ｂを選択する場合を想定する。この場合、無線基地局装置１０１Ａが、たとえば上位装置経由で無線基地局装置１０１Ｂからハンドオーバが完了したことを示す通知を受信すると、無線基地局装置１０１Ａのハンドオーバ指示部１２は、ハンドオーバ先ではない無線基地局装置１０１Ｃへハンドオーバ動作の中止通知を送信する。
【０６５２】
［動作］
次に、本発明の第３の実施の形態に係る無線通信システム４０４において、ハンドオーバ元の無線基地局装置１０１Ａがハンドオーバ先を選択する場合におけるハンドオーバ動作の流れについて説明する。図４６は、本発明の第３の実施の形態に係る無線通信システムにおいて、ハンドオーバ元の無線基地局装置がハンドオーバ先を選択する場合におけるハンドオーバ動作のシーケンスである。
【０６５３】
図４６を参照して、まず、無線端末装置２０２は、受信電力の測定結果を示す測定結果通知を無線基地局装置１０１Ａへ送信する。この測定結果通知には、周辺セルの無線基地局装置１０１Ｂ，１０１Ｃから送信される無線信号の受信電力の測定結果が含まれている（ステップＳ５５１）。
【０６５４】
次に、無線基地局装置１０１Ａは、無線端末装置２０２から受信した測定結果通知に基づいて、セルＩＤごとの測定結果を示す測定情報を取得し、図示しない記憶部に保存する。そして、無線基地局装置１０１Ａは、無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバ動作の準備処理を行なうべきであると判断する。
【０６５５】
このとき、無線基地局装置１０１Ｂから送信される無線信号に関する測定結果および無線基地局装置１０１Ｃから送信される無線信号に関する測定結果が、いずれもハンドオーバ準備条件を満たす場合がある。このような場合、無線基地局装置１０１Ａは、無線基地局装置１０１Ｂおよび無線基地局装置１０１Ｃをハンドオーバ先の候補とする（ステップＳ５５２）。
【０６５６】
次に、無線基地局装置１０１Ａは、無線基地局装置１０１Ｂを示すハンドオーバ要求をＭＭＥ１６２へ送信する（ステップＳ５５３）。また、無線基地局装置１０１Ａは、無線基地局装置１０１Ｃを示すハンドオーバ要求をＭＭＥ１６２へ送信する（ステップＳ５５４）。
【０６５７】
次に、ＭＭＥ１６２は、無線基地局装置１０１Ａからハンドオーバ要求を受信して、無線基地局装置１０１Ｂへ当該ハンドオーバ要求を送信する（ステップＳ５５５）。また、ＭＭＥ１６２は、無線基地局装置１０１Ａからハンドオーバ要求を受信して、無線基地局装置１０１Ｃへ当該ハンドオーバ要求を送信する（ステップＳ５５６）。
【０６５８】
次に、無線基地局装置１０１Ｂは、ＭＭＥ１６２からハンドオーバ要求を受信して、ＭＭＥ１６２へ当該ハンドオーバ要求に対するハンドオーバ応答を送信する（ステップＳ５５７）。また、無線基地局装置１０１Ｃは、ＭＭＥ１６２からハンドオーバ要求を受信して、ＭＭＥ１６２へ当該ハンドオーバ要求に対するハンドオーバ応答を送信する（ステップＳ５５８）。
【０６５９】
次に、ＭＭＥ１６２は、無線基地局装置１０１Ｂからハンドオーバ応答を受信して、無線基地局装置１０１Ａへ無線基地局装置１０１Ｂをハンドオーバ先とするハンドオーバ指示を送信する（ステップＳ５５９）。また、ＭＭＥ１６２は、無線基地局装置１０１Ｃからハンドオーバ応答を受信して、無線基地局装置１０１Ａへ無線基地局装置１０１Ｃをハンドオーバ先とするハンドオーバ指示を送信する（ステップＳ５６０）。上記のようにして、無線基地局装置１０１Ｂ，１０１Ｃへのハンドオーバ動作の準備処理が完了する（ステップＳ５６１）。
【０６６０】
次に、無線端末装置２０２は、新たな測定結果通知を無線基地局装置１０１Ａへ送信する（ステップＳ５６２）。
【０６６１】
次に、無線基地局装置１０１Ａは、無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する。
【０６６２】
このとき、無線基地局装置１０１Ａは、ハンドオーバ動作の準備処理が完了している無線基地局装置１０１Ｂ，１０１Ｃの中から、例えば無線端末装置２０２との間の通信品質がより良い方をハンドオーバ先の無線基地局装置として選択する。第３の実施の形態では、無線基地局装置１０１Ｂが選択される場合を想定する（ステップＳ５６３）。
【０６６３】
次に、無線基地局装置１０１Ａは、当該無線端末装置２０２へ、無線基地局装置１０１Ｂをハンドオーバ先とするＲＲＣコネクション再構成指示を送信する（ステップＳ５６４）。
【０６６４】
次に、無線基地局装置１０１Ａは、ＭＭＥ１６２へ自己の通信状態等を示す状態通知を送信する（ステップＳ５６５）。
【０６６５】
次に、ＭＭＥ１６２は、無線基地局装置１０１Ａから状態通知を受信して、無線基地局装置１０１Ｂへ無線端末装置２０２との通信内容等を示す状態通知を送信する（ステップＳ５６６）。
【０６６６】
また、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ５６７）。
【０６６７】
次に、無線基地局装置１０１Ｂは、無線端末装置２０２からＲＲＣコネクション再構成完了通知を受信して、ＭＭＥ１６２へハンドオーバ完了通知を送信する（ステップＳ５６８）。
【０６６８】
次に、ＭＭＥ１６２は、無線基地局装置１０１Ｂからハンドオーバ完了通知を受信して、端末情報解放指示を無線基地局装置１０１Ａへ送信する（ステップＳ５６９）。
【０６６９】
次に、無線基地局装置１０１Ａは、ＭＭＥ１６２から端末情報解放指示を受信して、ハンドオーバ先として選択された無線基地局装置１０１Ｂ以外の無線基地局装置、すなわち無線基地局装置１０１Ｃへのハンドオーバ動作を中止するためのハンドオーバ中止通知をＭＭＥ１６２へ送信する（ステップＳ５７０）。
【０６７０】
次に、ＭＭＥ１６２は、無線基地局装置１０１Ａからハンドオーバ中止通知を受信して、端末情報解放指示を無線基地局装置１０１Ｃへ送信する（ステップＳ５７１）。
【０６７１】
次に、無線基地局装置１０１Ｃは、ＭＭＥ１６２から端末情報解放指示を受信して、無線端末装置２０２に関する情報を解放し、ＭＭＥ１６２へ端末情報解放完了通知を送信する（ステップＳ５７２）。
【０６７２】
そして、ＭＭＥ１６２は、無線基地局装置１０１Ｃから端末情報解放完了通知を受信して、ハンドオーバ中止応答を無線基地局装置１０１Ａへ送信する（ステップＳ５７３）。
【０６７３】
次に、無線基地局装置１０１Ａは、ＭＭＥ１６２からハンドオーバ中止応答を受信して、無線端末装置２０２に関する情報を解放し、ＭＭＥ１６２へ端末情報解放完了通知を送信する（ステップＳ５７４）。
【０６７４】
なお、上述した動作の流れでは、無線基地局装置１０１Ｂへのハンドオーバ動作が完了し（ステップＳ５６８）、無線基地局装置１０１ＡがＭＭＥ１６２から端末情報解放指示を受信した（ステップＳ５６９）後に、無線基地局装置１０１ＡがＭＭＥ１６２へハンドオーバ中止通知を送信している（ステップＳ５７０）。しかしながら、必ずしもこのような動作の流れに限定されず、例えば、無線基地局装置１０１Ａは、無線基地局装置１０１Ｂへのハンドオーバ動作が完了する前に無線基地局装置１０１Ｃへのハンドオーバ動作中止通知をＭＭＥ１６２へ送信してもよい。この場合、例えば、ステップＳ５７０からステップＳ５７３までの動作が、ステップＳ５６７の前に行われる。
【０６７５】
このように、本発明の第３の実施の形態に係る無線通信システム４０４において、無線基地局装置１０１Ａ，１０１Ｂ，１０１Ｃのハンドオーバ要求部１１は、ハンドオーバ要求を複数の他の無線基地局装置に対して行う。
【０６７６】
ある周辺基地局へのハンドオーバ動作の準備処理の完了後に無線端末装置２０２が移動することで、当該周辺基地局に関する無線端末装置２０２の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置２０２と無線基地局装置との間の通信が途切れることを防ぐことができる。
【０６７７】
また、上記のように、周辺基地局に関する無線端末装置２０２の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、無線通信システムにおける負荷を軽減させることができる。
【０６７８】
また、本発明の第３の実施の形態に係る無線通信システム４０４において、ハンドオーバ指示部１２は、ハンドオーバ応答を受信して、この応答に対応する他の無線基地局装置の中からハンドオーバ先の無線基地局装置を選択し、無線端末装置２０２に対してハンドオーバ先の無線基地局装置へのハンドオーバ動作を行う指示を与える。
【０６７９】
このように、ハンドオーバ先の無線基地局装置を選択したうえで無線端末装置２０２に対してハンドオーバ動作の指示を与える構成により、当該指示内に複数の無線基地局装置を提示する場合と比べて情報量を少なくすることができ、当該指示内容を簡潔にすることができる。
【０６８０】
また、本発明の第３の実施の形態に係る無線通信システム４０４において、ハンドオーバ指示部１２は、ハンドオーバ応答を受信した後、この応答に対応する他の無線基地局装置から送信される無線信号の無線端末装置２０２における受信電力の測定結果を取得して、この測定結果に基づいてハンドオーバ先の無線基地局装置を選択する。
【０６８１】
このような構成により、ハンドオーバ動作の準備完了後の無線端末装置２０２における電波環境に応じて、ハンドオーバ先として適切な無線基地局装置を選択することができる。
【０６８２】
また、本発明の第３の実施の形態に係る無線通信システム４０４において、ハンドオーバ指示部１２は、ハンドオーバ応答を受信した後、所定期間取得できない測定結果に対応する他の無線基地局装置をハンドオーバ先の候補から外す。
【０６８３】
このような構成により、たとえば、無線端末装置２０２が受信電力を測定できない程度に無線端末装置２０２との距離が離れてしまった無線基地局装置をハンドオーバ先の候補から外すことができるため、ハンドオーバ先として適切な無線基地局装置を選択することができる。
【０６８４】
また、本発明の第３の実施の形態に係る無線通信システム４０４において、ハンドオーバ指示部１２は、ハンドオーバ動作が完了した後、ハンドオーバ応答に対応する他の無線基地局装置のうちハンドオーバ先の無線基地局装置以外の他の無線基地局装置へハンドオーバ動作の中止要求を送信する。
【０６８５】
ここで、たとえば、ハンドオーバ先として選択された無線基地局装置以外の無線基地局装置へのハンドオーバ動作がハンドオーバ動作の完了前に中止された後、無線端末装置２０２が、当該中止対象の無線基地局装置に近づく方向に移動する場合、当該中止対象の無線基地局装置が最適なハンドオーバ先となることがある。この場合、当該中止対象の無線基地局装置へのハンドオーバ動作を再び行う必要がある。
【０６８６】
これに対して、無線通信システム４０４におけるハンドオーバ指示部１２は、上記のように、ハンドオーバ先として選択された無線基地局装置以外の無線基地局装置へのハンドオーバ動作を無線端末装置２０２のハンドオーバ動作が完了した後に中止する。これにより、ハンドオーバ動作が完了するまでの間に無線端末装置２０２が移動して電波状況が変わり、他の周辺基地局へのハンドオーバ動作が行われる場合であっても、再びハンドオーバ動作の準備処理を行う必要がない。
【０６８７】
（ｉｉ）無線端末装置がハンドオーバ先を選択する場合
［構成および基本動作］
次に、無線端末装置２０２が、複数のハンドオーバ先の候補からハンドオーバ先を選択する場合について説明する。ここでは、上述した「（ｉ）ハンドオーバ元の無線基地局装置がハンドオーバ先を選択する場合」における無線通信システム４０４と異なる点について説明する。
【０６８８】
（無線基地局装置の詳細な構成）
再び図１９および図２０を参照して、第３の実施の形態に係る無線通信システム４０５の無線基地局装置１０１Ａ，１０１Ｂ，１０１Ｃは、アンテナ９１と、サーキュレータ９２と、無線受信部９３と、無線送信部９４と、信号処理部９５と、制御部９８とを備える。
【０６８９】
また、無線基地局装置１０１Ａ，１０１Ｂ，１０１Ｃの制御部９８は、ハンドオーバ要求部１１と、ハンドオーバ指示部１２と、ハンドオーバ条件調整部１３と、ハンドオーバ情報取得部１４と、端末測定結果取得部１５とを含む。
【０６９０】
ハンドオーバ指示部１２は、ハンドオーバ要求に対する他の無線基地局装置からの応答を受けて、この応答に対応する他の無線基地局装置をハンドオーバ先の候補とし、この候補である無線基地局装置を示す情報を無線端末装置２０２へ送信する。
【０６９１】
たとえば、無線基地局装置１０１Ａのハンドオーバ要求部１１が無線基地局装置１０１Ｂ，１０１Ｃへハンドオーバ要求を送信し、無線基地局装置１０１Ｂ，１０１Ｃが無線基地局装置１０１Ａへハンドオーバ動作の実行が可能であることを示す応答を送信した場合、無線基地局装置１０１Ａのハンドオーバ指示部１２は、無線基地局装置１０１Ｂ，１０１Ｃをハンドオーバ先の候補として、これら無線基地局装置１０１Ｂ，１０１Ｃへのハンドオーバ動作を指示するためのＲＲＣコネクション再構成指示を、無線端末装置２０２へ送信する。
【０６９２】
ここで、図４７は、ＲＲＣコネクション再構成指示のメッセージ構造の比較例を示す図であり、図４８は、本発明の第３の実施の形態に係る無線通信システムにおけるハンドオーバ要求部から送信されるＲＲＣコネクション再構成指示のメッセージ構造の一例を示す図である。
【０６９３】
図４７に示すように、たとえば、無線基地局装置１０１Ａがハンドオーバ先として無線基地局装置１０１Ｂを選択して、無線端末装置２０２へＲＲＣコネクション再構成指示を送信する場合には、無線基地局装置１０１Ａは、ＲＲＣコネクション再構成指示の「Mobility Control Info」に無線基地局装置１０１Ｂの情報のみを含める（図４７の「Info1」参照）。
【０６９４】
これに対して、無線端末装置２０２がハンドオーバ先の無線基地局装置を選択する場合には、たとえば図４８に示すように、無線基地局装置１０１Ａは、ＲＲＣコネクション再構成指示の「Mobility Control Info」に複数の無線基地局装置の情報（「Target Cell List」）を列挙して無線端末装置２０２へ送信する（図４８の「Info2」参照）。これにより、無線端末装置２０２は、受信したＲＲＣコネクション再構成指示から、ハンドオーバ先の候補である複数の無線基地局装置を把握することができる。
【０６９５】
そして、無線端末装置２０２が、ＲＲＣコネクション再構成指示を受信してハンドオーバ先の無線基地局装置を選択する。ハンドオーバ指示部１２は、無線端末装置２０２によって選択されたハンドオーバ先の無線基地局装置を示す情報を受信して、自己の無線基地局装置の通信状態を示す状態通知をハンドオーバ先の無線基地局装置へ送信する。
【０６９６】
（無線端末装置の詳細な構成）
図４９は、本発明の第３の実施の形態に係る無線通信システムの無線端末装置の構成を示す図である。
【０６９７】
図４９を参照して、無線通信システム４０５の無線端末装置２０２は、アンテナ２１と、サーキュレータ２２と、受信部２３と、送信部２４と、信号処理部２５とを備える。信号処理部２５は、受信信号処理部２６と、選択部２７と、通信制御部２８とを含む。
【０６９８】
サーキュレータ２２は、アンテナ２１において受信された無線基地局装置１０１Ａ，１０１Ｂ，１０１Ｃからの無線信号を受信部２３へ出力し、また、送信部２４から受けた無線信号をアンテナ２１へ出力する。
【０６９９】
受信部２３は、サーキュレータ２２から受けた無線信号を信号処理部２５へ出力する。受信信号処理部２６は、受信部２３から出力される無線信号に対して、ＣＤＭＡ（Code Division Multiple Access）方式における逆拡散等の各種信号処理を行う。
【０７００】
選択部２７は、たとえば、無線端末装置２０２の通信接続先である無線基地局装置１０１Ａ，１０１Ｂ，１０１Ｃから受信したＲＲＣコネクション再構成指示に基づいて、ハンドオーバ先の候補である無線基地局装置の中からハンドオーバ先の無線基地局装置を選択する。
【０７０１】
具体的には、無線端末装置２０２の選択部２７は、無線基地局装置１０１Ｂ，１０１Ｃから送信される無線信号の無線端末装置２０２における受信電力の測定結果を取得して、この測定結果に基づいて、無線端末装置２０２との間の通信状態が良い方の無線基地局装置をハンドオーバ先の無線基地局装置として選択する。
【０７０２】
通信制御部２８は、選択部２７により選択されたハンドオーバ先の無線基地局装置を示す情報または自ら生成した情報に対して、ＯＦＤＭ（Orthogonal Frequency Division Multiplex）方式におけるＩＦＦＴ（Inverse Fast Fourier Transform）等の各種信号処理を行ない、この信号処理後の信号を送信部２４へ出力する。
【０７０３】
送信部２４は、通信制御部２８から受けた信号をサーキュレータ２２へ出力する。たとえば、送信部２４は、選択部２７により選択されたハンドオーバ先の無線基地局装置を示す情報、すなわちハンドオーバ先通知をサーキュレータ２２およびアンテナ２１を介して、無線端末装置２０２の通信接続先である無線基地局装置１０１Ａへ送信する。
【０７０４】
［動作］
次に、本発明の第３の実施の形態に係る無線通信システム４０５において、無線端末装置２０２がハンドオーバ先を選択する場合におけるハンドオーバ動作の流れについて説明する。図５０は、本発明の第３の実施の形態に係る無線通信システムにおいて、無線端末装置がハンドオーバ先を選択する場合におけるハンドオーバ動作のシーケンスである。
【０７０５】
図５０を参照して、ステップＳ５８１からステップＳ５９２までの動作が実行される。これらステップＳ５８１からステップＳ５９２までの動作は、図４６に示すステップＳ５５１からステップＳ５６２までの動作と同様であるため、ここでは詳細な説明を繰り返さない。
【０７０６】
次に、無線基地局装置１０１Ａは、無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する（ステップＳ５９３）。
【０７０７】
次に、無線基地局装置１０１Ａは、測定結果通知に基づいてハンドオーバ先の候補として判断した無線基地局装置１０１Ｂ，１０１Ｃへのハンドオーバ動作を無線端末装置２０２へ指示するため、ＲＲＣコネクション再構成指示を無線端末装置２０２へ送信する（ステップＳ５９４）。
【０７０８】
次に、無線端末装置２０２は、無線基地局装置１０１Ａから無線基地局装置１０１Ｂ，１０１Ｃへのハンドオーバ動作を指示するためのＲＲＣコネクション再構成指示を受信して、ハンドオーバ動作の準備処理が完了している無線基地局装置１０１Ｂ，１０１Ｃの中からハンドオーバ先の無線基地局装置を選択する。第３の実施の形態では、無線基地局装置１０１Ｂが選択される場合を想定する（ステップＳ５９５）。
【０７０９】
次に、無線端末装置２０２は、選択したハンドオーバ先の無線基地局装置１０１Ｂを示す情報、すなわちハンドオーバ先通知を無線基地局装置１０１Ａへ送信する（ステップＳ５９６）。
【０７１０】
次に、無線基地局装置１０１Ａは、無線端末装置２０２によって選択されたハンドオーバ先の無線基地局装置１０１Ｂを示す情報を受信して、ＭＭＥ１６２へ無線基地局装置１０１Ａの通信状態等を示す状態通知を送信する。この状態通知には、たとえばハンドオーバ先として選択された無線基地局装置１０１Ｂを示す情報が含まれる（ステップＳ５９７）。
【０７１１】
そして、ステップＳ５９８からステップＳ６０６までの動作が実行される。これらステップＳ５９８からステップＳ６０６までの動作は、図４６に示すステップＳ５６６からステップＳ５７４までの動作と同様であるため、ここでは詳細な説明を繰り返さない。
【０７１２】
このように、本発明の第３の実施の形態に係る無線通信システム４０５において、ハンドオーバ指示部１２は、ハンドオーバ応答を受信して、この応答に対応する他の無線基地局装置をハンドオーバ先の候補として示す情報を無線端末装置２０２へ送信する。
【０７１３】
このように、無線端末装置２０２にハンドオーバ先の無線基地局装置を選択させる構成により、ハンドオーバ元の無線基地局装置が選択する場合に比べて、最新の電波環境に応じてハンドオーバ先の無線基地局装置を選択することができる。
【０７１４】
また、本発明の第３の実施の形態に係る無線通信システム４０５において、ハンドオーバ指示部１２は、無線端末装置２０２によって選択されたハンドオーバ先の無線基地局装置を示す情報を受信して、受信した情報の示すハンドオーバ先の無線基地局装置へ所定の情報を送信する。
【０７１５】
このような構成により、ハンドオーバ元の無線基地局装置が、無線端末装置２０２により選択されたハンドオーバ先の無線基地局装置を把握したうえで、ハンドオーバ動作に必要な情報を当該ハンドオーバ先の無線基地局装置へ送信するので、無駄のない情報の送受信を行うことができる。
【０７１６】
＜第４の実施の形態＞
上述した第１の実施の形態では、ハンドオーバ動作において無線端末装置２０２の通信接続先が無線基地局装置１０１Ａから無線基地局装置１０１Ｂへ切り替わる場合について説明した。これに対して、第４の実施の形態では、切り替え先すなわちハンドオーバ先の候補が複数あり、かつ、コアネットワークにおける上位装置も切り替えられる場合について説明する。以下で説明する内容以外は第１の実施の形態に係る無線基地局装置と同様である。なお、上位装置としては、第２の実施の形態と同様に、例えば、ＭＭＥ（Mobility  Management  Entity）またはＳ−ＧＷ（Serving Gateway）が挙げられる。
【０７１７】
以下、本発明の第４の実施の形態として、ハンドオーバ動作においてＭＭＥの切り替えが必要な場合と、ハンドオーバ動作においてＳ−ＧＷの切り替えが必要な場合とに分けて説明する。
【０７１８】
（ａ）ＭＭＥの切り替えが必要な場合
［構成および基本動作］
図５１は、本発明の第４の実施の形態に係る無線通信システムの構成の一例を示す図である。
【０７１９】
図５１を参照して、第４の実施の形態に係る無線通信システム４０６は、たとえば３ＧＰＰで規格化されたＬＴＥ（Long Term Evolution）に従う移動体通信システムであり、無線基地局装置１０１Ａ，１０１Ｂ，１０１Ｃを備える。
【０７２０】
図４１および図４３を参照して、図４１に示すように、無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。無線基地局装置１０１Ｃは、セルＣＣを形成し、セルＣＣ内に存在する無線端末装置２０２と無線信号を送受信することにより、当該無線端末装置２０２と通信することが可能である。
【０７２１】
ここでは、無線端末装置２０２が、セルＣＡ内に位置し、無線基地局装置１０１Ａを通信接続先として選択してから、セルＣＡ、セルＣＢおよびセルＣＣの重複領域へ移動した場合を想定する。すなわち、無線基地局装置１０１Ａがサービング基地局に相当し、無線基地局装置１０１Ｂ，１０１Ｃが周辺基地局に相当し、これら無線基地局装置１０１Ｂ，１０１Ｃがハンドオーバ先の候補である無線基地局装置に該当する場合を想定する。
【０７２２】
再び図５１を参照して、無線通信システム４０６は、さらに、コアネットワーク３０１に設けられたＳ−ＧＷ１６１（ゲートウェイ装置）と、ＭＭＥ１６２Ａ，１６２Ｂ，１６２Ｃ（通信制御装置）と、Ｐ−ＧＷ（Packet Data Network Gateway）１６３とを備える。
【０７２３】
無線端末装置２０２は、無線基地局装置１０１Ａ，１０１Ｂ，１０１Ｃと、Ｓ−ＧＷ１６１と、Ｐ−ＧＷ１６３とを介してＩＰ網３０２（上位ネットワーク）におけるサーバ等と通信コネクションを確立し、たとえばＩＰ（Internet Protocol）パケットを含む通信データを送受信する。
【０７２４】
Ｓ−ＧＷ１６１は、無線基地局装置１０１Ａ，１０１Ｂ，１０１ＣとＩＰ網３０２との間に接続されている。Ｓ−ＧＷ１６１は、無線基地局装置１０１Ａ，１０１Ｂ，１０１Ｃ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ，１０１Ｃ経由で無線端末装置２０２へ送信する。
【０７２５】
ＭＭＥ１６２Ａは、無線通信システム４０１における無線基地局装置１０１Ａおよび無線端末装置２０２等を管理する。ＭＭＥ１６２Ａは、無線基地局装置１０１Ａとの間で制御メッセージを送受信する。また、ＭＭＥ１６２Ｂは、無線通信システム４０１における無線基地局装置１０１Ｂおよび無線端末装置２０２等を管理する。ＭＭＥ１６２Ｂは、無線基地局装置１０１Ｂとの間で制御メッセージを送受信する。ＭＭＥ１６２Ｃは、無線通信システム４０１における無線基地局装置１０１Ｃおよび無線端末装置２０２等を管理する。ＭＭＥ１６２Ｃは、無線基地局装置１０１Ｃとの間で制御メッセージを送受信する。
【０７２６】
無線基地局装置１０１Ａ，１０１Ｂ，１０１ＣおよびＳ−ＧＷ１６１は、論理的なインタフェースであるＳ１−Ｕインタフェースに従う通信データを互いに送受信することにより、Ｓ１−Ｕインタフェース経由で種々の情報を互いにやりとりする。
【０７２７】
無線基地局装置１０１ＡおよびＭＭＥ１６２Ａは、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。無線基地局装置１０１ＢおよびＭＭＥ１６２Ｂも同様に、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。無線基地局装置１０１ＣおよびＭＭＥ１６２Ｃも同様に、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０７２８】
ＭＭＥ１６２Ａ，１６２Ｂ，１６２ＣおよびＳ−ＧＷ１６１は、論理的なインタフェースであるＳ１１インタフェースに従う通信データを互いに送受信することにより、Ｓ１１インタフェース経由で種々の情報を互いにやりとりする。
【０７２９】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやりとりする。
【０７３０】
ＭＭＥ１６２Ａ，ＭＭＥ１６２ＢおよびＭＭＥ１６２Ｃは、論理的なインタフェースであるＳ１０インタフェースに従う通信データを互いに送受信することにより、Ｓ１０インタフェース経由で種々の情報を互いにやりとりする。
【０７３１】
［動作］
図５２は、本発明の第４の実施の形態に係る無線通信システムにおけるハンドオーバ動作のシーケンスである。
【０７３２】
図５２を参照して、まず、無線端末装置２０２は、受信電力の測定結果を示す測定結果通知を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ６１１）。
【０７３３】
次に、無線基地局装置１０１Ａは、無線端末装置２０２から受信した測定結果通知に基づいて、セルＩＤごとの測定結果を示す測定情報を取得し、図示しない記憶部に保存する。そして、無線基地局装置１０１Ａは、無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバ動作の準備処理を行なうべきであると判断する。
【０７３４】
このとき、無線基地局装置１０１Ｂから送信される無線信号に関する測定結果および無線基地局装置１０１Ｃから送信される無線信号に関する測定結果が、いずれもハンドオーバ準備条件を満たす場合がある。このような場合、無線基地局装置１０１Ａは、無線基地局装置１０１Ｂおよび無線基地局装置１０１Ｃをハンドオーバ先の候補とする（ステップＳ６１２）。
【０７３５】
次に、無線基地局装置１０１Ａは、無線基地局装置１０１Ｂを示すハンドオーバ要求をＭＭＥ１６２Ａへ送信する（ステップＳ６１３）。また、無線基地局装置１０１Ａは、無線基地局装置１０１Ｃを示すハンドオーバ要求をＭＭＥ１６２Ａへ送信する（ステップＳ６１４）。
【０７３６】
次に、ＭＭＥ１６２Ａは、無線基地局装置１０１Ａから受信したハンドオーバ要求に基づいて、ＭＭＥの切り替えを行う必要があるか否かを判断する。具体的には、ＭＭＥ１６２Ａは、ハンドオーバ要求に示されている無線基地局装置１０１Ｂ，１０１Ｃが自己の管理対象であるか否かを判断する（ステップＳ６１５）。
【０７３７】
次に、ＭＭＥ１６２Ａは、無線基地局装置１０１Ｂが自己の管理対象ではないことから、無線基地局装置１０１Ｂを管理するＭＭＥ１６２Ｂへ無線基地局装置１０１Ｂを示すハンドオーバ要求を送信する（ステップＳ６１６）。
【０７３８】
次に、ＭＭＥ１６２Ｂは、ＭＭＥ１６２Ａから受信したハンドオーバ要求に基づいて、Ｓ−ＧＷ１６１の切り替えを行う必要があるか否かを判断する。具体的には、ＭＭＥ１６２Ｂは、無線基地局装置１０１ＡとＩＰ網３０２との間に接続されているＳ−ＧＷと、無線基地局装置１０１ＢとＩＰ網３０２との間に接続されているＳ−ＧＷとが異なるか否かを判断する。ここでは、無線基地局装置１０１ＡとＩＰ網３０２との間に接続されているＳ−ＧＷと、無線基地局装置１０１ＢとＩＰ網３０２との間に接続されているＳ−ＧＷと同じであることから、ＭＭＥ１６２Ｂは、Ｓ−ＧＷ１６１の切り替えを行う必要がないと判断する（ステップＳ６１７）。
【０７３９】
次に、ＭＭＥ１６２Ｂは、無線基地局装置１０１Ｂへハンドオーバ要求を送信する（ステップＳ６１８）。
【０７４０】
次に、無線基地局装置１０１Ｂは、ＭＭＥ１６２Ｂからハンドオーバ要求を受信して、ＭＭＥ１６２Ｂへ当該ハンドオーバ要求に対するハンドオーバ応答を送信する（ステップＳ６１９）。
【０７４１】
次に、ＭＭＥ１６２Ｂは、無線基地局装置１０１Ｂから受信したハンドオーバ応答をＭＭＥ１６２Ａへ転送する（ステップＳ６２０）。
【０７４２】
ここで、無線端末装置２０２のハンドオーバ動作の準備期間中に無線基地局装置１０１Ａに無線端末装置２０２宛のパケットである対象パケットが蓄積されている場合、または、Ｓ−ＧＷ１６１から対象パケットが新たに受信された場合、無線基地局装置１０１Ａがこの対象パケットを無線基地局装置１０１Ｂへ転送するデータフォワーディングが行われる。
【０７４３】
このため、ＭＭＥ１６２Ａは、ＭＭＥ１６２Ｂからハンドオーバ応答を受信すると、Ｓ１−Ｕインタフェース経由のデータフォワーディングを行うための通信経路すなわち論理的なパス（以下、データフォワーディングパスとも称する）の確立要求をＳ−ＧＷ１６１へ送信する（ステップＳ６２１）。
【０７４４】
次に、Ｓ−ＧＷ１６１は、ＭＭＥ１６２Ａからデータフォワーディングパスの確立要求を受けると、データフォワーディングパスを確立させる。すなわち、Ｓ−ＧＷ１６１は、自己を介する無線基地局装置１０１Ａと無線基地局装置１０１Ｂとの間の論理的なパスを確立する。そして、Ｓ−ＧＷ１６１は、データフォワーディングパスの確立応答をＭＭＥ１６２Ａへ送信する（ステップＳ６２２）。
【０７４５】
次に、ＭＭＥ１６２Ａは、無線基地局装置１０１Ａへハンドオーバ指示を送信する。そして、以上のようなハンドオーバ動作の準備処理が実行されて、無線基地局装置１０１ＡがＭＭＥ１６２Ａからハンドオーバ指示を受信すると、無線基地局装置１０１Ａは、Ｓ１−Ｕインタフェース経由のデータフォワーディングを開始する。すなわち、無線基地局装置１０１Ａは、自己に蓄積されているかまたはＳ−ＧＷ１６１から新たに受信する当該無線端末装置２０２宛のパケットである対象パケットをＳ−ＧＷ１６１経由で無線基地局装置１０１Ｂへ転送する（ステップＳ６２３）。
【０７４６】
また、ＭＭＥ１６２Ａは、無線基地局装置１０１Ｃが自己の管理対象ではないことにより、無線基地局装置１０１Ｃを管理するＭＭＥ１６２Ｃへ無線基地局装置１０１Ｃを示すハンドオーバ要求を送信する（ステップＳ６２４）。
【０７４７】
次に、ＭＭＥ１６２Ｃは、ＭＭＥ１６２Ａから受信したハンドオーバ要求に基づいて、Ｓ−ＧＷ１６１の切り替えを行う必要があるか否かを判断する。具体的には、ＭＭＥ１６２Ｃは、無線基地局装置１０１ＡとＩＰ網３０２との間に接続されているＳ−ＧＷと、無線基地局装置１０１ＣとＩＰ網３０２との間に接続されているＳ−ＧＷとが異なるか否かを判断する。ここでは、無線基地局装置１０１ＡとＩＰ網３０２との間に接続されているＳ−ＧＷと、無線基地局装置１０１ＣとＩＰ網３０２との間に接続されているＳ−ＧＷと同じであることから、ＭＭＥ１６２Ｃは、Ｓ−ＧＷ１６１の切り替えを行う必要がないと判断する（ステップＳ６２５）。
【０７４８】
次に、ＭＭＥ１６２Ｃは、無線基地局装置１０１Ｃへハンドオーバ要求を送信する（ステップＳ６２６）。
【０７４９】
次に、無線基地局装置１０１Ｃは、ＭＭＥ１６２Ｃからハンドオーバ要求を受信して、ＭＭＥ１６２Ｃへ当該ハンドオーバ要求に対するハンドオーバ応答を送信する（ステップＳ６２７）。
【０７５０】
次に、ＭＭＥ１６２Ｃは、無線基地局装置１０１Ｃから受信したハンドオーバ応答をＭＭＥ１６２Ａへ転送する（ステップＳ６２８）。
【０７５１】
次に、ＭＭＥ１６２Ａは、ＭＭＥ１６２Ｃからハンドオーバ応答を受信すると、Ｓ１−Ｕインタフェース経由のデータフォワーディングを行うための通信経路すなわち論理的なパスの確立要求をＳ−ＧＷ１６１へ送信する（ステップＳ６２９）。
【０７５２】
次に、Ｓ−ＧＷ１６１は、ＭＭＥ１６２Ａからデータフォワーディングパスの確立要求を受けると、データフォワーディングパスを確立させる。すなわち、Ｓ−ＧＷ１６１は、自己を介する無線基地局装置１０１Ａと無線基地局装置１０１Ｃとの間の論理的なパスを確立する。そして、Ｓ−ＧＷ１６１は、データフォワーディングパスの確立応答をＭＭＥ１６２Ａへ送信する（ステップＳ６３０）。
【０７５３】
次に、ＭＭＥ１６２Ａは、無線基地局装置１０１Ａへハンドオーバ指示を送信する。そして、無線基地局装置１０１Ａは、Ｓ１−Ｕインタフェース経由のデータフォワーディングを開始する。すなわち、無線基地局装置１０１Ａは、自己に蓄積されているかまたはＳ−ＧＷ１６１から新たに受信する当該無線端末装置２０２宛のパケットである対象パケットをＳ−ＧＷ１６１経由で無線基地局装置１０１Ｃへ転送する（ステップＳ６３１）。
【０７５４】
上記のようにして、無線基地局装置１０１Ｂ，１０１Ｃへのハンドオーバ動作の準備処理が完了する（ステップＳ６３２）。なお、上記のようなステップＳ６１６からステップＳ６２３までの動作と、ステップＳ６２４からステップＳ６３１までの動作は並行して行われるものとする。
【０７５５】
次に、無線端末装置２０２は、新たな測定結果通知を無線基地局装置１０１Ａへ送信する（ステップＳ６３３）。
【０７５６】
次に、無線基地局装置１０１Ａは、無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する。なお、上述した準備条件の示す通信品質は、実行条件の示す通信品質と比べて良い品質である。
【０７５７】
このとき、無線基地局装置１０１Ａは、ハンドオーバ動作の準備処理が完了している無線基地局装置１０１Ｂ，１０１Ｃの中から、例えば無線端末装置２０２との間の通信品質がより良い方をハンドオーバ先の無線基地局装置として選択する。第４の実施の形態では、無線基地局装置１０１Ｂが選択される場合を想定する（ステップＳ６３４）。
【０７５８】
次に、無線基地局装置１０１Ａは、無線端末装置２０２へ、無線基地局装置１０１Ｂをハンドオーバ先とするＲＲＣコネクション再構成指示を送信する（ステップＳ６３５）。
【０７５９】
次に、無線基地局装置１０１Ａは、ＭＭＥ１６２Ａへ自己の通信状態等を示す状態通知を送信する（ステップＳ６３６）。この状態通知に、データフォワーディングにおいて、無線基地局装置１０１Ｂが転送パケットを処理するための、パケットのシリアル番号等の情報が含まれる。
【０７６０】
次に、ＭＭＥ１６２Ａは、無線基地局装置１０１Ａから受信した状態通知を、ＭＭＥ１６２Ｂへ転送する（ステップＳ６３７）。
【０７６１】
次に、ＭＭＥ１６２Ｂは、ＭＭＥ１６２Ａから転送された状態通知に対する状態通知応答をＭＭＥ１６２Ａへ送信する（ステップＳ６３８）。
【０７６２】
次に、ＭＭＥ１６２Ｂは、無線基地局装置１０１Ｂへ無線端末装置２０２との通信内容等を示す状態通知を送信する（ステップＳ６３９）。
【０７６３】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ６４０）。
【０７６４】
そして、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう。
【０７６５】
また、無線端末装置２０２は、無線基地局装置１０１Ｂへパケットを送信し、無線基地局装置１０１Ｂは、当該対象パケットをＳ−ＧＷ１６１へ送信する。
【０７６６】
次に、無線基地局装置１０１Ｂは、無線端末装置２０２からＲＲＣコネクション再構成完了通知を受信して、ＭＭＥ１６２Ｂへハンドオーバ完了通知を送信する。このハンドオーバ完了通知に、Ｓ−ＧＷ１６１に対するパス切り替え要求が含まれる（ステップＳ６４１）。
【０７６７】
次に、ＭＭＥ１６２Ｂは、無線基地局装置１０１Ｂから受信したハンドオーバ完了通知をＭＭＥ１６２Ａへ転送する（ステップＳ６４２）。
【０７６８】
次に、ＭＭＥ１６２Ａは、ＭＭＥ１６２Ｂから受信したハンドオーバ完了通知に対するハンドオーバ完了通知応答をＭＭＥ１６２Ｂへ送信する（ステップＳ６４３）。
【０７６９】
次に、ＭＭＥ１６２Ｂは、上記パス切り替え要求を含むベアラ変更要求をＳ−ＧＷ１６１へ送信する（ステップＳ６４４）。
【０７７０】
次に、Ｓ−ＧＷ１６１は、ＭＭＥ１６２Ｂからベアラ変更要求を受信して、パスの切り替え処理を行なう、すなわち、当該無線端末装置２０２宛の対象パケットの送信先を無線基地局装置１０１Ａから無線基地局装置１０１Ｂへ切り替える。そして、Ｓ−ＧＷ１６１は、ベアラ変更要求に対する、パス切り替え応答を含むベアラ変更応答をＭＭＥ１６２Ｂへ送信する（ステップＳ６４５）。
【０７７１】
そして、Ｓ−ＧＷ１６１は、エンドマーカが付された対象パケットを無線基地局装置１０１Ａへ送信し、対象パケットの無線基地局装置１０１Ａへの送信を終了して、対象パケットの無線基地局装置１０１Ｂへの送信を開始する。また、無線基地局装置１０１Ｂは、無線基地局装置１０１Ａを経由していないＳ−ＧＷ１６１からの対象パケットの無線端末装置２０２への送信を保留し、蓄積しておく。
【０７７２】
そして、無線基地局装置１０１Ａは、Ｓ−ＧＷ１６１から受信したエンドマーカ付きの対象パケットをＳ−ＧＷ１６１経由で無線基地局装置１０１Ｂへ転送する。このとき、無線基地局装置１０１Ａは、無線基地局装置１０１Ｂへ転送する対象パケットの最後を、このエンドマーカ付きの対象パケットとする。
【０７７３】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１からの対象パケットの無線端末装置２０２への送信を開始する。
【０７７４】
次に、上記のようなデータフォワーディングが完了すると、ＭＭＥ１６２Ａは、端末情報解放指示を無線基地局装置１０１Ａへ送信する（ステップＳ６４６）。
【０７７５】
次に、無線基地局装置１０１Ａは、ＭＭＥ１６２Ａから端末情報解放指示を受信して、ハンドオーバ先として選択されて無線基地局装置１０１Ｂ以外の無線基地局装置、すなわち無線基地局装置１０１Ｃへのハンドオーバ中止通知をＭＭＥ１６２Ａへ送信する（ステップＳ６４７）。
【０７７６】
次に、ＭＭＥ１６２Ａは、無線基地局装置１０１Ａから受信した無線基地局装置１０１Ｃへのハンドオーバ中止通知をＭＭＥ１６２Ｃへ転送する（ステップＳ６４８）。
【０７７７】
次に、ＭＭＥ１６２Ｃは、ＭＭＥ１６２Ａからハンドオーバ中止通知を受信して、端末情報解放指示を無線基地局装置１０１Ｃへ送信する（ステップＳ６４９）。
【０７７８】
次に、無線基地局装置１０１Ｃは、ＭＭＥ１６２Ｃから端末情報解放指示を受信して、無線端末装置２０２に関する情報を解放し、ＭＭＥ１６２Ｃへ端末情報解放完了通知を送信する（ステップＳ６５０）。
【０７７９】
次に、ＭＭＥ１６２Ｃは、無線基地局装置１０１Ｃから端末情報解放完了通知を受信して、ハンドオーバ中止応答をＭＭＥ１６２Ａへ送信する（ステップＳ６５１）。
【０７８０】
次に、ＭＭＥ１６２Ａは、ＭＭＥ１６２Ｃから受信したハンドオーバ中止応答を無線基地局装置１０１Ａへ送信する（ステップＳ６５２）。
【０７８１】
次に、無線基地局装置１０１Ａは、ＭＭＥ１６２Ａからハンドオーバ中止応答を受信して、無線端末装置２０２に関する情報を解放し、ＭＭＥ１６２Ａへ端末情報解放完了通知を送信する（ステップＳ６５３）。
【０７８２】
次に、ＭＭＥ１６２Ａは、無線基地局装置１０１Ａから端末情報解放完了通知を受信すると、Ｓ−ＧＷ１６１を介する無線基地局装置１０１Ａと無線基地局装置１０１Ｂとの間のデータフォワーディングパスの削除要求をＳ−ＧＷ１６１へ送信する（ステップＳ６５４）。
【０７８３】
次に、Ｓ−ＧＷ１６１は、データフォワーディングパスの削除要求を受信すると、自己を介する無線基地局装置１０１Ａと無線基地局装置１０１Ｂとの間のデータフォワーディングパスの削除を行い、データフォワーディングパスの削除応答をＭＭＥ１６２Ａへ送信する（ステップＳ６５５）。
【０７８４】
また、ＭＭＥ１６２Ａは、無線基地局装置１０１Ａから端末情報解放完了通知を受信すると、Ｓ−ＧＷ１６１を介する無線基地局装置１０１Ａと無線基地局装置１０１Ｃとの間のデータフォワーディングパスの削除要求をＳ−ＧＷ１６１へ送信する（ステップＳ６５６）。
【０７８５】
次に、Ｓ−ＧＷ１６１は、データフォワーディングパスの削除要求を受信すると、自己を介する無線基地局装置１０１Ａと無線基地局装置１０１Ｃとの間のデータフォワーディングパスの削除を行い、データフォワーディングパスの削除応答をＭＭＥ１６２Ａへ送信する（ステップＳ６５７）。
【０７８６】
なお、上述した動作の流れでは、無線基地局装置１０１Ｂへのハンドオーバ動作が完了し、無線基地局装置１０１ＡがＭＭＥ１６２から端末情報解放指示を受信した（ステップＳ６４６）後に、無線基地局装置１０１ＡがＭＭＥ１６２へハンドオーバ中止通知を送信している（ステップＳ６４７）。しかしながら、必ずしもこのような動作の流れに限定されず、例えば、無線基地局装置１０１Ａは、無線基地局装置１０１Ｂへのハンドオーバ動作が完了する前に無線基地局装置１０１Ｃへのハンドオーバ動作中止通知をＭＭＥ１６２へ送信してもよい。この場合、たとえば、ステップＳ６４７からステップＳ６５２までの動作が、ステップＳ６４０の前に行われる。
【０７８７】
このように、本発明の第４の実施の形態に係る無線通信システム４０６において、ＭＭＥ１６２Ａは、無線基地局装置１０１Ａからハンドオーバ先として無線基地局装置１０１Ｂ，１０１Ｃを示すハンドオーバ要求を受信し、ハンドオーバ要求の示す無線基地局装置１０１Ｂ，１０１Ｃごとに自己の管理対象であるか否かを判断し、自己の管理対象でない場合には、無線基地局装置１０１Ｂ，１０１Ｃを管理するＭＭＥ１６２Ｂ，１６２Ｃへハンドオーバ要求を送信する。
【０７８８】
ある周辺基地局へのハンドオーバ動作の準備処理の完了後に無線端末装置２０２が移動することで、当該周辺基地局に関する無線端末装置２０２の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置２０２と無線基地局装置１０１Ａ，１０１Ｂ，１０１Ｃとの間の通信が途切れることを防ぐことができる。
【０７８９】
また、上記のように、周辺基地局に関する無線端末装置２０２の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、無線通信システムにおける負荷を軽減させることができる。
【０７９０】
（ｂ）Ｓ−ＧＷの切り替えが必要な場合
［構成および基本動作］
図５３は、本発明の第４の実施の形態に係る無線通信システムの構成の一例を示す図である。
【０７９１】
図５３を参照して、第４の実施の形態に係る無線通信システム４０７は、図５１に示す無線通信システム４０６と同様に、たとえば３ＧＰＰで規格化されたＬＴＥに従う移動体通信システムであり、無線基地局装置１０１Ａ，１０１Ｂ，１０１Ｃを備える。ここでは、無線端末装置２０２が、セルＣＡ内に位置し、無線基地局装置１０１Ａを通信接続先として選択してから、セルＣＡ、セルＣＢおよびセルＣＣの重複領域へ移動した場合を想定する。すなわち、無線基地局装置１０１Ａがサービング基地局に相当し、無線基地局装置１０１Ｂ，１０１Ｃが周辺基地局に相当し、これら無線基地局装置１０１Ｂ，１０１Ｃがハンドオーバ先の候補である無線基地局装置に該当する場合を想定する。
【０７９２】
再び図５３を参照して、無線通信システム４０７は、さらに、コアネットワーク３０１に設けられたＳ−ＧＷ１６１Ａ，１６１Ｂ，１６１Ｃ（ゲートウェイ装置）と、ＭＭＥ１６２（通信制御装置）と、Ｐ−ＧＷ１６３とを備える。
【０７９３】
Ｓ−ＧＷ１６１Ａは、無線基地局装置１０１ＡとＩＰ網３０２との間に接続されている。Ｓ−ＧＷ１６１Ａは、無線基地局装置１０１Ａ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ経由で無線端末装置２０２へ送信する。
【０７９４】
Ｓ−ＧＷ１６１Ｂは、無線基地局装置１０１ＢとＩＰ網３０２との間に接続されている。Ｓ−ＧＷ１６１Ｂは、無線基地局装置１０１Ｂ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ｂ経由で無線端末装置２０２へ送信する。
【０７９５】
Ｓ−ＧＷ１６１Ｃは、無線基地局装置１０１ＣとＩＰ網３０２との間に接続されている。Ｓ−ＧＷ１６１Ｃは、無線基地局装置１０１Ｂ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ｃ経由で無線端末装置２０２へ送信する。
【０７９６】
ＭＭＥ１６２は、無線通信システム４０２における無線基地局装置１０１Ａ，１０１Ｂ，１０１Ｃおよび無線端末装置２０２等を管理する。ＭＭＥ１６２は、無線基地局装置１０１Ａ，１０１Ｂ，１０１Ｃとの間で制御メッセージを送受信する。
【０７９７】
無線基地局装置１０１ＡおよびＳ−ＧＷ１６１Ａは、論理的なインタフェースであるＳ１−Ｕインタフェースに従う通信データを互いに送受信することにより、Ｓ１−Ｕインタフェース経由で種々の情報を互いにやりとりする。無線基地局装置１０１ＢおよびＳ−ＧＷ１６１Ｂは、論理的なインタフェースであるＳ１−Ｕインタフェースに従う通信データを互いに送受信することにより、Ｓ１−Ｕインタフェース経由で種々の情報を互いにやりとりする。無線基地局装置１０１ＣおよびＳ−ＧＷ１６１Ｃは、論理的なインタフェースであるＳ１−Ｕインタフェースに従う通信データを互いに送受信することにより、Ｓ１−Ｕインタフェース経由で種々の情報を互いにやりとりする。
【０７９８】
無線基地局装置１０１Ａ，１０１Ｂ，１０１ＣおよびＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０７９９】
ＭＭＥ１６２およびＳ−ＧＷ１６１Ａ，１６１Ｂ，１６１Ｃは、論理的なインタフェースであるＳ１１インタフェースに従う通信データを互いに送受信することにより、Ｓ１１インタフェース経由で種々の情報を互いにやりとりする。
【０８００】
Ｓ−ＧＷ１６１Ａ，１６１Ｂ，１６１ＣおよびＰ−ＧＷ１６３は、論理的なインタフェースであるＳ５インタフェースに従う通信データを互いに送受信することにより、Ｓ５インタフェース経由で種々の情報を互いにやりとりする。
【０８０１】
［動作］
図５４は、本発明の第４の実施の形態に係る無線通信システムにおけるハンドオーバ動作のシーケンスである。
【０８０２】
図５４を参照して、ステップＳ６６１からステップＳ６６４までの動作は、図５２に示すステップＳ６１１からステップＳ６１４までの動作と同様であるため、ここでは詳細な説明を繰り返さない。
【０８０３】
次に、ＭＭＥ１６２は、無線基地局装置１０１Ａから受信したハンドオーバ要求に基づいて、ＭＭＥ１６２の切り替えを行う必要があるか否かを判断する。具体的には、ＭＭＥ１６２は、ハンドオーバ要求に示されている無線基地局装置１０１Ｂ，１０１Ｃが自己の管理対象であるか否かを判断する。ここでは、無線基地局装置１０１Ｂ，１０１ＣがＭＭＥ１６２の管理対象であることから、ＭＭＥ１６２は、ＭＭＥの切り替えを行う必要がないと判断する（ステップＳ６６５）。
【０８０４】
次に、ＭＭＥ１６２は、無線基地局装置１０１Ａから受信したハンドオーバ要求に基づいて、Ｓ−ＧＷの切り替えを行う必要があるか否かを判断する。具体的には、ＭＭＥ１６２は、無線基地局装置１０１ＡとＩＰ網３０２との間に接続されているＳ−ＧＷと、無線基地局装置１０１ＢとＩＰ網３０２との間に接続されているＳ−ＧＷとが異なるか否かを判断する。また、ＭＭＥ１６２は、無線基地局装置１０１ＡとＩＰ網３０２との間に接続されているＳ−ＧＷと、無線基地局装置１０１ＣとＩＰ網３０２との間に接続されているＳ−ＧＷとが異なるか否かを判断する（ステップＳ６６６）。
【０８０５】
次に、ＭＭＥ１６２は、無線基地局装置１０１ＡとＩＰ網３０２との間に接続されているＳ−ＧＷ１６１Ａと、無線基地局装置１０１ＢとＩＰ網３０２との間に接続されているＳ−ＧＷ１６１Ｂとが異なることから、上位ネットワークから無線端末装置２０２宛の下りパケット、および、無線端末装置２０２から上位ネットワークへの上りパケットが、無線基地局装置１０１ＢとＩＰ網３０２との間に接続されているＳ−ＧＷ１６１Ｂを経由可能となるように、Ｐ−ＧＷ１６３と無線基地局装置１０１Ｂとの間の通信経路の作成をＳ−ＧＷ１６１Ｂへ要求する（ステップＳ６６７）。
【０８０６】
次に、Ｓ−ＧＷ１６１Ｂは、ＭＭＥ１６２から通信経路の作成要求を受信して、自己を経由するＰ−ＧＷ１６３と無線基地局装置１０１Ｂとの間の通信経路を作成し、通信経路の作成応答をＭＭＥ１６２へ送信する（ステップＳ６６８）。
【０８０７】
次に、ＭＭＥ１６２は、無線基地局装置１０１Ｂへハンドオーバ要求を送信する（ステップＳ６６９）。
【０８０８】
次に、無線基地局装置１０１Ｂは、ＭＭＥ１６２からハンドオーバ要求を受信して、ＭＭＥ１６２へ当該ハンドオーバ要求に対するハンドオーバ応答を送信する（ステップＳ６７０）。
【０８０９】
次に、ＭＭＥ１６２は、無線基地局装置１０１Ｂからハンドオーバ応答を受信すると、Ｓ１−Ｕインタフェース経由のデータフォワーディングを行うための通信経路すなわち論理的なパスの確立要求をＳ−ＧＷ１６１Ｂへ送信する（ステップＳ６７１）。
【０８１０】
次に、Ｓ−ＧＷ１６１Ｂは、ＭＭＥ１６２からデータフォワーディングパスの確立要求を受けると、データフォワーディングパスを確立させる。すなわち、Ｓ−ＧＷ１６１Ｂは、Ｓ−ＧＷ１６１ＡとＳ−ＧＷ１６１Ｂとの間の論理的な通信経路、および、Ｓ−ＧＷ１６１Ｂと無線基地局装置１０１Ｂとの間の論理的な通信経路を確立する。そして、Ｓ−ＧＷ１６１Ｂは、データフォワーディングパスの確立応答をＭＭＥ１６２へ送信する（ステップＳ６７２）。
【０８１１】
次に、ＭＭＥ１６２は、Ｓ１−Ｕインタフェース経由のデータフォワーディングを行うための通信経路の確立要求をＳ−ＧＷ１６１Ａへ送信する（ステップＳ６７３）。
【０８１２】
次に、Ｓ−ＧＷ１６１Ａは、ＭＭＥ１６２からデータフォワーディングパスの確立要求を受けると、データフォワーディングパスを確立させる。すなわち、Ｓ−ＧＷ１６１Ａは、Ｓ−ＧＷ１６１Ａと無線基地局装置１０１Ａとの間の論理的な通信経路を確立する。そして、Ｓ−ＧＷ１６１Ａは、データフォワーディングパスの確立応答をＭＭＥ１６２へ送信する（ステップＳ６７４）。
【０８１３】
次に、ＭＭＥ１６２は、無線基地局装置１０１Ａへハンドオーバ指示を送信する。そして、無線基地局装置１０１Ａは、Ｓ１−Ｕインタフェース経由のデータフォワーディングを開始する。すなわち、無線基地局装置１０１Ａは、自己に蓄積されているかまたはＳ−ＧＷ１６１から新たに受信する当該無線端末装置２０２宛のパケットである対象パケットをＳ−ＧＷ１６１経由で無線基地局装置１０１Ｂへ転送する（ステップＳ６７５）。
【０８１４】
また、ＭＭＥ１６２は、無線基地局装置１０１ＡとＩＰ網３０２との間に接続されているＳ−ＧＷ１６１Ａと、無線基地局装置１０１ＣとＩＰ網３０２との間に接続されているＳ−ＧＷ１６１Ｂとが異なることから、上位ネットワークから無線端末装置２０２宛の下りパケット、および、無線端末装置２０２から上位ネットワークへの上りパケットが、無線基地局装置１０１ＣとＩＰ網３０２との間に接続されているＳ−ＧＷ１６１Ｃを経由可能となるように、Ｐ−ＧＷ１６３と無線基地局装置１０１Ｃとの間の通信経路の作成をＳ−ＧＷ１６１Ｃへ要求する（ステップＳ６７６）。
【０８１５】
次に、Ｓ−ＧＷ１６１Ｃは、ＭＭＥ１６２から通信経路の作成要求を受信して、自己を経由するＰ−ＧＷ１６３と無線基地局装置１０１Ｃとの間の通信経路を作成し、通信経路の作成応答をＭＭＥ１６２へ送信する（ステップＳ６７７）。
【０８１６】
次に、ＭＭＥ１６２は、無線基地局装置１０１Ｃへハンドオーバ要求を送信する（ステップＳ６７８）。
【０８１７】
次に、無線基地局装置１０１Ｃは、ＭＭＥ１６２からハンドオーバ要求を受信して、ＭＭＥ１６２へ当該ハンドオーバ要求に対するハンドオーバ応答を送信する（ステップＳ６７９）。
【０８１８】
次に、ＭＭＥ１６２は、無線基地局装置１０１Ｂからハンドオーバ応答を受信すると、Ｓ１−Ｕインタフェース経由のデータフォワーディングを行うための通信経路すなわち論理的なパスの確立要求をＳ−ＧＷ１６１Ｃへ送信する（ステップＳ６８０）。
【０８１９】
次に、Ｓ−ＧＷ１６１Ｃは、ＭＭＥ１６２からデータフォワーディングパスの確立要求を受けると、データフォワーディングパスを確立させる。すなわち、Ｓ−ＧＷ１６１Ｃは、Ｓ−ＧＷ１６１ＡとＳ−ＧＷ１６１Ｃとの間の論理的な通信経路、および、Ｓ−ＧＷ１６１Ｃと無線基地局装置１０１Ｃとの間の論理的な通信経路を確立する。そして、Ｓ−ＧＷ１６１Ｃは、データフォワーディングパスの確立応答をＭＭＥ１６２へ送信する（ステップＳ６８１）。
【０８２０】
次に、ＭＭＥ１６２は、Ｓ１−Ｕインタフェース経由のデータフォワーディングを行うための通信経路の確立要求をＳ−ＧＷ１６１Ａへ送信する（ステップＳ６８２）。
【０８２１】
次に、Ｓ−ＧＷ１６１Ａは、ＭＭＥ１６２からデータフォワーディングパスの確立要求を受けると、データフォワーディングパスを確立させる。すなわち、Ｓ−ＧＷ１６１Ａは、Ｓ−ＧＷ１６１Ａと無線基地局装置１０１Ａとの間の論理的な通信経路を確立する。そして、Ｓ−ＧＷ１６１Ａは、データフォワーディングパスの確立応答をＭＭＥ１６２へ送信する（ステップＳ６７４）。
【０８２２】
次に、ＭＭＥ１６２は、無線基地局装置１０１Ａへハンドオーバ指示を送信する。そして、無線基地局装置１０１Ａは、Ｓ１−Ｕインタフェース経由のデータフォワーディングを開始する。すなわち、無線基地局装置１０１Ａは、自己に蓄積されているかまたはＳ−ＧＷ１６１から新たに受信する当該無線端末装置２０２宛のパケットである対象パケットをＳ−ＧＷ１６１経由で無線基地局装置１０１Ｃへ転送する（ステップＳ６８４）。
【０８２３】
上記のようにして、無線基地局装置１０１Ｂ，１０１Ｃへのハンドオーバ動作の準備処理が完了する（ステップＳ６８５）。なお、上記のようなステップＳ６６７からステップＳ６７５までの動作と、ステップＳ６７６からステップＳ６８４までの動作は並行して行われるものとする。
【０８２４】
次に、無線端末装置２０２は、新たな測定結果通知を無線基地局装置１０１Ａへ送信する（ステップＳ６８６）。
【０８２５】
次に、無線基地局装置１０１Ａは、無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する。なお、上述した準備条件の示す通信品質は、実行条件の示す通信品質と比べて良い品質である。
【０８２６】
このとき、無線基地局装置１０１Ａは、ハンドオーバ動作の準備処理が完了している無線基地局装置１０１Ｂ，１０１Ｃの中から、例えば無線端末装置２０２との間の通信品質がより良い方をハンドオーバ先の無線基地局装置として選択する。第４の実施の形態では、無線基地局装置１０１Ｂが選択される場合を想定する（ステップＳ６８７）。
【０８２７】
次に、無線基地局装置１０１Ａは、当該無線端末装置２０２へ、無線基地局装置１０１Ｂをハンドオーバ先とするＲＲＣコネクション再構成指示を送信する（ステップＳ６８８）。
【０８２８】
次に、無線基地局装置１０１Ａは、ＭＭＥ１６２へ自己の通信状態等を示す状態通知を送信する（ステップＳ６８９）。この状態通知に、データフォワーディングにおいて、無線基地局装置１０１Ｂが転送パケットを処理するための、パケットのシリアル番号等の情報が含まれる。
【０８２９】
次に、ＭＭＥ１６２は、無線基地局装置１０１Ｂへ無線端末装置２０２との通信内容等を示す状態通知を送信する（ステップＳ６９０）。
【０８３０】
次に、無線端末装置２０２は、無線基地局装置１０１ＢへＲＲＣコネクション再構成完了通知を送信する（ステップＳ６９１）。
【０８３１】
そして、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう。
【０８３２】
また、無線端末装置２０２は、無線基地局装置１０１Ｂへパケットを送信し、無線基地局装置１０１Ｂは、当該対象パケットをＳ−ＧＷ１６１Ｂへ送信する。
【０８３３】
次に、無線基地局装置１０１Ｂは、無線端末装置２０２からＲＲＣコネクション再構成完了通知を受信して、ＭＭＥ１６２へハンドオーバ完了通知を送信する。このハンドオーバ完了通知に、Ｓ−ＧＷ１６１Ｂに対するパス切り替え要求が含まれる（ステップＳ６４９２）。
【０８３４】
次に、ＭＭＥ１６２は、上記パス切り替え要求を含むベアラ変更要求をＳ−ＧＷ１６１Ｂへ送信する（ステップＳ６９３）。
【０８３５】
そして、Ｓ−ＧＷ１６１Ｂは、ＭＭＥ１６２からベアラ変更要求を受信して、パスの切り替え処理を行なう、すなわち、当該無線端末装置２０２宛の対象パケットの送信先を無線基地局装置１０１Ａから無線基地局装置１０１Ｂへ切り替える。そして、Ｓ−ＧＷ１６１Ｂは、ベアラ変更要求に対する、パス切り替え応答を含むベアラ変更応答をＭＭＥ１６２へ送信する（ステップＳ６９４）。
【０８３６】
そして、Ｓ−ＧＷ１６１Ａは、エンドマーカが付された対象パケットを無線基地局装置１０１Ａへ送信し、対象パケットの無線基地局装置１０１Ａへの送信を終了して、対象パケットの無線基地局装置１０１Ｂへの送信を開始する。また、無線基地局装置１０１Ｂは、無線基地局装置１０１Ａを経由していないＳ−ＧＷ１６１Ｂからの対象パケットの無線端末装置２０２への送信を保留し、蓄積しておく。
【０８３７】
そして、無線基地局装置１０１Ａは、Ｓ−ＧＷ１６１Ａから受信したエンドマーカ付きの対象パケットをＳ−ＧＷ１６１ＡおよびＳ−ＧＷ１６１Ｂ経由で無線基地局装置１０１Ｂへ転送する。このとき、無線基地局装置１０１Ａは、無線基地局装置１０１Ｂへ転送する対象パケットの最後を、このエンドマーカ付きの対象パケットとする。
【０８３８】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１Ｂからの対象パケットの無線端末装置２０２への送信を開始する。
【０８３９】
次に、ＭＭＥ１６２は、Ｐ−ＧＷ１６３と無線基地局装置１０１Ａとの間の通信経路の削除をＳ−ＧＷ１６１Ａへ要求する（ステップＳ６９５）。
【０８４０】
次に、Ｓ−ＧＷ１６１Ａは、ＭＭＥ１６２から通信経路の削除要求を受信して、Ｐ−ＧＷ１６３と無線基地局装置１０１Ａとの間の通信経路を削除し、通信経路の削除応答をＭＭＥ１６２へ送信する（ステップＳ６９６）。
【０８４１】
次に、ＭＭＥ１６２は、端末情報解放指示を無線基地局装置１０１Ａへ送信する（ステップＳ６９７）。
【０８４２】
次に、無線基地局装置１０１Ａは、ＭＭＥ１６２から端末情報解放指示を受信して、ハンドオーバ先として選択されて無線基地局装置１０１Ｂ以外の無線基地局装置、すなわち無線基地局装置１０１Ｃへのハンドオーバ中止通知をＭＭＥ１６２へ送信する（ステップＳ６９８）。
【０８４３】
次に、ＭＭＥ１６２は、Ｐ−ＧＷ１６３と無線基地局装置１０１Ｃとの間の通信経路の削除をＳ−ＧＷ１６１Ｃへ要求する（ステップＳ６９９）。
【０８４４】
次に、Ｓ−ＧＷ１６１Ｃは、ＭＭＥ１６２から通信経路の削除要求を受信して、Ｐ−ＧＷ１６３と無線基地局装置１０１Ｃとの間の通信経路を削除し、通信経路の削除応答をＭＭＥ１６２へ送信する（ステップＳ７００）。
【０８４５】
次に、ＭＭＥ１６２は、Ｓ−ＧＷ１６１Ｃから通信経路の削除応答を受信して、端末情報解放指示を無線基地局装置１０１Ｃへ送信する（ステップＳ７０１）。
【０８４６】
次に、無線基地局装置１０１Ｃは、ＭＭＥ１６２から端末情報解放指示を受信して、無線端末装置２０２に関する情報を解放し、ＭＭＥ１６２へ端末情報解放完了通知を送信する（ステップＳ７０２）。
【０８４７】
次に、ＭＭＥ１６２は、無線基地局装置１０１Ｃから端末情報解放完了通知を受信して、ハンドオーバ中止応答を無線基地局装置１０１Ａへ送信する（ステップＳ７０３）。
【０８４８】
次に、無線基地局装置１０１Ａは、ＭＭＥ１６２からハンドオーバ中止応答を受信して、無線端末装置２０２に関する情報を解放し、ＭＭＥ１６２へ端末情報解放完了通知を送信する（ステップＳ７０４）。
【０８４９】
次に、ＭＭＥ１６２は、Ｐ−ＧＷ１６３と無線基地局装置１０１Ａとの間の通信経路の削除をＳ−ＧＷ１６１Ａへ要求する（ステップＳ７０５）。
【０８５０】
次に、ＭＭＥ１６２は、Ｓ−ＧＷ１６１Ｂと無線基地局装置１０１Ｂとの間の論理的な通信経路、すなわちデータフォワーディングパスの削除をＳ−ＧＷ１６１Ｂへ要求する（ステップＳ７０６）。
【０８５１】
次に、Ｓ−ＧＷ１６１Ａは、ＭＭＥ１６２から通信経路の削除要求を受信して、Ｐ−ＧＷ１６３と無線基地局装置１０１Ａとの間の通信経路を削除し、通信経路の削除応答をＭＭＥ１６２へ送信する（ステップＳ７０７）。
【０８５２】
次に、Ｓ−ＧＷ１６１Ｂは、ＭＭＥ１６２からデータフォワーディングパスの削除要求を受信すると、Ｓ−ＧＷ１６１Ｂと無線基地局装置１０１Ｂとの間の論理的な通信経路の削除を行い、データフォワーディングパスの削除応答をＭＭＥ１６２へ送信する（ステップＳ７０８）。
【０８５３】
また、ＭＭＥ１６２は、Ｓ−ＧＷ１６１Ａと無線基地局装置１０１Ａとの間の論理的な通信経路、すなわちデータフォワーディングパスの削除をＳ−ＧＷ１６１Ａへ要求する（ステップＳ７０９）。
【０８５４】
また、ＭＭＥ１６２は、Ｓ−ＧＷ１６１Ｃと無線基地局装置１０１Ｃとの間の論理的な通信経路、すなわちデータフォワーディングパスの削除をＳ−ＧＷ１６１Ｃへ要求する（ステップＳ７１０）。
【０８５５】
次に、Ｓ−ＧＷ１６１Ａは、ＭＭＥ１６２からデータフォワーディングパスの削除要求を受信すると、Ｓ−ＧＷ１６１Ａと無線基地局装置１０１Ａとの間の論理的な通信経路の削除を行い、データフォワーディングパスの削除応答をＭＭＥ１６２へ送信する（ステップＳ７１１）。
【０８５６】
また、Ｓ−ＧＷ１６１Ｃは、ＭＭＥ１６２からデータフォワーディングパスの削除要求を受信すると、Ｓ−ＧＷ１６１Ｃと無線基地局装置１０１Ｃとの間の論理的な通信経路の削除を行い、データフォワーディングパスの削除応答をＭＭＥ１６２へ送信する（ステップＳ７１２）。
【０８５７】
このように、本発明の第４の実施の形態に係る無線通信システム４０７において、ＭＭＥ１６２Ａは、無線基地局装置１０１Ａからハンドオーバ先として無線基地局装置１０１Ｂ，１０１Ｃを示すハンドオーバ要求を受信し、ハンドオーバ要求の示す無線基地局装置１０１Ｂ，１０１Ｃごとに、無線基地局装置１０１Ａと上位ネットワークとの間に接続されているゲートウェイ装置１６１Ａと、無線基地局装置１０１Ｂ，１０１Ｃと上位ネットワークとの間に接続されているゲートウェイ装置１６１Ｂ，１６１Ｃとが異なるか否かを判断し、異なると判断したゲートウェイ装置１６１Ｂ，１６１Ｃへ通信経路作成要求を送信する。
【０８５８】
ある周辺基地局へのハンドオーバ動作の準備処理の完了後に無線端末装置２０２が移動することで、当該周辺基地局に関する無線端末装置２０２の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置２０２と無線基地局装置１０１Ａ，１０１Ｂ，１０１Ｃとの間の通信が途切れることを防ぐことができる。
【０８５９】
また、上記のように、周辺基地局に関する無線端末装置２０２の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、無線通信システムにおける負荷を軽減させることができる。
【０８６０】
なお、本発明の第４の実施の形態では、ハンドオーバ動作においてＭＭＥの切り替えが必要な場合と、ハンドオーバ動作においてＳ−ＧＷの切り替えが必要な場合とを説明したが、本発明に係る無線通信システムは、ハンドオーバ動作においてＭＭＥおよびＳ−ＧＷの切り替えが必要な場合であっても対応することができる。
【０８６１】
また、本発明の第４の実施の形態では、無線端末装置２０２の通信接続先である無線基地局装置１０１Ａが、複数のハンドオーバ先の候補からハンドオーバ先を選択する場合について説明したが、無線端末装置２０２が無線基地局装置１０１Ａから複数のハンドオーバ先の候補を示す情報を受信して、無線端末装置２０２が複数のハンドオーバ先の候補からハンドオーバ先を選択する構成であってもよい。
【０８６２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０８６３】
１１  ハンドオーバ要求部
１２  ハンドオーバ指示部
１３  ハンドオーバ条件調整部
１４  ハンドオーバ情報取得部
１５  端末測定結果取得部
２１  アンテナ
２２  サーキュレータ
２３  受信部
２４  送信部
２５  信号処理部
２６  受信信号処理部
２７  選択部
２８  通信制御部
９１  アンテナ
９２  サーキュレータ
９３  無線受信部
９４  無線送信部
９５  信号処理部
９６  受信信号処理部
９７  送信信号処理部
９８  制御部
１０１Ａ，１０１Ｂ，１０１Ｃ  無線基地局装置
１６１  Ｓ−ＧＷ（ゲートウェイ装置）
１６１Ａ  Ｓ−ＧＷ（ゲートウェイ装置）
１６１Ｂ  Ｓ−ＧＷ（ゲートウェイ装置）
１６１Ｃ  Ｓ−ＧＷ（ゲートウェイ装置）
１６２  ＭＭＥ（通信制御装置）
１６２Ａ  ＭＭＥ（通信制御装置）
１６２Ｂ  ＭＭＥ（通信制御装置）
１６２Ｃ  ＭＭＥ（通信制御装置）
１６３  Ｐ−ＧＷ
２０２  無線端末装置
３０１  コアネットワーク
３０２  ＩＰ網（上位ネットワーク）
４０１，４０２，４０３  無線通信システム
４０４，４０５，４０６，４０７  無線通信システム
【図１】
0005263563.tif 000002
【図２】
0005263563.tif 000003
【図３】
0005263563.tif 000004
【図４】
0005263563.tif 000005
【図５】
0005263563.tif 000006
【図６】
0005263563.tif 000007
【図７】
0005263563.tif 000008
【図８】
0005263563.tif 000009
【図９】
0005263563.tif 000010
【図１０】
0005263563.tif 000011
【図１１】
0005263563.tif 000012
【図１２】
0005263563.tif 000013
【図１３】
0005263563.tif 000014
【図１４】
0005263563.tif 000015
【図１５】
0005263563.tif 000016
【図１６】
0005263563.tif 000017
【図１７】
0005263563.tif 000018
【図１８】
0005263563.tif 000019
【図１９】
0005263563.tif 000020
【図２０】
0005263563.tif 000021
【図２１】
0005263563.tif 000022
【図２２】
0005263563.tif 000023
【図２３】
0005263563.tif 000024
【図２４】
0005263563.tif 000025
【図２５】
0005263563.tif 000026
【図２６】
0005263563.tif 000027
【図２７】
0005263563.tif 000028
【図２８】
0005263563.tif 000029
【図２９】
0005263563.tif 000030
【図３０】
0005263563.tif 000031
【図３１】
0005263563.tif 000032
【図３２】
0005263563.tif 000033
【図３３】
0005263563.tif 000034
【図３４】
0005263563.tif 000035
【図３５】
0005263563.tif 000036
【図３６】
0005263563.tif 000037
【図３７】
0005263563.tif 000038
【図３８】
0005263563.tif 000039
【図３９】
0005263563.tif 000040
【図４０】
0005263563.tif 000041
【図４１】
0005263563.tif 000042
【図４２】
0005263563.tif 000043
【図４３】
0005263563.tif 000044
【図４４】
0005263563.tif 000045
【図４５】
0005263563.tif 000046
【図４６】
0005263563.tif 000047
【図４７】
0005263563.tif 000048
【図４８】
0005263563.tif 000049
【図４９】
0005263563.tif 000050
【図５０】
0005263563.tif 000051
【図５１】
0005263563.tif 000052
【図５２】
0005263563.tif 000053
【図５３】
0005263563.tif 000054
【図５４】
0005263563.tif 000055